(57)【特許請求の範囲】
【請求項１】
ソース基地局におけるワイヤレス通信の方法であって、
ターゲット基地局へのユーザ機器（ＵＥ）のハンドオーバが実行されるべきと決定することと、
前記ＵＥから受信されたパケットの列の中の少なくとも１つのギャップを識別することと、ここにおいて、前記パケットは、データ圧縮ルーチンに従って圧縮されている圧縮状態情報を備える、
前記ターゲット基地局のデータ圧縮機能が前記データ圧縮ルーチンをサポートするかどうかを決定することと、
前記ＵＥ用のコンテキスト情報を前記ターゲット基地局に転送することと
を備え、
ここにおいて、前記コンテキスト情報は、前記パケットの列の中の前記少なくとも１つのギャップを識別し、および前記ターゲット基地局の前記データ圧縮機能が前記データ圧縮ルーチンをサポートするかどうかに少なくとも部分的に基づき、
前記コンテキスト情報は、前記データ圧縮ルーチンをサポートする前記ターゲット基地局のために、前記パケットの列に関する前記圧縮状態情報を備える、
方法。
【請求項２】
前記コンテキスト情報を転送することは、
前記ターゲット基地局が前記データ圧縮ルーチンをサポートすると決定されたとき、前記少なくとも１つのギャップの後に順番に並べられたパケットに関連する前記圧縮状態情報を、前記ターゲット基地局に転送することを備え、前記圧縮状態情報は、前記少なくとも１つのギャップの後に順番に並べられた前記パケットの復元を可能にする、
前記ターゲット基地局が前記データ圧縮ルーチンをサポートしないと決定されたとき、前記コンテキスト情報は、前記パケットの列の中の前記少なくとも１つのギャップの前の、連続した最新のアップリンクパケットの識別を備える制御情報を備える、
を備える、請求項１に記載の方法。
【請求項３】
前記コンテキスト情報が、前記パケットの列の中の前記少なくとも１つのギャップを示すステータス報告と、前記データ圧縮ルーチンに関連する前記圧縮状態情報とを備える、請求項１に記載の方法。
【請求項４】
前記コンテキスト情報を転送することが、
データ圧縮バッファの内容を前記ターゲット基地局に転送することを備え、ここにおいて、前記データ圧縮バッファが、特定のデータソースに関連するデータが配置される静的データ圧縮部分と特定のＵＥに関連するデータが配置される非静的データ圧縮部分とを備える、
請求項１に記載の方法。
【請求項５】
後続の通信のために前記ターゲット基地局が使用されるべきであることを示すハンドオーバメッセージを前記ＵＥへ送信することをさらに備え、ここにおいて、前記ハンドオーバメッセージは、前記ターゲット基地局が前記ソース基地局および前記ＵＥによって使用されるデータ圧縮ルーチンをサポートするという表示を備え、ここにおいて、前記表示は、前記ターゲット基地局の前記データ圧縮機能が前記ソース基地局のデータ圧縮機能と互換性があると決定することに少なくとも部分的に基づく、
請求項１に記載の方法。
【請求項６】
ターゲット基地局におけるワイヤレス通信の方法であって、
ユーザ機器（ＵＥ）がソース基地局からハンドオーバされるべきというハンドオーバ表示を受信することと、
前記ターゲット基地局のデータ圧縮機能を前記ソース基地局へ送信することと、
前記ＵＥ用のコンテキスト情報を前記ソース基地局から受信することと、ここにおいて、前記コンテキスト情報が、前記ＵＥによって前記ソース基地局へ送られたパケットの列の中の少なくとも１つのギャップを識別し、および前記ターゲット基地局の前記データ圧縮機能が前記パケットの列に関するデータ圧縮ルーチンをサポートするかどうかに少なくとも部分的に基づき、前記パケットは、前記データ圧縮ルーチンに従って圧縮されている圧縮状態情報を備える、
前記コンテキスト情報に少なくとも部分的に基づいて、前記少なくとも１つのギャップに対応する欠落パケットの再送信の要求を、前記ＵＥへ送信することと
を備え、
前記コンテキスト情報は、前記データ圧縮ルーチンをサポートする前記ターゲット基地局のために、前記パケットの列に関する前記圧縮状態情報を備える、方法。
【請求項７】
前記ＵＥによって前記ソース基地局へ送られた前記パケットの列が、アップリンクデータパケット列を備え、ここにおいて、前記アップリンクデータパケット列が、データ圧縮ルーチンに従って圧縮されている情報を備え、ここにおいて、前記コンテキスト情報を受信することが、
前記パケットの列の中の前記少なくとも１つのギャップの後に前記ソース基地局に到達した追加パケットを受信することと、
前記ソース基地局からデータ圧縮バッファの内容を受信することと、を備え、前記データ圧縮バッファは、前記少なくとも１つのギャップに関連するアップリンクパケットに含まれるデータを復元するために使用される、
請求項６に記載の方法。
【請求項８】
前記ＵＥによって前記ソース基地局へ送られた前記パケットの列が、前記ソース基地局によって前記ＵＥへ送られたダウンリンクデータパケット列に対する確認応答情報を備え、前記ダウンリンクデータパケット列が、データ圧縮ルーチンに従って圧縮されている情報を備え、ここにおいて、前記方法が、
前記ソース基地局によって前記ＵＥへ送られた前記ダウンリンクデータパケット列の中の少なくとも１つのギャップに関連するダウンリンクデータパケットと、前記ソース基地局によって前記ＵＥへ送られた前記ダウンリンクデータパケット列の中の前記少なくとも１つのギャップの後の１つまたは複数のデータパケットとを受信することをさらに備える、
請求項６に記載の方法。
【請求項９】
ユーザ機器（ＵＥ）におけるワイヤレス通信の方法であって、
ソース基地局からダウンリンクデータパケット列を受信することと、前記ダウンリンクデータパケット列は、データ圧縮ルーチンに従って圧縮されているデータを備える、
パケットを前記ソース基地局へ送信することと、ここにおいて、前記パケットを前記ソース基地局へ送信することは、前記ダウンリンクデータパケット列の中のパケットごとに確認応答を送信することを備え、
後続の通信がターゲット基地局へ送信されるべきであることを示すハンドオーバメッセージを前記ソース基地局から受信することと、前記ハンドオーバメッセージが、前記ターゲット基地局のデータ圧縮機能が前記データ圧縮ルーチンをサポートするかどうかの表示を含む、
前記データ圧縮ルーチンをサポートする前記ターゲット基地局から、確認応答されなかったパケットの再送信を受信することと、前記再送信は前記データ圧縮ルーチンに従って圧縮されているデータを備える、
を備える方法。
【請求項１０】
ソース基地局におけるワイヤレス通信のための装置であって、
ターゲット基地局へのユーザ機器（ＵＥ）のハンドオーバが実行されるべきと決定するための手段と、
前記ＵＥから受信されたパケットの列の中の少なくとも１つのギャップを識別するための手段と、ここにおいて、前記パケットは、データ圧縮ルーチンに従って圧縮されている圧縮状態情報を備える、
前記ターゲット基地局のデータ圧縮機能が前記データ圧縮ルーチンをサポートするかどうかを決定するための手段と、
前記ＵＥ用のコンテキスト情報を前記ターゲット基地局に転送するための手段と、
を備え、
ここにおいて、前記コンテキスト情報は、前記パケットの列の中の前記少なくとも１つのギャップを識別し、および前記ターゲット基地局の前記データ圧縮機能が前記データ圧縮ルーチンをサポートするかどうかに少なくとも部分的に基づき、前記コンテキスト情報は、前記データ圧縮ルーチンをサポートする前記ターゲット基地局のために、前記パケットの列に関する前記圧縮状態情報を備える、
装置。
【請求項１１】
ターゲット基地局におけるワイヤレス通信のための装置であって、
ユーザ機器（ＵＥ）がソース基地局からハンドオーバされるべきというハンドオーバ表示を受信するための手段と、
前記ターゲット基地局のデータ圧縮機能を前記ソース基地局へ送信するための手段と、  
前記ＵＥ用のコンテキスト情報を前記ソース基地局から受信するための手段と、ここにおいて、前記コンテキスト情報が、前記ＵＥによって前記ソース基地局へ送られたパケットの列の中の少なくとも１つのギャップを識別し、および前記ターゲット基地局の前記データ圧縮機能が前記パケットの列のデータ圧縮ルーチンをサポートするかどうかに少なくとも部分的に基づき、前記パケットは、前記データ圧縮ルーチンに従って圧縮されている圧縮状態情報を備える、
前記コンテキスト情報に少なくとも部分的に基づいて、前記少なくとも１つのギャップに対応する欠落パケットの再送信の要求を、前記ＵＥへ送信するための手段と、を備え、
前記コンテキスト情報は、前記データ圧縮ルーチンをサポートする前記ターゲット基地局のために、前記パケットの列に関する前記圧縮状態情報を備える、装置。
【請求項１２】
ユーザ機器（ＵＥ）におけるワイヤレス通信のための装置であって、
ソース基地局からダウンリンクデータパケット列を受信するための手段と、前記ダウンリンクデータパケット列は、データ圧縮ルーチンに従って圧縮されているデータを備える、
パケットを前記ソース基地局へ送信するための手段と、ここにおいて、前記パケットを前記ソース基地局へ送信するための前記手段は、前記ダウンリンクデータパケット列の中のパケットごとに確認応答を送信するための手段を備え、
後続の通信がターゲット基地局へ送信されるべきであることを示すハンドオーバメッセージを前記ソース基地局から受信するための手段と、前記ハンドオーバメッセージが、前記ターゲット基地局のデータ圧縮機能が前記データ圧縮ルーチンをサポートするかどうかの表示を含む、
前記データ圧縮ルーチンをサポートする前記ターゲット基地局から、確認応答されなかったパケットの再送信を受信するための手段と、前記再送信は前記データ圧縮ルーチンに従って圧縮されているデータを備える、
を備える装置。
【請求項１３】
実行されたときに、請求項１〜５のうちのいずれか一項に記載の方法を、実行されたときにコンピュータに実行させるコードを記憶した、コンピュータ可読媒体。
【請求項１４】
実行されたときに、請求項６〜８のうちのいずれか一項に記載の方法を、実行されたときにコンピュータに実行させるコードを記憶した、コンピュータ可読媒体。
【請求項１５】
実行されたときに、請求項９に記載の方法を、実行されたときにコンピュータに実行させるコードを記憶した、コンピュータ可読媒体。
【発明の詳細な説明】
【技術分野】
【０００１】
相互参照
[0001]本特許出願は、各々が本出願の譲受人に譲渡された、２０１５年１１月１２日に出願された「Ｄａｔａ  Ｃｏｍｐｒｅｓｓｉｏｎ  Ｔｅｃｈｎｉｑｕｅｓ  ｆｏｒ  Ｈａｎｄｏｖｅｒ  ａｎｄ  Ｒａｄｉｏ  Ｌｉｎｋ  Ｆａｉｌｕｒｅ  Ｒｅｃｏｖｅｒｙ」と題するＢａｌａｓｕｂｒａｍａｎｉａｎらによる米国特許出願第１４／９４０，１３４号、２０１５年１月２３日に出願された「Ｄａｔａ  Ｃｏｍｐｒｅｓｓｉｏｎ  Ｔｅｃｈｎｉｑｕｅｓ  Ｆｏｒ  Ｈａｎｄｏｖｅｒ  Ａｎｄ  Ｒａｄｉｏ  Ｌｉｎｋ  Ｆａｉｌｕｒｅ  Ｒｅｃｏｖｅｒｙ」と題するＢａｌａｓｕｂｒａｍａｎｉａｎらによる米国仮特許出願第６２／１０７，２７８号、２０１４年１１月１７日に出願されたＴｅｃｈｎｉｑｕｅｓ  Ｆｏｒ  Ｍａｎａｇｉｎｇ  Ｄｏｗｎｌｉｎｋ  Ｃｏｍｍｕｎｉｃａｔｉｏｎ  Ｄｕｒｉｎｇ  Ｈａｎｄｏｖｅｒ  Ａｎｄ  Ｒａｄｉｏ  Ｌｉｎｋ  Ｆａｉｌｕｒｅ  Ｒｅｃｏｖｅｒｙ  Ｆｏｒ  Ｅｖｏｌｖｅｄ  Ｄａｔａ  Ｃｏｍｐｒｅｓｓｉｏｎ  Ｓｃｈｅｍｅ（ｅＤＣＳ）」と題するＢａｌａｓｕｂｒａｍａｎｉａｎらによる米国仮特許出願第６２／０８０，８８５号、２０１４年１１月１４日に出願された「ｅＤＣＳ  Ｗｉｔｈ  Ｃｏｎｎｅｃｔｉｏｎ  Ｅｓｔａｂｌｉｓｈｍｅｎｔ」と題するＢａｌａｓｕｂｒａｍａｎｉａｎらによる米国仮特許出願第６２／０８０，１７９号、および２０１４年１１月１４日に出願された「Ｄａｔａ  Ｃｏｍｐｒｅｓｓｉｏｎ  Ｔｅｃｈｎｉｑｕｅｓ  Ｆｏｒ  Ｈａｎｄｏｖｅｒ  Ａｎｄ  Ｒａｄｉｏ  Ｌｉｎｋ  Ｆａｉｌｕｒｅ  Ｒｅｃｏｖｅｒｙ」と題するＢａｌａｓｕｂｒａｍａｎｉａｎらによる米国仮特許出願第６２／０８０，１３２号の優先権を主張する。
【０００２】
[0002]本開示は、たとえば、ワイヤレス通信システムに関し、より詳細には、ロングタームエボリューション（ＬＴＥ（登録商標））ワイヤレス通信システムにおけるハンドオーバおよび無線リンク障害のためのデータ圧縮技法に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例として、ワイヤレス多元接続通信システムは、場合によってはユーザ機器（ＵＥ）と呼ばれる複数の通信デバイスのための通信を各々が同時にサポートする、いくつかの基地局を含み得る。基地局は、（たとえば、基地局からＵＥへの送信のために）ダウンリンクチャネル上で、および（たとえば、ＵＥから基地局への送信のために）アップリンクチャネル上で、ＵＥと通信し得る。
【０００５】
[0005]場合によっては、ＵＥは、サービス中の基地局（「ソース」基地局と呼ばれる）から別の基地局（「ターゲット」基地局と呼ばれる）へ移転され得る。たとえば、ＵＥがターゲット基地局のカバレージエリアの中に移動していることがあり、あるいはターゲット基地局は、より良好なサービスをＵＥに提供すること、またはソース基地局から過剰な負荷を除去することが可能であり得る。その移行は、「ハンドオーバ」と呼ばれることがある。場合によっては、ハンドオーバに続いて、ターゲット基地局およびＵＥは、効率的な通信を確立するために、情報の様々な項目を同期させる必要があり得る。そのような同期を確立するための時間を低減することは、ワイヤレス通信システムの全体的な効率を高め得る。
【発明の概要】
【０００６】
[0006]ハンドオーバに続いてソース基地局のデータ圧縮をターゲット基地局において行うためのシステム、方法、および装置。ＵＥおよびソース基地局は、送信されるデータパケットに対して１つまたは複数のデータ圧縮技法を使用してデータ圧縮を実行し得る。ハンドオーバの間、ソース基地局は、データ圧縮に関する情報を含むコンテキスト情報をターゲット基地局に提供し得、したがって、データ圧縮コンテキストを再確立する必要なく、ハンドオーバに続いてターゲット基地局がデータ圧縮を継続することを可能にする。
【０００７】
[0007]ハンドオーバを容易にするために、またハンドオーバの前後でのＵＥとの通信を効率的にサポートするために、ソース基地局は、ＵＥおよびターゲット基地局のデータ圧縮機能を決定し得る。すなわち、ハンドオーバ動作、およびハンドオーバに関連する様々なエンティティ（すなわち、ソース、ターゲット、およびＵＥ）がハンドオーバに影響を及ぼす方式は、ターゲット基地局のデータ機能によって決まり得る。ソース基地局は、決定されたデータ圧縮機能をＵＥおよびターゲット基地局へ通信し得る。
【０００８】
[0008]ソース基地局は、ＵＥから受信されたパケット列の中の１つまたは複数のギャップを決定し得、１つまたは複数のギャップをターゲット基地局へ通信し得る。ＵＥは、１つまたは複数のギャップに関連するパケットを、パケットの元の送信に対して使用された同じデータ圧縮技法に従ってターゲット基地局へ再送信するように導かれ得る。いくつかの例では、ターゲット基地局は、再送信パケットを復元し得る。いくつかの例では、ターゲット基地局は、復元のために再送信パケットをソース基地局に転送し得る。
【０００９】
[0009]ワイヤレス通信の方法が説明される。方法は、ターゲット基地局へのユーザ機器（ＵＥ）のハンドオーバが実行されるべきと決定することと、ＵＥから受信されたパケット列の中の少なくとも１つのギャップを識別することと、ターゲット基地局のデータ圧縮機能を決定することと、ＵＥ用のコンテキスト情報をターゲット基地局に転送することとを含み得、ここにおいて、コンテキスト情報は、ターゲット基地局のデータ圧縮機能に少なくとも部分的に基づく。
【００１０】
[0010]ワイヤレス通信のための装置が説明される。装置は、ターゲット基地局へのユーザ機器（ＵＥ）のハンドオーバが実行されるべきと決定するための手段と、ＵＥから受信されたパケット列の中の少なくとも１つのギャップを識別するための手段と、ターゲット基地局のデータ圧縮機能を決定するための手段と、ＵＥ用のコンテキスト情報をターゲット基地局に転送するための手段とを含み得、ここにおいて、コンテキスト情報は、ターゲット基地局のデータ圧縮機能に少なくとも部分的に基づく。
【００１１】
[0011]さらなる装置が説明される。装置は、プロセッサと、プロセッサと電子通信しているメモリと、メモリに記憶された命令とを含み得る。命令は、装置に、ターゲット基地局へのユーザ機器（ＵＥ）のハンドオーバが実行されるべきと決定することと、ＵＥから受信されたパケット列の中の少なくとも１つのギャップを識別することと、ターゲット基地局のデータ圧縮機能を決定することと、ＵＥ用のコンテキスト情報をターゲット基地局に転送することとをさせるようにプロセッサによって動作可能であり得、ここにおいて、コンテキスト情報は、ターゲット基地局のデータ圧縮機能に少なくとも部分的に基づく。
【００１２】
[0012]ワイヤレス通信のための非一時的コンピュータ可読媒体が説明される。非一時的コンピュータ可読媒体は、ターゲット基地局へのユーザ機器（ＵＥ）のハンドオーバが実行されるべきと決定することと、ＵＥから受信されたパケット列の中の少なくとも１つのギャップを識別することと、ターゲット基地局のデータ圧縮機能を決定することと、ＵＥ用のコンテキスト情報をターゲット基地局に転送することとを行うように実行可能な命令を含み得、ここで、コンテキスト情報は、ターゲット基地局のデータ圧縮機能に基づく。
【００１３】
[0013]本明細書で説明する方法、装置、または非一時的コンピュータ可読媒体のいくつかの例では、ＵＥから受信されたパケット列は、アップリンクデータパケットを備え、アップリンクデータパケットは、データ圧縮ルーチンに従って圧縮されている情報を備える。
【００１４】
[0014]本明細書で説明する方法、装置、または非一時的コンピュータ可読媒体のいくつかの例では、ターゲット基地局のデータ圧縮機能を決定することは、ターゲット基地局がソース基地局と同じデータ圧縮ルーチンをサポートするかどうかを決定することを備える。本明細書で説明する方法、装置、または非一時的コンピュータ可読媒体のいくつかの例では、コンテキスト情報を転送することは、少なくとも１つのギャップの後に順番に並べられた第２のパケットに関連する圧縮状態情報をターゲット基地局に転送することを備え、圧縮状態情報は、第２のパケットの復元を容易にする。
【００１５】
[0015]本明細書で説明する方法、装置、または非一時的コンピュータ可読媒体のいくつかの例では、コンテキスト情報は、データパケット列の中の少なくとも１つのギャップを示すステータス報告と、データ圧縮ルーチンに関連する圧縮状態情報とを備える。
【００１６】
[0016]本明細書で説明する方法、装置、または非一時的コンピュータ可読媒体のいくつかの例では、コンテキスト情報を転送することは、データ圧縮バッファをターゲット基地局に転送することを備え、データ圧縮バッファは、静的データ圧縮部分と非静的データ圧縮部分とを備える。静的部分は、セル固有のデータ圧縮に関連し得、非静的部分は、ＵＥ固有のデータ圧縮に関連し得る。いくつかの例では、データ圧縮バッファをターゲット基地局に転送することは、データ圧縮バッファの非静的データ圧縮部分を転送することを備える。
【００１７】
[0017]本明細書で説明する方法、装置、または非一時的コンピュータ可読媒体のいくつかの例では、ターゲット基地局のデータ圧縮機能を決定することは、ターゲット基地局がソース基地局と同じデータ圧縮ルーチンをサポートしないと決定することを備える。本明細書で説明する方法、装置、または非一時的コンピュータ可読媒体のいくつかの例では、コンテキスト情報は、受信アップリンクパケット列の中の少なくとも１つのギャップの前の、連続した最新のアップリンクパケットの識別を備える制御情報を備える。
【００１８】
[0018]本明細書で説明する方法、装置、または非一時的コンピュータ可読媒体のいくつかの例は、受信アップリンクパケット列の中の少なくとも１つのギャップの表示を転送するためのプロセス、機能、手段、または命令をさらに含み得る。
【００１９】
[0019]本明細書で説明する方法、装置、または非一時的コンピュータ可読媒体のいくつかの例は、パケット列の中の少なくとも１つのギャップの後に受信された最初のアップリンクパケットが、データ圧縮ルーチンによって圧縮されていないと決定するためのプロセス、機能、手段、または命令を含み得る。本明細書で説明する方法、装置、または非一時的コンピュータ可読媒体のいくつかの例は、最初のアップリンクパケットをターゲット基地局に転送するためのプロセス、機能、手段、または命令をさらに含み得る。
【００２０】
[0020]本明細書で説明する方法、装置、または非一時的コンピュータ可読媒体のいくつかの例では、ＵＥから受信されたパケット列は、ソース基地局から受信されたダウンリンクデータパケット列に対する確認応答情報を備え、ダウンリンクデータパケット列は、データ圧縮ルーチンに従って圧縮されている情報を備える。いくつかの例では、ＵＥから受信されたパケット列の中の少なくとも１つのギャップを識別することは、確認応答されなかったダウンリンクデータパケットを識別することを備える。
【００２１】
[0021]本明細書で説明する方法、装置、または非一時的コンピュータ可読媒体のいくつかの例では、ターゲット基地局のデータ圧縮機能を決定することは、ターゲット基地局がソース基地局と同じデータ圧縮ルーチンをサポートするかどうかを決定することを備える。本明細書で説明する方法、装置、または非一時的コンピュータ可読媒体のいくつかの例は、確認応答されなかったダウンリンクデータパケットと、確認応答されなかったダウンリンクデータパケットの後の１つまたは複数のダウンリンクデータパケットとを、データ圧縮ルーチンによるＵＥへの再送信のためにターゲット基地局に転送するためのプロセス、機能、手段、または命令をさらに含み得る。
【００２２】
[0022]本明細書で説明する方法、装置、または非一時的コンピュータ可読媒体のいくつかの例は、後続の通信のためにターゲット基地局が使用されるべきであることを示すハンドオーバメッセージをＵＥへ送信するためのプロセス、機能、手段、または命令をさらに含み得、ハンドオーバメッセージは、ターゲット基地局がソース基地局およびＵＥによって使用されるデータ圧縮ルーチンをサポートするという表示を備え、ここで、表示は、ターゲット基地局のデータ圧縮機能がソース基地局のデータ圧縮機能と互換性があると決定することに基づく。
【００２３】
[0023]本明細書で説明する方法、装置、または非一時的コンピュータ可読媒体のいくつかの例では、ハンドオーバメッセージは、少なくとも１つのギャップに関連するパケットを再送信するための、ＵＥへのコマンドを備える。
【００２４】
[0024]本明細書で説明する方法、装置、または非一時的コンピュータ可読媒体のいくつかの例は、ＵＥのデータ圧縮機能をターゲット基地局へ送信するためのプロセス、機能、手段、または命令をさらに含み得る。
【００２５】
[0025]ワイヤレス通信の方法が説明される。方法は、ＵＥがソース基地局からハンドオーバされるべきというハンドオーバ表示を受信することと、データ圧縮機能をソース基地局へ送信することと、ＵＥ用のコンテキスト情報をソース基地局から受信することと、コンテキスト情報が、ＵＥによってソース基地局へ送られたパケット列の中の少なくとも１つのギャップを識別する、コンテキスト情報に少なくとも部分的に基づいてＵＥへ送信することとを含み得る。
【００２６】
[0026]ワイヤレス通信のための装置が説明される。装置は、ＵＥがソース基地局からハンドオーバされるべきというハンドオーバ表示を受信するための手段と、データ圧縮機能をソース基地局へ送信するための手段と、ＵＥ用のコンテキスト情報をソース基地局から受信するための手段と、ここにおいて、コンテキスト情報が、ＵＥによってソース基地局へ送られたパケット列の中の少なくとも１つのギャップを識別する、コンテキスト情報に少なくとも部分的に基づいてＵＥへ送信するための手段とを含み得る。
【００２７】
[0027]さらなる装置が説明される。装置は、プロセッサと、プロセッサと電子通信しているメモリと、メモリに記憶された命令とを含み得る。命令は、装置に、ＵＥがソース基地局からハンドオーバされるべきというハンドオーバ表示を受信することと、データ圧縮機能をソース基地局へ送信することと、ＵＥ用のコンテキスト情報をソース基地局から受信することと、ここにおいて、コンテキスト情報が、ＵＥによってソース基地局へ送られたパケット列の中の少なくとも１つのギャップを識別する、コンテキスト情報に少なくとも部分的に基づいてＵＥへ送信することとをさせるようにプロセッサによって動作可能であり得る。
【００２８】
[0028]ワイヤレス通信のための非一時的コンピュータ可読媒体が説明される。非一時的コンピュータ可読媒体は、ＵＥがソース基地局からハンドオーバされるべきというハンドオーバ表示を受信することと、データ圧縮機能をソース基地局へ送信することと、ＵＥ用のコンテキスト情報をソース基地局から受信することと、ここで、コンテキスト情報が、ＵＥによってソース基地局へ送られたパケット列の中の少なくとも１つのギャップを識別する、コンテキスト情報に基づいてＵＥへ送信することとを行うように実行可能な命令を含み得る。
【００２９】
[0029]本明細書で説明する方法、装置、または非一時的コンピュータ可読媒体のいくつかの例では、ターゲット基地局のデータ圧縮機能は、ソース基地局のデータ圧縮機能と互換性があり、ここで、コンテキスト情報は、ＵＥ用のデータ圧縮コンテキスト情報を備える。
【００３０】
[0030]本明細書で説明する方法、装置、または非一時的コンピュータ可読媒体のいくつかの例では、データ圧縮コンテキスト情報は、ＵＥによってソース基地局へ送られたパケット列の中の少なくとも１つのギャップに関連するパケットを処理するために使用される。
【００３１】
[0031]本明細書で説明する方法、装置、または非一時的コンピュータ可読媒体のいくつかの例では、ＵＥへ送信することは、ＵＥによってソース基地局へ送られたパケット列の中の少なくとも１つのギャップを識別するステータスメッセージを送信することを備える。
【００３２】
[0032]本明細書で説明する方法、装置、または非一時的コンピュータ可読媒体のいくつかの例では、ＵＥによってソース基地局へ送られたパケット列は、アップリンクデータパケット列を備え、ここで、アップリンクデータパケットは、データ圧縮ルーチンに従って圧縮されている情報を備え、ここで、コンテキスト情報を受信することは、アップリンクパケット列の中の少なくとも１つのギャップの後にソース基地局に到達した追加パケットを受信することを備える。本明細書で説明する方法、装置、または非一時的コンピュータ可読媒体のいくつかの例は、ソース基地局からデータ圧縮バッファを受信するためのプロセス、機能、手段、または命令をさらに含み得、データを復元する際に使用するためのデータ圧縮バッファは、少なくとも１つのギャップに関連するアップリンクパケットに含まれる。
【００３３】
[0033]本明細書で説明する方法、装置、または非一時的コンピュータ可読媒体のいくつかの例では、データ圧縮バッファは、静的データ圧縮部分と非静的データ圧縮部分とを備える。
【００３４】
[0034]本明細書で説明する方法、装置、または非一時的コンピュータ可読媒体のいくつかの例は、ソース基地局からデータ圧縮バッファを受信することが、データ圧縮バッファの非静的データ圧縮部分を受信することを備えるためのプロセス、機能、手段、または命令をさらに含み得る。
【００３５】
[0035]本明細書で説明する方法、装置、または非一時的コンピュータ可読媒体のいくつかの例では、ＵＥによってソース基地局へ送られたパケット列は、ソース基地局によってＵＥへ送られたダウンリンクデータパケット列に対する確認応答情報を備え、ダウンリンクデータパケット列は、データ圧縮ルーチンに従って圧縮されている情報を備え、方法は、ソース基地局によってＵＥへ送られたダウンリンクパケット列の中の少なくとも１つのギャップに関連するダウンリンクデータパケットと、ソース基地局によってＵＥへ送られたダウンリンクパケット列の中の最初のギャップの後の１つまたは複数のデータパケットとを受信することをさらに備える。
【００３６】
[0036]本明細書で説明する方法、装置、または非一時的コンピュータ可読媒体のいくつかの例では、ＵＥへ送信することは、受信ダウンリンクデータパケットのうちの１つまたは複数を、データ圧縮ルーチンに従ってＵＥへ再送信することを備える。
【００３７】
[0037]本明細書で説明する方法、装置、または非一時的コンピュータ可読媒体のいくつかの例では、ターゲット基地局のデータ圧縮機能は、ソース基地局のデータ圧縮機能と異なる。
【００３８】
[0038]本明細書で説明する方法、装置、または非一時的コンピュータ可読媒体のいくつかの例では、ＵＥへ送信することは、ＵＥによってソース基地局へ送られたデータ列の中の少なくとも１つのギャップを識別するステータスメッセージを送信することを備える。
【００３９】
[0039]本明細書で説明する方法、装置、または非一時的コンピュータ可読媒体のいくつかの例では、コンテキスト情報は、ＵＥによってソース基地局へ送られたデータ列の中の連続した最新のパケットの表示を備える。
【００４０】
[0040]本明細書で説明する方法、装置、または非一時的コンピュータ可読媒体のいくつかの例では、ＵＥへ送信することは、ステータスメッセージをＵＥへ送信することを備え、ステータスメッセージは、連続した最新のパケットの後の、再送信されるべき１つまたは複数のパケットの識別を備える。
【００４１】
[0041]本明細書で説明する方法、装置、または非一時的コンピュータ可読媒体のいくつかの例は、ＵＥによって確認応答されなかったダウンリンクデータパケットと、パケット列の１つまたは複数のダウンリンクデータパケットとを、ソース基地局から受信するためのプロセス、機能、手段、または命令をさらに含み得る。本明細書で説明する方法、装置、または非一時的コンピュータ可読媒体のいくつかの例では、ＵＥへ送信することは、１つまたは複数のダウンリンクデータパケットをＵＥへ送信することを備える。
【００４２】
[0042]ワイヤレス通信の方法が説明される。方法は、パケットをソース基地局へ送信することと、後続の通信がターゲット基地局へ送信されるべきであることを示すハンドオーバメッセージをソース基地局から受信することと、ハンドオーバメッセージが、ターゲット基地局のデータ圧縮機能の表示を含む、ターゲット基地局から送信を受信することと、送信が、ターゲット基地局のデータ圧縮機能に少なくとも部分的に基づく、を含み得る。
【００４３】
[0043]ワイヤレス通信のための装置が説明される。装置は、パケットをソース基地局へ送信するための手段と、後続の通信がターゲット基地局へ送信されるべきであることを示すハンドオーバメッセージをソース基地局から受信するための手段と、ハンドオーバメッセージが、ターゲット基地局のデータ圧縮機能の表示を含む、ターゲット基地局から送信を受信するための手段と、送信が、ターゲット基地局のデータ圧縮機能に少なくとも部分的に基づく、を含み得る。
【００４４】
[0044]さらなる装置が説明される。装置は、プロセッサと、プロセッサと電子通信しているメモリと、メモリに記憶された命令とを含み得る。命令は、装置に、パケットをソース基地局へ送信することと、後続の通信がターゲット基地局へ送信されるべきであることを示すハンドオーバメッセージをソース基地局から受信することと、ハンドオーバメッセージが、ターゲット基地局のデータ圧縮機能の表示を含む、ターゲット基地局から送信を受信することと、ここにおいて、送信が、ターゲット基地局のデータ圧縮機能に少なくとも部分的に基づく、をさせるようにプロセッサによって動作可能であり得る。
【００４５】
[0045]ワイヤレス通信のための非一時的コンピュータ可読媒体が説明される。非一時的コンピュータ可読媒体は、パケットをソース基地局へ送信することと、後続の通信がターゲット基地局へ送信されるべきであることを示すハンドオーバメッセージをソース基地局から受信することと、ハンドオーバメッセージが、ターゲット基地局のデータ圧縮機能の表示を含む、ターゲット基地局から送信を受信することと、ここで、送信が、ターゲット基地局のデータ圧縮機能に少なくとも部分的に基づく、を行うように実行可能な命令を含み得る。
【００４６】
[0046]本明細書で説明する方法、装置、または非一時的コンピュータ可読媒体のいくつかの例では、パケットをソース基地局へ送信することは、パケット列をソース基地局へ送信することを備え、パケットは、データ圧縮ルーチンに従って圧縮されているデータを備える。
【００４７】
[0047]本明細書で説明する方法、装置、または非一時的コンピュータ可読媒体のいくつかの例では、ターゲット基地局から送信を受信することは、ソース基地局において受信されたパケット列の中の少なくとも１つのギャップを識別するステータス報告を受信することを備える。
【００４８】
[0048]本明細書で説明する方法、装置、または非一時的コンピュータ可読媒体のいくつかの例は、ステータス報告によって識別された少なくとも１つのパケットを再送信するためのプロセス、機能、手段、または命令をさらに含み得、再送信されるパケットは、ターゲット基地局のデータ圧縮機能に従って圧縮されているデータを備える。
【００４９】
[0049]本明細書で説明する方法、装置、または非一時的コンピュータ可読媒体のいくつかの例では、ステータス報告によって識別された少なくとも１つのパケットを再送信することは、少なくとも１つのパケットの中の非圧縮データを再送信することを備え、ここで、ハンドオーバメッセージは、ターゲット基地局がデータ圧縮ルーチンをサポートしないという表示を備える。
【００５０】
[0050]本明細書で説明する方法、装置、または非一時的コンピュータ可読媒体のいくつかの例では、ステータス報告は、順序付けられたデータパケット列の中の連続した最新のパケットを識別する。
【００５１】
[0051]本明細書で説明する方法、装置、または非一時的コンピュータ可読媒体のいくつかの例は、ステータス報告によって識別された連続した最新のパケットの後のパケットを、ターゲット基地局へ再送信するためのプロセス、機能、手段、または命令をさらに含み得る。
【００５２】
[0052]本明細書で説明する方法、装置、または非一時的コンピュータ可読媒体のいくつかの例では、パケットをソース基地局へ送信することは、ソース基地局から受信されたダウンリンクパケット列の中のパケットごとに確認応答を送信することを備え、受信ダウンリンクパケット列は、データ圧縮ルーチンに従って圧縮されているデータを備える。
【００５３】
[0053]本明細書で説明する方法、装置、または非一時的コンピュータ可読媒体のいくつかの例は、ステータス報告をターゲット基地局へ送信するためのプロセス、機能、手段、または命令をさらに含み得、ステータス報告は、受信ダウンリンクデータパケット列の中の少なくとも１つのギャップを示す。
【００５４】
[0054]本明細書で説明する方法、装置、または非一時的コンピュータ可読媒体のいくつかの例では、ターゲット基地局から送信を受信することは、ステータス報告によって識別された１つまたは複数の再送信パケットを受信することを備え、再送信パケットは、ターゲット基地局によってデータ圧縮ルーチンに従って圧縮されているデータを備える。
【００５５】
[0055]上記は、以下の発明を実施するための形態がより良く理解され得るように、本開示による例の特徴および技術的利点をかなり広く概説した。追加の特徴および利点が以下で説明される。開示する概念および具体例は、本開示の同じ目的を実行するための他の構造を修正または設計するための基礎として容易に利用され得る。そのような等価な構成は、添付の特許請求の範囲から逸脱しない。本明細書で開示する概念の特性、それらの編成と動作方法の両方は、関連する利点とともに、添付の図に関して以下の説明を検討するとより良く理解されよう。図の各々は、例示および説明のみのために与えられ、特許請求の範囲の限定の定義として与えられるものではない。
【００５６】
[0056]本発明の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、説明は、第２の参照ラベルにかかわらず、同じ第１の参照ラベルを有する同様の構成要素のうちのいずれにも適用可能である。
【図面の簡単な説明】
【００５７】
【図１】[0057]本開示の様々な態様によるワイヤレス通信システムのブロック図。
【図２Ａ】[0058]本開示の様々な態様による、ハンドオーバに続いてソース基地局のデータ圧縮をターゲット基地局において行うためのワイヤレス通信システムの一例を示す図。
【図２Ｂ】[0059]本開示の様々な態様による、接続確立手順を通じてデータ圧縮を容易にするためのワイヤレス通信システムの一例を示す図。
【図３Ａ】[0060]本開示の様々な態様による、ハンドオーバに続いてターゲット基地局におけるデータ圧縮を容易にするためのワイヤレス通信システムの一例を示す図。
【図３Ｂ】本開示の様々な態様による、ハンドオーバに続いてターゲット基地局におけるデータ圧縮を容易にするためのワイヤレス通信システムの一例を示す図。
【図３Ｃ】本開示の様々な態様による、ハンドオーバに続いてターゲット基地局におけるデータ圧縮を容易にするためのワイヤレス通信システムの一例を示す図。
【図４】[0061]本開示の様々な態様による、ハンドオーバのために制御情報をターゲット基地局へ送信するためのワイヤレス通信システムの一例を示す図。
【図５Ａ】[0062]本開示の様々な態様による、ハンドオーバに続いてターゲット基地局におけるデータ圧縮を容易にするためのワイヤレス通信システムの一例を示す図。
【図５Ｂ】本開示の様々な態様による、ハンドオーバに続いてターゲット基地局におけるデータ圧縮を容易にするためのワイヤレス通信システムの一例を示す図。
【図５Ｃ】本開示の様々な態様による、ハンドオーバに続いてターゲット基地局におけるデータ圧縮を容易にするためのワイヤレス通信システムの一例を示す図。
【図６】[0063]本開示の様々な態様による、接続確立手順を通じてデータ圧縮を容易にするためのワイヤレス通信システムの一例を示す図。
【図７】[0064]本開示の様々な態様による、接続確立手順を通じてデータ圧縮を容易にするためのプロセスフローの一例を示す図。
【図８】[0065]本開示の様々な態様による、ワイヤレス通信における使用のために構成されたデバイスのブロック図。
【図９】[0066]本開示の様々な態様による、ワイヤレス通信における使用のために構成されたデバイスのブロック図。
【図１０】[0067]本開示の様々な態様によるワイヤレス通信システムのブロック図。
【図１１】[0068]本開示の様々な態様による、ワイヤレス通信における使用のための装置のブロック図。
【図１２】[0069]本開示の様々な態様による、ワイヤレス通信における使用のための装置のブロック図。
【図１３】[0070]本開示の様々な態様による、ワイヤレス通信における使用のための基地局（たとえば、ｅＮＢの一部または全部を形成する基地局）のブロック図。
【図１４】[0071]本開示の様々な態様による多入力／多出力通信システムのブロック図。
【図１５】[0072]本開示の様々な態様による、ハンドオーバに続いて基地局におけるデータ圧縮を容易にするための方法の例を示すフローチャート。
【図１６】本開示の様々な態様による、ハンドオーバに続いて基地局におけるデータ圧縮を容易にするための方法の例を示すフローチャート。
【図１７】本開示の様々な態様による、ハンドオーバに続いて基地局におけるデータ圧縮を容易にするための方法の例を示すフローチャート。
【図１８】本開示の様々な態様による、ハンドオーバに続いて基地局におけるデータ圧縮を容易にするための方法の例を示すフローチャート。
【図１９】[0073]本開示の様々な態様による、接続確立手順を通じてデータ圧縮を容易にするための方法の例を示すフローチャート。
【図２０】本開示の様々な態様による、接続確立手順を通じてデータ圧縮を容易にするための方法の例を示すフローチャート。
【図２１】本開示の様々な態様による、接続確立手順を通じてデータ圧縮を容易にするための方法の例を示すフローチャート。
【図２２】本開示の様々な態様による、接続確立手順を通じてデータ圧縮を容易にするための方法の例を示すフローチャート。
【発明を実施するための形態】
【００５８】
[0074]本開示は、ハンドオーバおよび無線リンク障害操作に適用されるデータ圧縮技法を通じて、ワイヤレス通信システムにおけるネットワークスループットと、性能と、効率とを高めることに関する。ＵＥおよびソース基地局は、互いの間で送信されるパケットに対してデータ圧縮を使用して通信し得、そのことは、ＵＥとソース基地局との間の発展型データ圧縮方式（ｅＤＣＳ）のためのデータ圧縮バッファをそれらが記憶することを含み得る。ソース基地局からターゲット基地局へのＵＥのハンドオーバが行われることが決定され得る。
【００５９】
[0075]ソース基地局は、ターゲット基地局のデータ圧縮機能を決定し得、ターゲット基地局のデータ圧縮機能に基づいて、コンテキスト情報をターゲット基地局へ送信し得る。例として、コンテキスト情報は、ＵＥによって送信されるＰＤＣＰパケット列の中のパケットデータコンバージェンス（convergence）プロトコル（ＰＤＣＰ）パケットと、パケット列の受信パケットの中の１つまたは複数のギャップについての情報とを含み得る。コンテキスト情報はまた、ＵＥから受信された確認応答の列の中の１つまたは複数のギャップについての情報を含み得、１つまたは複数のギャップは、ＵＥにおけるデータパケット列の受信におけるギャップを示す。コンテキスト情報はまた、ターゲット基地局がソース基地局のデータ圧縮技法を実行するための機能を有するとき、データ圧縮バッファ情報を含み得る。いくつかの例では、コンテキスト情報は、非静的バッファと呼ばれることがあるｅＤＣＳバッファ、もしくは静的バッファ、または両方を含む。
【００６０】
[0076]ターゲット基地局へのハンドオーバとターゲット基地局のデータ圧縮機能とを示すハンドオーバコマンドがＵＥへ送信され得、いくつかの例では、そうしたハンドオーバコマンドは、ターゲット基地局のデータ圧縮機能の表示を含み得る。いくつかの例では、ハンドオーバコマンドがターゲット基地局のデータ圧縮機能を示さないことがあり、ＵＥおよびターゲット基地局は、ソース基地局またはＵＥからターゲット基地局に提供される圧縮コンテキストに基づいて通信し得るとともにデータ圧縮が継続されてよいと決定し得る。
【００６１】
[0077]基地局がＵＥのためにハンドオーバを開始すると、ターゲット基地局およびＵＥは、データ圧縮バッファを再確立することに関連する遅延を低減し得、したがって、より効率的なターゲット基地局との通信をより迅速に行う。このことは、データ伝送の中断を低減することによって、エンドユーザにおけるハンドオーバの影響を軽減し得る。たとえば、ＵＥが遅延敏感な通信に関与している場合、サービス品質（ＱｏＳ）規格がハンドオーバ遅延によって影響を受けることがあり、本開示で説明する技法は拡張型ＱｏＳをＵＥに提供し得る。
【００６２】
[0078]いくつかの例では、ソース基地局は、データ圧縮コンテキストの代わりに制御情報をターゲット基地局へ送信し得る。制御情報は、圧縮コンテキストのリセットに続いてＵＥによって再送信されるべきパケットを示し得る。いくつかの例では、データ圧縮コンテキストは、再送信パケットと、後続の送信パケットとに基づいて更新されてよく、あるいは再送信パケットと、初期送信の間にＵＥによって圧縮されておらず再送信される必要がない、ギャップの後の１つまたは複数のパケットとに基づいて更新され得るされ得る。いくつかの例では、ソース基地局は、制御情報を送信しないことがあり、ＵＥは、パケットデータプロトコルコンバージェンス（ＰＤＣＰ）廃棄タイマーが満了しておらず受信機によって確認応答されていないすべてのパケットを再送信し得る。
【００６３】
[0079]いくつかの例では、複数の無線リソース制御（ＲＲＣ）接続セットアップにわたってデータ圧縮バッファを維持することは、相異なる基地局におけるＲＲＣ接続を含み得る効率的なデータ圧縮性能を維持する助けとなり得る。したがって、そのことは、ターゲットがＵＥとのＲＲＣ接続を確立するときに、ターゲット基地局がソース基地局からデータ圧縮コンテキスト情報を取り出すための圧縮性能を支援し得る。すなわち、圧縮性能は、アイドルモードモビリティ手順に続いてＵＥに対してバッファが維持されているときに支援され得る。
【００６４】
[0080]たとえば、データ圧縮方式を利用してソース基地局と通信するＵＥは、データ圧縮方式に関連するコンテキスト識別子を受信し得る。アイドルモードへ遷移し、次いで、ターゲット基地局にキャンプオン（camp on）しそれを再選択した後、ＵＥは、コンテキスト識別子をターゲットへ送信し得る。ターゲット基地局は、データ圧縮コンテキスト情報をソース基地局に要求するためにコンテキスト識別子を使用し得、データ圧縮コンテキスト情報は、ターゲット基地局に伝達され得、その後、ＵＥと通信するためにターゲット基地局によって使用され得る。言い換えれば、バッファは、アイドルモードモビリティ手順に関連する複数のＲＲＣ接続セットアップにわたって維持され得、ＵＥおよびターゲット基地局は、ＵＥおよびソース基地局と同じデータ圧縮方式を使用して、同じデータ圧縮コンテキスト情報に従って通信し得る。データ圧縮のためにそのような技法を採用するワイヤレス通信システムは、増加したシステム容量（たとえば、より広い帯域幅および増加した数のユーザを収容することによる）、より高速なデータ交換（たとえば、より迅速なウェブページダウンロード）、改善された呼セットアップ（たとえば、呼セットアップ中にハンドオーバが行われ得るときのセルエッジシナリオの間）、およびＵＥ送信電力の利点に遭遇し得る。
【００６５】
[0081]以下の説明は例を与えるものであり、特許請求の範囲に記載される範囲、適用可能性、または例を限定するものではない。本開示の範囲から逸脱することなく、説明される要素の機能および構成に変更が加えられ得る。様々な例は、適宜に、様々な手順または構成要素を、省略、置換、または追加し得る。たとえば、説明される方法は、説明される順序と異なる順序で実行されてよく、様々なステップが追加され、省略され、または組み合わせられてよい。また、いくつかの例に関して説明される特徴は、他の例において組み合わせられてよい。
【００６６】
[0082]図１は、本開示の様々な態様によるワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを提供し得る。いくつかの例では、コアネットワーク１３０はまた、ワイヤレス通信システム１００とともに利用されるデータ圧縮方式（たとえば、ｅＤＣＳ）の態様を管理しまたは活動化させ得る。基地局１０５は、バックホール（backhaul）リンク１３２（たとえば、Ｓ１など）を通じてコアネットワーク１３０とインターフェースし、ＵＥ１１５との通信のための無線構成およびスケジューリング実行し得、または基地局コントローラ（図示せず）の制御下で動作し得る。様々な例では、基地局１０５は、ワイヤードまたはワイヤレスの通信リンクであり得るバックホールリンク１３４（たとえば、Ｘ１など）を介して、直接的または間接的に（たとえば、コアネットワーク１３０を通じて）互いに通信し得る。
【００６７】
[0083]基地局１０５は、１つまたは複数の基地局アンテナを介してＵＥ１１５とワイヤレス通信し得る。基地局１０５のサイトの各々は、それぞれの地理的カバレージエリア１１０に通信カバレージを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、またはいくつかの他の適切な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局および／またはスモールセル基地局）を含み得る。異なる技術のための重複する地理的カバレージエリア１１０があり得る。
【００６８】
[0084]ＵＥ１１５がカバレージエリアの間で移動し得る事例では、ＵＥ１１５をサービスする基地局１０５（すなわち、ソース基地局）は、隣接基地局１０５（すなわち、ターゲット基地局）との通信をＵＥ１１５が始めることを可能にするために、ハンドオーバ手順を実行し得る。そのようなハンドオーバ手順は、ワイヤレス通信システム１００内のＵＥ１１５にモビリティを提供するように確立された技法に従って実行され得る。他の事例では、ＵＥ１１５は、アイドルモードであってよく、基地局１０５間で移行し得る。このことは、ＵＥ１１５がターゲットまたは宛先基地局１０５にキャンプオンしそれを再選択することを伴い得、ＵＥ１１５は、新たなＲＲＣ接続をターゲットまたは宛先基地局１０５とともに確立する（たとえば、ＲＲＣ接続を「セットアップする」）。場合によっては、再選択はまた、無線リンク障害（ＲＬＦ）の後に行われ得る。
【００６９】
[0085]本開示の様々な例によれば、ソース基地局１０５は、ＵＥ１１５との通信を確立し得、たとえば、通信のためのデータレートを高めるために、ｅＤＣＳ技法を開始し得る。そのようなｅＤＣＳ技法は、１つまたは複数のデータ圧縮アルゴリズムによるデータ圧縮を含み得る。他のｅＤＣＳ技法は、連続した送信パケットに対して文字列照合を使用するデータ圧縮を含み得る。いくつかの例では、そのようなパケットを圧縮および復元するために、ｅＤＣＳコンテキスト情報が使用され得る。そのようなｅＤＣＳコンテキストは、たとえば、送信パケットごとに更新されパケットの圧縮および復元のために使用される文字列照合についての情報を含むデータ圧縮バッファを含み得る。
【００７０】
[0086]ＵＥ１１５は、１つまたは複数のデータパケットを基地局１０５へ送信する前に、そのデータパケットを圧縮し得、基地局１０５は、圧縮パケットを受信し得、パケットを復元し得、データパケットに対してさらなる様々な動作を実行し得る。同様に、基地局１０５は、１つまたは複数のデータパケットをＵＥ１１５へ送信する前に、そのデータパケットを圧縮し得、ＵＥ１１５は、圧縮パケットを受信し得、パケットを復元し得、データパケットに対してさらなる様々な動作を実行し得る。そのようなパケットを確実に圧縮および復元するために、ＵＥ１１５と基地局１０５の両方は、同じデータ圧縮ルーチンに従って動作し得る。さらに、そのようなデータ圧縮ルーチンは、より多くのデータが処理されるにつれて、より効率的になり得る。したがって、「コールドスタート（cold start）」から開始するデータ圧縮ルーチンは、「ウォームスタート（warm start）」から開始する同じデータ圧縮ルーチンと比較して、同じレベルの圧縮を達成するのにより多くの時間がかかり得る。
【００７１】
[0087]ウォームスタート−  すなわち、ハンドオーバに後続する通信が圧縮データを使用するシナリオ−  は、データ圧縮のためにデータ圧縮ルーチンによって使用され得る情報を含むデータ圧縮バッファへのアクセスを提供することによって行われ得る。本開示の様々な態様によれば、ＵＥ１１５のハンドオーバのための技法は、ハンドオーバの前に使用されていたようなデータ圧縮技法の、ハンドオーバの後の継続された使用を可能にし得る。さらに、いくつかの例では、ウォームスタートは、基地局およびＵＥによって以前に使用されていた圧縮バッファの使用を通じて、無線リンク障害に続いて、または相異なる無線リソース制御（ＲＲＣ）接続にわたって達成され得る。
【００７２】
[0088]いくつかの例では、ワイヤレス通信システム１００は、ＬＴＥ／ＬＴＥ−Ａネットワークである。ＬＴＥ／ＬＴＥ−Ａネットワークにおいて、発展型ノードＢ（ｅＮＢ）という用語は、概して、基地局１０５を表すために使用され得、ＵＥという用語は、概して、ＵＥ１１５を表すために使用され得る。ワイヤレス通信システム１００、ならびにワイヤレス通信システム１００内の基地局１０５およびＵＥ１１５は、ｅＤＣＳを利用して通信するように構成され得る。たとえば、基地局１０５とＵＥ１１５の両方は、以下で説明するようにｅＤＣＳバッファを装備し得る。ワイヤレス通信システム１００は、異なるタイプのｅＮＢが様々な地理的領域にカバレージを提供する異種ＬＴＥ／ＬＴＥ−Ａネットワークであり得る。たとえば、各ｅＮＢまたは基地局１０５は、マクロセル、スモールセル、および／または他のタイプのセルに通信カバレージを提供し得る。「セル」という用語は、コンテキストに応じて、基地局、基地局に関連するキャリアもしくはコンポーネントキャリア、またはキャリアもしくは基地局のカバレージエリア（たとえば、セクタなど）を表すために使用され得る３ＧＰＰ（登録商標）用語である。
【００７３】
[0089]マクロセルは、概して、比較的大きい地理的エリア（たとえば、半径数キロメートル）をカバーし、ネットワークプロバイダのサービスに加入しているＵＥによる無制限アクセスを可能にし得る基地局であり得る。スモールセルは、マクロセルと比較されるとき、マクロセルと同じまたは異なる（たとえば、認可、無認可など）周波数帯域において動作し得る低電力基地局である。スモールセルは、様々な例によれば、ピコセルと、フェムトセルと、マイクロセルとを含み得る。ピコセルは、比較的小さい地理的エリアをカバーし得、ネットワークプロバイダのサービスに加入しているＵＥによる無制限アクセスを可能にし得る。フェムトセルも、比較的小さい地理的エリア（たとえば、自宅）をカバーし得、フェムトセルとの関連付けを有するＵＥ（たとえば、限定加入者グループ（ＣＳＧ：closed subscriber group）の中のＵＥ、自宅の中のユーザ向けのＵＥなど）による制限付きアクセスを提供し得る。マクロセル用のｅＮＢは、マクロｅＮＢと呼ばれることがある。スモールセル用のｅＮＢは、スモールセルｅＮＢ、ピコｅＮＢ、フェムトｅＮＢ、またはホームｅＮＢと呼ばれることがある。ｅＮＢは、１つまたは複数（たとえば、２つ、３つ、４つなど）のセル（たとえば、コンポーネントキャリア）をサポートし得る。
【００７４】
[0090]ワイヤレス通信システム１００は、同期動作または非同期動作をサポートし得る。同期動作の場合、基地局は、類似のフレームタイミングを有し得、異なる基地局からの送信は、ほぼ時間整合され得る。非同期動作の場合、基地局は、異なるフレームタイミングを有し得、異なる基地局からの送信は、時間整合されないことがある。本明細書で説明する技法は、同期動作または非同期動作のいずれかのために使用され得る。
【００７５】
[0091]開示する様々な例のうちのいくつかに対応し得る通信ネットワークは、階層化されたプロトコルスタックに従って動作するパケットベースのネットワークであり得る。ユーザプレーンでは、ベアラまたはパケットデータコンバージェンスプロトコル（ＰＤＣＰ）層における通信は、ＩＰベースであり得る。無線リンク制御（ＲＬＣ）層は、論理チャネルを介して通信するために、パケットのセグメント化と再アセンブリとを実行し得る。いくつかの例では、データ圧縮技法は、ＰＤＣＰ層からのデータパケットが圧縮されＲＬＣ層に提供され得るように、ＰＤＣＰ層とＲＬＣ層との間に実装され得る。媒体アクセス制御（ＭＡＣ）層は、優先度処理と、トランスポートチャネルへの論理チャネルの多重化とを実行し得る。ＭＡＣ層はまた、ＭＡＣ層における再送信を行ってリンク効率を改善するために、ハイブリッドＡＲＱ（ＨＡＲＱ）を使用し得る。制御プレーンでは、無線リソース制御（ＲＲＣ）プロトコル層は、ユーザプレーンデータのために無線ベアラをサポートする、ＵＥ１１５と基地局１０５またはコアネットワーク１３０との間のＲＲＣ接続の確立と、構成と、保守とを行い得る。物理（ＰＨＹ）層において、トランスポートチャネルは、物理チャネルにマッピングされ得る。
【００７６】
[0092]ＵＥ１１５は、ワイヤレス通信システム１００全体にわたって分散されてよく、各ＵＥ１１５は、固定式または移動式であってよい。ＵＥ１１５はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含み得るか、あるいは当業者によってそのように呼ばれることがある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することができる場合がある。
【００７７】
[0093]ワイヤレス通信システム１００に示す通信リンク１２５は、ＵＥ１１５から基地局１０５へのアップリンク（ＵＬ）送信、または基地局１０５からＵＥ１１５へのダウンリンク（ＤＬ）送信を含み得る。ダウンリンク送信は、順方向リンク送信と呼ばれることもあり、アップリンク送信は、逆方向リンク送信と呼ばれることもある。各通信リンク１２５は、１つまたは複数のキャリアを含み得、ここで、各キャリアは、上記で説明した様々な無線技術に従って変調された複数のサブキャリア（たとえば、異なる周波数の波形信号）から構成された信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、ＦＤＤ動作（たとえば、対スペクトルリソースを使用する）またはＴＤＤ動作（たとえば、不対スペクトルリソースを使用する）を使用して双方向通信を送信し得る。ＦＤＤ用のフレーム構造（たとえば、フレーム構造タイプ１）およびＴＤＤ用のフレーム構造（たとえば、フレーム構造タイプ２）が定義され得る。
【００７８】
[0094]場合によっては、ＵＥ１１５は、無線リンクが失敗したと決定し得、ＲＬＦ手順を開始し得る。たとえば、再送信の最大数に達しているというＲＬＣ表示時に、最大数の同期外れ表示の受信時に、またはランダムアクセスチャネル（ＲＡＣＨ）手順中の無線障害時に、ＲＬＦ手順がトリガされ得る。場合によっては（たとえば、同期外れ表示にとっての限度に達した後）、ＵＥ１１５は、タイマーを起動し得、しきい値数の同期中表示が受信されるかどうかを決定するために待機し得る。タイマーの満了の前に同期中表示の数がしきい値を上回る場合、ＵＥ１１５は、ＲＬＦ手順を中止し得る。そうでない場合、ＵＥ１１５は、ネットワークへのアクセスを回復するためにＲＡＣＨ手順を実行し得る。ＲＡＣＨ手順は、Ｃ−ＲＮＴＩと、セル識別（ＩＤ）と、セキュリティ検証情報と、再確立の原因とを含む、ＲＲＣ接続再確立要求を送信することを含み得る。要求を受信した基地局１０５は、ＲＲＣ接続再確立メッセージまたはＲＲＣ接続再確立拒絶のいずれかを用いて応答し得る。ＲＲＣ接続再確立メッセージは、ＵＥ１１５用のシグナリング無線ベアラ（ＳＲＢ）を確立するためのパラメータ、ならびにセキュリティ鍵を生成するための情報を含み得る。ＵＥ１１５は、ＲＲＣ接続確立メッセージを受信すると、新たなＳＲＢ構成を実施し得、ＲＲＣ接続再確立完了メッセージを基地局１０５へ送信し得る。
【００７９】
[0095]いくつかの例では、ＲＲＣ接続確立または再確立の一部として（たとえば、モビリティ手順またはＲＬＦに続いて）、ＵＥ１１５は、基地局１０５におけるデータ圧縮のサポートを要求し得る。このことは、ＵＥ１１５が以前にデータ圧縮方式を利用して通信していたソース基地局１０５からの、データ圧縮コンテキスト情報の移転を要求することを含み得る。ターゲット基地局１０５は、そのデータ圧縮機能、ならびにコンテキスト情報をソース基地局１０５から取り出すためのその能力をシグナリングし得る。
【００８０】
[0096]ワイヤレス通信システム１００のいくつかの実施形態では、基地局１０５および／またはＵＥ１１５は、アンテナダイバーシティ方式を採用して基地局１０５とＵＥ１１５との間の通信品質と信頼性とを改善するための、複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００８１】
[0097]ワイヤレス通信システム１００は、複数のセルまたはキャリアでの動作、すなわち、キャリアアグリゲーション（ＣＡ）またはマルチキャリア動作と呼ばれることがある機能をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書で互換的に使用され得る。ＵＥ１１５は、キャリアアグリゲーションのために、複数のダウンリンクＣＣおよび１つまたは複数のアップリンクＣＣを用いて構成され得る。キャリアアグリゲーションは、ＦＤＤコンポーネントキャリアとＴＤＤコンポーネントキャリアの両方とともに使用され得る。
【００８２】
[0098]本開示によれば、基地局１０５は、特定のＵＥ１１５にとってハンドオーバが適切であると決定し得、ハンドオーバ手順を開始し得る。基地局１０５は、たとえば、ＵＥ１１５がカバレージエリア１１０から退出する可能性があること、または別の基地局１０５がより良好なサービスをＵＥ１１５に提供できる場合があることを決定し得る。いくつかの例では、ハンドオーバは、ＵＥ１１５によって開始され得る。場合によっては、ハンドオーバは、ＵＥ１１５によって開始され得る。いくつかの例では、ハンドオーバの前と後の両方でＵＥ１１５がデータ圧縮技法を使用し続けることを可能にするために、ハンドオーバ手順の一部としてデータ圧縮（ｅＤＣＳ）バッファが提供され得る。
【００８３】
[0099]さらに、ＵＥ１１５および基地局１０５は、データ圧縮バッファを同期させるために、コンテキストチェックポイントを利用し得る。ターゲット基地局１０５は、そのようにコンテキストチェックポイント識別子を利用してそのデータ圧縮機能を示し得る。ＵＥ１１５は、データ圧縮バッファを同期させるためのその能力（たとえば、特定のコンテキストチェックポイントへの「ロールバック」（rollback））をシグナリングし得る。ＵＥ１１５および基地局１０５は、データ圧縮バッファを特定のチェックポイントに同期させることができないとき、それらのバッファを知られている初期化ポイントにリセット（たとえば、バッファポピュレーション（the buffer population)）を再開）し得る。ＵＥ１１５は、いくつかの例では、いくつかのコンテキストチェックポイントを維持し得る。このことは、必要に応じてＵＥ１１５がロールバックすることを可能にするためのより早いチェックポイントと、現在のデータ圧縮バッファコンテキストに対応するチェックポイントとを、ＵＥ１１５がキャッシュすることを含み得る。特定のデータ圧縮コンテキストにロールバックするための、またはデータ圧縮コンテキストをリセットするためのこの能力は、フレキシブルなデータ圧縮バッファ管理を提供し得、アイドルモードモビリティ手順を含むモビリティ手順を通じた連続性データ圧縮方式をサポートし得る。しかしながら、説明する技法は、確立されたＲＲＣ接続内でも適用され得る。たとえば、（たとえば、Ｔ３１０タイマーの満了時に）ソース基地局１０５を短時間離調するかまたは瞬間的に接続を失うＵＥ１１５は、以前にシグナリングするチェックポイントにロールバックすることによって、データ圧縮コンテキストを再同期させ得る。
【００８４】
[0100]図２Ａは、本開示の様々な態様による、ハンドオーバに続いてターゲット基地局において継続され得るデータ圧縮がソース基地局において実行されることをもたらすためのワイヤレス通信システム２００の一例を示す。ワイヤレス通信システム２００は、図１を参照しながら上記で説明したＵＥ１１５の一例であり得る、ＵＥ１１５−ａを含み得る。ワイヤレス通信システム２００はまた、図１を参照しながら上記で説明した基地局１０５の例であり得る、基地局１０５−ａと基地局１０５−ｂとを含み得る。
【００８５】
[0101]ワイヤレス通信システム２００は、ソース基地局１０５−ａからターゲット基地局１０５−ｂへのハンドオーバの一例を示す。たとえば、ＵＥ１１５−ａは、基地局１０５−ａのカバレージエリア１１０−ａから基地局１０５−ｂのカバレージエリア１１０−ｂに移動し得る。ハンドオーバはまた、たとえば、基地局１０５−ｂがより良好なサービスをＵＥ１１５−ａに提供することができる場合に、またはネットワーク負荷もしくはセル間干渉の軽減に関係する理由のために開始され得る。ワイヤレス通信システム２００は、ソース基地局１０５−ａがＵＥ１１５−ａ用のワイヤレス通信リンク１２５−ａを介して圧縮データパケットを通信する一例を示す。
【００８６】
[0102]セル間ハンドオーバの前に、ソース基地局１０５−ａは、ＵＥ１１５−ａとソース基地局１０５−ａとの間の通信を（たとえば、ｅＤＣＳなどのデータ圧縮技法を使用することによって）強化するために、データ圧縮手順を使用するようにＵＥ１１５−ａを構成し得る。ソース基地局１０５−ａは、隣接基地局１０５−ｂのデータ圧縮機能を決定し得、ワイヤレス通信システム２００の他の基地局１０５（図示せず）のデータ圧縮機能も決定し得る。
【００８７】
[0103]アップリンクの場合では、ソース基地局１０５−ａからターゲット基地局１０５−ｂにハンドオーバすると、ＵＥ１１５−ａは、圧縮されワイヤレス通信リンク１２５−ａを使用してソース基地局１０５−ａへ送信されたパケット列の中の最後のパケットを用いて、そのＰＤＣＰバッファを更新し得る。ソース基地局１０５−ａは、送信を受信および復元し、復元されたデータパケットをソース基地局１０５−ａのＰＤＣＰバッファの中に配置し得る。ＵＥ１１５−ａによって送信された各パケットは、受信時の適切な順序でソース基地局１０５−ａが受信データパケットを配置することを可能にするＰＤＣＰシーケンス番号（ＳＮ）を含み得る。ソース基地局１０５−ａにおいて受信されたＰＤＣＰ  ＳＮの列の中にホール（ギャップと呼ばれるような）がある場合、ターゲット基地局１０５−ｂへのＵＥのハンドオーバは、ＲＬＣリセットをもたらし得、ＲＬＣリセットは、上位層およびコアネットワーク（たとえば、図１のコアネットワーク１３０）への、連続したすべての受信パケットの配送をトリガし得る。連続したＰＤＣＰパケットがＵＥにおいてｅＤＣＳルーチンに従って圧縮されている場合、適切な復元は同期されたｅＤＣＳバッファに依拠するので、ターゲット基地局１０５−ｂがデータパケットを復元できないことがある。受信ＰＤＣＰパケット列の中のホールすなわちギャップが存在する事例では、ギャップの後の受信パケットをソース基地局１０５−ａによってターゲット基地局１０５−ｂに転送することは、ターゲット基地局１０５−ｂの中のｅＤＣＳバッファが同期されていないので有用でないことがある。
【００８８】
[0104]ＵＥ１１５−ａがターゲット基地局１０５−ｂにハンドオーバされるとき、ＵＥ１１５−ａは、圧縮パケットをワイヤレス通信リンク１２５−ｂを介してターゲット基地局１０５−ｂへ送信し続け得る。いくつかの例では、ソース基地局１０５−ａは、ハンドオーバによりＲＬＣリセットが起こるとき、受信されたＰＤＣＰ  ＳＮにおけるギャップのホールを扱い得る。いくつかの例では、ターゲット基地局１０５−ｂは、ソース基地局１０５−ａと同期し得、圧縮パケットをＵＥ１１５−ａから受信し続けるためにＵＥ１１５−ａと同期し得、たとえば、ソース基地局１０５−ａとターゲット基地局１０５−ｂとの間のバックホールリンク１３４−ａ（たとえば、Ｘ２リンク）などを介して、ＰＤＣＰのホールの再ポピュレーションを実行し得る。ＵＥ１１５−ａは、いくつかの例では、パケットをターゲット基地局１０５−ｂへワイヤレス通信リンク１２５−ｂを介して送り始めてよい。いくつかの例では、ターゲット基地局１０５−ｂがソース基地局１０５−ａと同じｅＤＣＳルーチンをサポートする場合、ＵＥ１１５−ａに通知され得、ＵＥ１１５−ａはｅＤＣＳ動作を継続し得る。ターゲット基地局１０５−ｂがソース基地局１０５−ａと同じｅＤＣＳルーチンをサポートしない場合、ＵＥ１１５−ａに通知され得、ＵＥ１１５−ａは、ｅＤＣＳを無効化し得、たとえば、ＵＥ１１５−ａは、非圧縮送信をターゲット基地局１０５−ｂへ送り得る。
【００８９】
[0105]いくつかの例では、ソース基地局１０５−ａは、ターゲット基地局１０５−ｂへ制御情報を送信し得るがデータ圧縮コンテキストを送信しないことがある。制御情報は、たとえば、圧縮コンテキストのリセットに続いてＵＥ１１５−ａによって再送信されるべきパケットを示し得る。いくつかの例では、データ圧縮コンテキストは、再送信パケットおよび後続の送信パケットのみに基づいて更新され得る。他の例では、データ圧縮コンテキストは、再送信パケットと、初期送信の間にＵＥ１１５−ａによって圧縮されておらず再送信される必要がない、ギャップの後の１つまたは複数のパケットとに基づいて更新され得る。いくつかの例では、ソース基地局１０５−ａは、制御情報を送信しないことがあり、ＵＥ１１５−ａは、パケットデータプロトコルコンバージェンス（ＰＤＣＰ）廃棄タイマーが満了しておらず受信機によって確認応答されていないすべてのパケットを再送信する。
【００９０】
[0106]ダウンリンクの場合では、ＵＥ１１５−ａは、ワイヤレス通信リンク１２５−ａを使用してソース基地局１０５−ａから受信され復元されたパケット列の中の最後のパケットを用いて、そのＰＤＣＰバッファを更新し得る。ソース基地局１０５−ａによって送信された各パケットは、含まれているＰＤＣＰ  ＳＮに基づいて適切に順序付けられ得る。ソース基地局１０５−ａにおけるＰＤＣＰバッファは、ソース基地局１０５−ａからＵＥ１１５−ａへ送信された最後のパケットに基づいて更新され得、ＵＥ１１５−ａにおけるＰＤＣＰバッファは、ＵＥ１１５−ａにおいて受信され復元された最後のパケットに基づき得る。上記で説明したように、ＵＥ１１５−ａにおける受信ＰＤＣＰパケットの中にギャップがある場合、ハンドオーバは、ＲＬＣリセットを引き起こし得、ＲＬＣリセットは、ＵＥ１１５−ａにおける上位層への、連続したすべての受信パケットの配送をトリガし得る。
【００９１】
[0107]連続したＰＤＣＰパケットが圧縮パケットである場合、ソース基地局１０５−ａとＵＥ１１５−ａとの間でデータ圧縮バッファが同期されていない限り、それらは復元され得ない。動作中、ソース基地局１０５−ａおよびＵＥ１１５−ａは、それらのそれぞれの圧縮バッファを頻繁に更新し得、同期が維持され得る。ＵＥ１１５−ａは、パケットを受信すると、パケットが首尾よく受信されていることを示すための確認応答（ＡＣＫ）をソース基地局１０５−ａへ送信し得る。タイマーの満了時に特定のパケットに対してソース基地局１０５−ａがＵＥ１１５−ａからＡＣＫを受信しない場合、ソース基地局１０５−ａは、そのパケットを再送信し得る。確認応答されたパケットの中のギャップがハンドオーバ動作時に存在する場合、ターゲット基地局１０５−ｂの圧縮バッファは、ＵＥ１１５−ａの圧縮バッファと同期されないことがあり、ターゲット基地局１０５−ｂは、送信用に使用するための圧縮コンテキストと圧縮バッファとを有しないので、圧縮パケットを送ることができないことがある。ソース基地局１０５−ａの確認応答されなかったパケットは、バックホールリンク１３４−ａ（たとえば、Ｘ２リンク）を介してターゲット基地局１０５−ｂに提供され得、いくつかの例では、圧縮コンテキスト情報も、バックホールリンク１３４−ａを介してターゲット基地局１０５−ｂに提供され得る。
【００９２】
[0108]ソース基地局１０５−ａは、たとえば、確認応答されたＰＤＣＰパケットの中の最初のギャップに関連するＰＤＣＰパケットと、パケットが確認応答されているかどうかにかかわらず最初のギャップの後の各パケットとを送信し得る。ハンドオーバ時に、ＵＥ１１５−ａは、受信パケットの中の任意のギャップの表示を含み得るステータス情報を（たとえば、ステータスプロトコルデータ単位（ＰＤＵ）の中で）送信し得る。いくつかの例では、ターゲット基地局１０５−ｂは、ＵＥ１１５−ａからのステータス情報の中で識別された最初のギャップよりも遅いＰＤＣＰ  ＳＮを有するパケットを送信し始めてよく、その場合、ＵＥ１１５−ａは、より早い任意のギャップを廃棄し得、処理のために受信パケットをＰＤＣＰ層に転送し得る（そのことは、任意の欠落ＰＤＣＰ  ＳＮを求める再送信要求をもたらし得る）。
【００９３】
[0109]ＵＥ１１５−ａがターゲット基地局１０５−ｂにハンドオーバされるとき、ターゲット基地局１０５−ｂは、圧縮パケットをワイヤレス通信リンク１２５−ｂを介してＵＥ１１５−ａへ送信し続けてよく、確認応答されなかった１つまたは複数のパケットを、ソース基地局１０５−ａにおいて使用される圧縮による圧縮パケットとして再送信してよい。いくつかの例では、ターゲット基地局１０５−ｂは、ソース基地局１０５−ａと同期し得、圧縮パケットをＵＥ１１５−ａへ送信し続けるためにＵＥ１１５−ａと同期し得、確認応答されなかったパケットの再送信を通じてＰＤＣＰのホールすなわちギャップの再ポピュレーションを実行し得る。いくつかの例では、ターゲット基地局１０５−ｂがソース基地局１０５−ａと同じｅＤＣＳルーチンをサポートする場合、ＵＥ１１５−ａに通知され得、ＵＥ１１５−ａはｅＤＣＳ動作を継続し得る。ターゲット基地局１０５−ｂがソース基地局１０５−ａと同じｅＤＣＳルーチンをサポートしない場合、ＵＥ１１５−ａに通知され得、ＵＥ１１５−ａは、ｅＤＣＳを無効化し得、ターゲット基地局１０５−ｂは、確認応答されなかった最初のパケットを後続のすべてのパケットと一緒に、非圧縮パケットとして、またはターゲット基地局１０５−ｂによってサポートされるｅＤＣＳルーチンに従って再送信し得る。
【００９４】
[0110]いくつかの例では、複数のＲＲＣ接続セットアップにわたってデータ圧縮バッファを維持することは、相異なる基地局におけるＲＲＣ接続を含み得る効率的なデータ圧縮性能を維持する助けとなり得る。したがって、そのことは、ターゲットがＵＥとのＲＲＣ接続を確立するときに、ターゲット基地局がソース基地局からデータ圧縮コンテキスト情報を取り出すための圧縮性能を支援し得る。
【００９５】
[0111]図２Ｂは、本開示の様々な態様による、接続確立手順を通じてデータ圧縮を容易にするためのワイヤレス通信システム２０２の一例を示す。ワイヤレス通信システム２０２は、図１および図２Ａを参照しながら上記で説明したＵＥ１１５の一例であり得る、ＵＥ１１５−ｂを含み得る。ワイヤレス通信システム２０２はまた、図１および図２Ａを参照しながら上記で説明した基地局１０５の例であり得るとともにカバレージエリア１１０を有し得る、基地局１０５−ｃと、基地局１０５−ｄと、基地局１０５−ｅとを含み得る。ＵＥ１１５−ｂは、通信リンク１２５を介して基地局１０５と通信し得る。
【００９６】
[0112]いくつかの例では、ＵＥ１１５−ｂは、ｅＤＣＳなどのデータ圧縮方式を利用して、基地局１０５−ｃと通信していることがある。データ圧縮方式の一部として、特定のチェックポイントが作成され得、圧縮器（たとえば、基地局１０５−ｃ）から復元器（たとえば、ＵＥ１１５−ｂ）へ通信され得る。これらのチェックポイントは、データ圧縮バッファの「スナップショット」−  たとえば、時間的な特定の段階における特定の構成−  を表し得る。いくつかの例では、チェックポイントは、特定の時間におけるデータ圧縮コンテキスト情報を表す。これらのチェックポイントは更新され得、もっと早いチェックポイント−  たとえば、もっと早いコンテキスト情報を表すチェックポイント−  は、必要に応じて圧縮器または復元器（たとえば、基地局１０５−ｃまたはＵＥ１１５−ｂ）によって周期的に廃棄され得る。たとえば、基地局１０５−ｃは、いくつかのＵＥ１１５のためのチェックポイントを維持し得、限定されたデータ記憶領域の問題に対処するために「古くなった」チェックポイントを廃棄し得る。
【００９７】
[0113]以下で説明するように、ＵＥ１１５−ｂは、データ圧縮バッファをターゲット基地局１０５と同期させるために、これらのチェックポイントを使用し得る。すなわち、ターゲット基地局がチェックポイントに対応するデータ圧縮コンテキスト情報を受信したとＵＥ１１５−ｂが決定すると、ＵＥ１１５−ｂは、チェックポイント識別子によって示されたバージョンにバッファを「ロールバック」し得る。いくつかの例では、ＵＥ１１５−ｂは、圧縮プロセスの一部として使用されるハッシュテーブルを、チェックポイントに基づいて再生成し得る。ＵＥ１１５−ｂは、同様に他の同期機能を得るためにチェックポイントに依拠し得る。
【００９８】
[0114]図２Ｂに示すように、ＵＥ１１５−ｂは、通信リンク１２５−ｃを介して基地局１０５−ｃと通信していることがあり、ＵＥ１１５−ｂは、基地局１０５−ｃからコンテキスト識別子を受信し得る。コンテキスト識別子は、セル識別番号などの、基地局１０５−ｃについての情報を提供し得る。いくつかの例では、コンテキスト識別子はまた、基地局１０５−ｃにおけるデータ圧縮コンテキスト情報についての情報を提供する。たとえば、コンテキスト識別子は、基地局１０５−ｃのバッファの中で維持されるコンテキスト情報のチェックポイントに対応し得る。
【００９９】
[0115]ＵＥ１１５−ｂは、基地局１０５−ｃと通信しながらアイドルモードに遷移し得る。ＵＥ１１５−ｂは、モビリティ手順を実行し得、基地局１０５−ｄとの接続を確立し得る。たとえば、ＵＥ１１５−ｂは、基地局１０５−ｄにキャンプオンしそれを再選択し得、ＵＥ１１５−ｂは、通信リンク１２５−ｄを介して基地局１０５−ｄと通信し得る。このモビリティ手順は、いくつかの例では、アイドルモードハンドオーバと呼ばれることがある。場合によっては、基地局１０５−ｄとＵＥ１１５−ｂとの間で制御情報だけが交換され得る。
【０１００】
[0116]ＵＥ１１５−ｂは、セル再選択などのモビリティ手順を基地局１０５−ｅとともに実行し得る。ＵＥ１１５−ｂは、基地局１０５−ｃから受信されたコンテキスト識別子を基地局１０５−ｅへ送信し得る。このことは、ＵＥ１１５−ｂが基地局１０５−ｅと関連付けるか、または基地局１０５−ｅとのその接続をセットアップするときに行われ得る。基地局１０５−ｅは、ＵＥ１１５−ｂに対して記憶されているデータ圧縮コンテキスト情報を有するソース基地局１０５を決定するために、コンテキスト情報を使用し得る。たとえば、基地局１０５−ｅは、ＵＥ１１５−ｂが以前にデータ圧縮方式を利用して基地局１０５−ｃと通信していたと決定し得、基地局１０５−ｅは、データ圧縮コンテキスト情報を基地局１０５−ｃに要求し得る。この要求は、Ｘ２インターフェースなどのバックホールリンク１３４（図１に示すように）を介してよい。
【０１０１】
[0117]場合によっては、基地局１０５−ｃは、要求されたコンテキスト情報を基地局１０５−ｅに提供し得、または基地局１０５−ｃは、要求されたコンテキスト情報が利用不可能であることを示すメッセージを提供し得る。データ圧縮コンテキスト情報は、チェックポイントもしくはチェックポイント識別子、または両方を含み得る。基地局１０５−ｅがデータ圧縮コンテキスト情報もしくはチェックポイントまたは両方を受信した場合、基地局１０５−ｅは、チェックポイント識別子を含み得るそのデータ圧縮機能の表示をＵＥ１１５−ｂへ送り得る。場合によっては、データ圧縮機能の表示はまた、静的バッファの内容またはコンテキストの表示を含む。他の例では、データ圧縮機能の表示は、基地局１０５−ｅはｅＤＣＳが可能であるが、別の基地局との以前のｅＤＣＳセッションのコンテキストが利用不可能であるという表示を提供する。ＵＥ１１５−ｂは、データ圧縮機能の表示（たとえば、チェックポイント識別子）を基地局１０５−ｅから受信すると、データ圧縮機能と、データ圧縮方式の連続性が基地局１０５−ｅにおいてサポートされるかどうかとを、そのように学習し得る。
【０１０２】
[0118]基地局１０５−ｅがデータ圧縮コンテキスト情報を別の基地局１０５から取り出すことができるシナリオでは、基地局１０５−ｅがチェックポイント識別子をＵＥ１１５−ｂに提供すると、ＵＥ１１５−ｂは、データ圧縮コンテキスト情報を基地局１０５−ｅと同期させるためにチェックポイント識別子を利用し得る。基地局１０５−ｅがデータ圧縮コンテキスト情報を取り出すことができない場合、またはそれ以外の場合にＵＥ１１５−ｂがコンテキスト情報を基地局１０５−ｅと同期させることができない場合、ＵＥ１１５−ｂおよび基地局１０５−ｅはそれぞれ、データ圧縮コンテキスト情報をリセットし得、データ圧縮バッファをリフレッシュし得、データ圧縮がサポートされる新たな通信セッションを開始し得る。
【０１０３】
[0119]いくつかの例では、ＵＥ１１５−ｂは、基地局１０５との接続の間で迅速に移動する。たとえば、ＵＥ１１５−ｂは、基地局１０５のカバレージエリア１１０を通って移動している車内にある場合がある。ＵＥ１１５−ｂは、ＵＥ１１５−ｂが接続を確立する各基地局１０５にそのようにコンテキスト識別子を提供しないことがある。むしろ、いくつかの例では、ターゲット基地局１０５−ｅにコンテキスト情報を取り出させるために、イベントをトリガすることが、ＵＥ１１５−ｂにコンテキスト識別子をターゲット基地局１０５へ送信させ得る。または、いくつかの例では、システム２０２のネットワーク構成が、ターゲット基地局１０５がＵＥ１１５−ｂ用のコンテキスト情報を取り出すことをトリガし得る。
【０１０４】
[0120]基地局１０５はシステム２０２内の他の基地局１０５のうちの多数または全部にコンテキスト情報を要求し得るので、場合によっては、ＵＥ１１５−ｂが通信する各基地局１０５にコンテキスト情報が伝達される必要がない。たとえば、このことは、データ圧縮コンテキスト情報を単に移動させるためにシステム２０２との接続セットアップの数を不必要に増大させることがある。ＵＥ１１５−ｂは、そのようにコンテキスト情報の取出しを機会主義的に（opportunistically）要求し得、これにより、必要に応じて様々な基地局１０５においてデータ圧縮バッファが更新されることが可能になり得る。しかしながら、このことは、たとえば、ＵＥ１１５−ｂが以前に関連付けられていた基地局１０５からＵＥ１１５−ｂが移動していないときでも、ＵＥ１１５−ｂに各ＲＲＣ接続確立とのデータ圧縮コンテキスト情報を調べさせることがある。場合によっては、ＵＥ１１５−ｂはまた、既存のＲＲＣ接続に対してｅＤＣＳが採用されるかどうかを検査する必要があり得る。
【０１０５】
[0121]コンテキスト情報の取出しを管理するために、様々なトリガリングイベントが使用され得る。たとえば、ＵＥ１１５−ｂは、ＵＥ１１５−ｂにおける受信されたページまたはモバイル発信（ＭＯ）メッセージなどの現実のトラフィックに基づいて、データ圧縮コンテキスト情報の取出しを要求（たとえば、コンテキスト識別子を送信）し得る。他の例では、ＵＥ１１５−ｂによって学習されるかまたは知られている情報が使用され得る−  たとえば、ＵＥ１１５−ｂが、通常、長い持続時間にわたって所与の基地局１０５にキャンプオンする場合、ＵＥ１１５−ｂは、述語ページまたはＭＯメッセージを用いずにコンテキスト情報の取出しを要求し得る。他の例では、ＵＥ１１５−ｂのためのネットワーク加入が、コンテキスト情報の取出しを管理またはトリガし得る。たとえば、ＵＥ１１５−ｂのユーザは、システム２０２内のｅＤＣＳのために手数料を支払うことがあり、その場合、ＵＥ１１５−ｂは、ＵＥ１１５−ｂが接続する基地局１０５ごとにコンテキスト識別子（たとえば、コンテキスト情報取出し要求）を送信し得る。
【０１０６】
[0122]いくつかの例では、システム２０２の事業者は、基地局１０５においてコンテキスト情報を維持するための時間制限を強いることがある。したがって、ＵＥ１１５−ｂがいくらかのしきい値時間期間にわたってアイドルのままでありネットワークタイマーが満了する場合、コンテキスト情報は、後続の要求にとって利用不可能であり得る。しかし、いくつかの例では、基地局１０５がデータ圧縮可能である限り、ＵＥ１１５−ｂは、以下で説明するように、ＵＥ固有でなくてよい静的なコンテキスト情報を参照することが可能であり得る。言い換えれば、コンテキスト情報は、静的部分と非静的部分とを含み得る。
【０１０７】
[0123]非静的部分は、特定のＵＥの使用またはネットワークアクセスに関係し得る。たとえば、ＵＥがアクセスするウェブサイトに関連するデータは、バッファの非静的部分の中に保持されてよい。対照的に、静的なコンテキスト情報は、ＵＥ固有でなくてよいが、いくつかのＵＥにより広く適用可能である情報に関連し得る。たとえば、静的なコンテキスト情報は、特定のセル内で頻繁にアクセスされるデータ（たとえば、セルの近傍にあるビジネス向けのウェブサイトまたはデータベース）に関連し得る。静的なコンテキスト情報は、そのようにＵＥ固有のデータよりもセル固有のデータに関連し得る。
【０１０８】
[0124]図３Ａは、本開示の様々な態様による、ハンドオーバに続いてターゲット基地局１０５−ｇにおけるアップリンクデータ圧縮を容易にするためのワイヤレス通信システム３００の一例を示す。ワイヤレス通信システム３００は、図１、図２Ａ、または図２Ｂのうちの１つまたは複数を参照しながら上記で説明したＵＥ１１５の一例であり得る、ＵＥ１１５−ｃを含み得る。ワイヤレス通信システム３００はまた、図１、図２Ａ、または図２Ｂのうちの１つまたは複数を参照しながら上記で説明した基地局１０５の例であり得る、ソース基地局１０５−ｆとターゲット基地局１０５−ｇとを含み得る。
【０１０９】
[0125]ワイヤレス通信システム３００は、ソース基地局１０５−ｆからターゲット基地局１０５−ｇへのハンドオーバの一例を示す。たとえば、ＵＥ１１５−ｃは、ソース基地局１０５−ｆのカバレージエリアからターゲット基地局１０５−ｇのカバレージエリアに移動し得る。上記で説明したものと同様に、ハンドオーバはまた、たとえば、基地局１０５−ｇがより良好なサービスをＵＥ１１５−ｃに提供することができる場合に、またはネットワーク負荷もしくはセル間干渉の軽減に関係する理由のために開始され得る。ワイヤレス通信システム３００は、基地局１０５−ｆがＵＥ１１５−ｃとのワイヤレス通信リンク１２５−ｆを介して圧縮データパケットを使用して通信する一例を示す。
【０１１０】
[0126]セル間ハンドオーバの前に、ソース基地局１０５−ｆは、ＵＥ１１５−ｃとソース基地局１０５−ｆとの間の通信を（たとえば、データ圧縮技法を使用することによって）強化するために、データ圧縮手順を使用するようにＵＥ１１５−ｃを構成し得る。ＵＥ１１５−ｃ内では、データパケットがＰＤＣＰバッファ３０５において受信されｅＤＣＳバッファ３１０の中に伝達され、いくつかの例では、ｅＤＣＳバッファ３１０は静的ｅＤＣＳバッファ３１５を含み得る。ＰＤＣＰバッファ３０５のデータパケット（ｐ〜ｐ＋ｎ＋１）がｅＤＣＳバッファ３１５の中に伝達されるとき、パケットは、ソース基地局１０５−ｆによって構成されている圧縮方式に従って圧縮され得る。いくつかの例では、述べたように、たとえば、特定のデータソースに関連するデータパケットの圧縮のために使用され得る静的ｅＤＣＳバッファ３１５が設けられ得る。たとえば、静的ｅＤＣＳバッファ３１５は、特定のスポーツウェブサイトまたはニュースウェブサイトからのデータパケット用の圧縮情報を提供し得、ＵＥ１１５−ｃのユーザがそのようなウェブサイトにアクセスするとき、データ圧縮ルーチンは、圧縮のために静的ｅＤＣＳバッファ３１５の中の情報を直ちに使用し得る。データパケットは、次いで、ワイヤレス通信リンク１２５−ｆを介したソース基地局１０５−ｆへの送信のために、ｅＤＣＳバッファ３１０、３１５からＲＬＣバッファ３２０に移動する。
【０１１１】
[0127]ソース基地局１０５−ｆ内では、データパケットが、ワイヤレス通信リンク１２５−ｆを介して基地局ＲＬＣバッファ３２５の中に受信され得る。ＲＬＣバッファ３２５から、データパケットが、復元のためにｅＤＣＳバッファ３３５および／または静的ｅＤＣＳバッファ３３５に提供され、次いで、ＰＤＣＰバッファ３４０の中に配置される。ソース基地局１０５−ｆは、ＰＤＣＰバッファの中のパケットのＰＤＣＰ  ＳＮを分析し得、ＰＣＤＰシーケンスの中の任意のギャップが存在するかどうかを決定し得る。図３Ａの例では、ＰＤＣＰバッファ３４０の中に受信されたパケットの中の２つのギャップ３４２が、パケットｐにおいて、またパケットｐ＋ｎにおいて存在する。そのようなギャップ３４２は、たとえば、干渉または劣悪なチャネル状態などの１つまたは複数の様々な要因の結果であり得る。ソース基地局１０５−ｆは、ＵＥ１１５−ｃとの通信の通常過程では、ソース基地局１０５−ｆにおいて受信されたＰＤＣＰバッファ３４０のパケット列の中のギャップ３４２に対応する任意のパケットの再送信を要求し得る。ＵＥ１１５−ｃは、再送信パケットに対して、ＵＥ  ｅＤＣＳバッファ３１０とＵＥ静的ｅＤＣＳバッファ３１５とを使用して同じ圧縮技法を実行し得る。
【０１１２】
[0128]ターゲット基地局１０５−ｇへのハンドオーバが発生した場合、ＵＥ１１５−ｃは、ソース基地局１０５−ｆとの通信を中止し得、通信リンク１２５−ｇを介したターゲット基地局１０５−ｇとの通信を開始し得る。ターゲット基地局１０５−ｇは、ソース基地局１０５−ｆと同じデータ圧縮機能を有することがあり、ソース基地局１０５−ｆと異なるデータ圧縮機能を有することがあり、またはＵＥ１１５−ｃに対してデータ圧縮をまったくサポートしないことがある。図３Ａの例では、ターゲット基地局１０５−ｇは、データ圧縮をサポートし得、データパケットがワイヤレス通信リンク１２５−ｇから復号され得るとともにＲＬＣバッファ３４５の中に移動され得るという点で、ソース基地局１０５−ｆと類似のアーキテクチャを有し得る。ＲＬＣバッファ３４５からのデータパケットは、ｅＤＣＳバッファ３５０および／または静的ｅＤＣＳバッファ３５５に移動され得、復元され得、次いで、ＰＤＣＰバッファ３６０に移動され得る。
【０１１３】
[0129]上述のように、基地局間ハンドオーバにおいていくつかの異なるシナリオが存在し得る。１つの可能性は、ＵＥ１１５−ｃがＲＲＣ接続済みモードであり、ソース基地局１０５−ｆとの通信においてデータ圧縮技法を使用しており、ハンドオーバが、圧縮ができない、したがってデータ圧縮技法が可能でない基地局１０５−ｇへのものであり得ることである。いくつかの例では、ＵＥ１１５−ｃは、シグナリング無線ベアラ（ＳＲＢ）ＲＲＣ送信を通じてデータ圧縮互換性を示し得る。ターゲット基地局１０５−ｇがそのようなデータ圧縮をサポートしない場合、ターゲット基地局１０５−ｇはＵＥ１１５−ｄをデータ圧縮用に構成せず、ＵＥ１１５−ｃは非圧縮データパケットを送信し得る。ターゲット基地局１０５−ｇがソース基地局１０５−ｆと同じ圧縮技法をサポートする場合、いくつかの例では、ソース基地局１０５−ｆは、ＵＥ１１５−ｃのデータ圧縮機能についての情報を転送し得、データ圧縮用のコンテキストもターゲット基地局１０５−ｇに転送し得る。ハンドオーバに続いてＵＥ１１５−ｃから受信されるパケットを復元するために、データ圧縮用のコンテキストがターゲット基地局１０５−ｇによって使用され得る。ＵＥ１１５−ｃはまた、そのような状況では、ターゲット基地局１０５−ｇがソース基地局１０５−ｆと同じ圧縮をサポートするというシグナリングを受信し得、ＵＥ１１５−ｃは、ターゲット基地局が同じ圧縮ができるものと想定し得、ソース基地局１０５−ｆとの以前の圧縮構成によりデータを送ることおよび受信することを始めてよい。
【０１１４】
[0130]いくつかの例では、ソース基地局１０５−ｆは、ＵＥ１１５−ｃのデータ圧縮機能をターゲット基地局１０５−ｇに提供しないことがある。そのような状況では、ターゲット基地局１０５−ｇは、ＵＥ１１５−ｃとの接続をセットアップし得、ＵＥ１１５−ｃのデータ圧縮機能を決定するための新たな機能手順をトリガする。この手順は、以前の圧縮器状態をＵＥ１１５−ｃがリセットするためのトリガとして働き得る。そのような状況では、ＵＥ１１５−ｃは、以前に圧縮されバッファリングされたパケットを復元し得、ターゲット基地局１０５−ｇから受信された新たな圧縮構成に従ってパケットを再圧縮し得る。ターゲット基地局１０５−ｇがデータ圧縮をサポートしない例では、このことは、（たとえば、ハンドオーバメッセージを通じて、またはＲＲＣ接続が確立されるときにＵＥに提供される隣接基地局に関する情報の中で）ソース基地局１０５−ｆによってＵＥ１１５−ｃにシグナリングされ得る。いくつかの例では、ターゲット基地局１０５−ｇがデータ圧縮をサポートしないという表示は、ハンドオーバ時にシグナリングされ得、ターゲット基地局１０５−ｇは、データ圧縮がサポートされないことがそこから決定され得るステータスメッセージをＵＥ１１５−ｃへ送信し得る。ターゲット基地局１０５−ｇがデータ圧縮をサポートしないことが決定されるとき、ＵＥ１１５−ｃは、ＲＬＣバッファ３２０の中のいかなるパケットもフラッシュ（flush）してよく、ｅＤＣＳバッファ３１０もフラッシュしてよい。ＵＥ１１５−ｃはまた、データ圧縮アルゴリズムを無効化してよく、ターゲット基地局１０５−ｇからのステータスメッセージの中の最初のＰＤＣＰ  ＳＮの前のＰＤＣＰパケットを除去してよく、残りのＰＤＣＰパケットをターゲット基地局１０５−ｇへ再送信してよい。
【０１１５】
[0131]またさらなる例では、ターゲット基地局１０５−ｇが、データ圧縮技法をサポートし得るがソース基地局１０５−ｆと同じデータ圧縮技法をサポートしないことがある。そのような例では、ターゲット基地局１０５−ｇは、ＵＥ１１５−ｃのハンドオーバ時に、新たな機能手順をトリガし得る。このことは、以前の圧縮器状態をＵＥ１１５−ｄがリセットするためのトリガとして働き得る。以前に圧縮されバッファリングされたパケットは、そのような状況では、次いで、復元され得、ターゲット基地局１０５−ｇによって提供される新たな圧縮構成により圧縮され得る。
【０１１６】
[0132]いくつかの例では、ＵＥ１１５−ｃは、無線リンク障害（ＲＬＦ）に遭遇することがある。たとえば、劣悪なチャネル状態、または同期の損失などの物理レイヤ関連の問題に起因して、そのようなことが起こり得る。いくつかの例では、そのようなＲＬＦに続いてデータ圧縮が維持され得る。ＲＬＦに続いて、ＵＥ１１５−ｃは、ＲＲＣ接続を再確立しようと試み得る。ＵＥ１１５−ｃは、同じ基地局１０５（たとえば、ソース基地局１０５−ｆ）とのＲＲＣ接続を再確立しようと試みてよい。そのような場合、ＵＥ１１５−ｃは、既存のデータ圧縮コンテキストを使用してよく、パケットの受信の確認応答が受信されなかった時点からの、圧縮パケットの送信を再開してよい。いくつかの例では、ＵＥ１１５−ｃは、異なる基地局１０５（たとえば、ターゲット基地局１０５−ｇ）とのＲＲＣ接続を再確立しようと試みてもよい。そのような場合、ターゲット基地局１０５−ｇは、ターゲット基地局１０５−ｇのデータ圧縮機能を含み得る構成情報を提供し得る。提供されたデータ圧縮機能がＲＬＦの前にＵＥ１１５−ｃが使用していたデータ圧縮に一致する場合、ＵＥ１１５−ｃは、ＲＬＦの前からのデータ圧縮コンテキストを使用して圧縮パケットを送信し得る。いくつかの例では、ターゲット基地局１０５−ｇが前のデータ圧縮コンテキスト（たとえば、ｅＤＣＳバッファ３３０）をソース基地局１０５−ｆから取り出すことができるとき、このことが行われ得る。データ圧縮コンテキストの取出しを容易にするために、いくつかの例では、ＵＥ１１５−ｃは、ターゲット基地局１０５−ｇがこの情報を取得すべき場所を決定することができるように、ソース基地局１０５−ｆについての情報を提供し得る。ターゲット基地局１０５−ｇのデータ圧縮機能がＲＬＦの前に使用されていたデータ圧縮に一致しない場合、ＵＥ１１５−ｃは、データ圧縮コンテキストのリセットを要求し得、その既存のバッファをフラッシュし得、新規のデータ圧縮手順を開始し得る。
【０１１７】
[0133]さらなる例では、ＲＬＦに続いてＲＲＣ再確立を伴う場合と同様に、ＵＥ１１５−ｃは、別個のＲＲＣ接続にわたってデータ圧縮ルーチンを継続し得る。そのような例では、データ圧縮は、「ウォーム」状態から始められてよく、データ圧縮ルーチンに関連する圧縮をコールド状態から開始することに比べて、そのようにより効率的な通信を提供し得る。いくつかの例では、アクティブデータの呼出し中、ＵＥ１１５−ｃおよび基地局１０５は、既存のデータ圧縮コンテキストをバックアップするように周期的にピア（peer）に要求し得る。いくつかの例では、そのようなバックアップ要求は、拡張されたｅＤＣＳプロトコルデータ単位（ＰＤＵ）ヘッダを介して実行され得、ｅＤＣＳ  ＰＤＵヘッダの巡回冗長検査（ＣＲＣ）が、コンテキストＩＤとして使用され得る。新たなＲＲＣ接続時に、基地局１０５は、データ圧縮構成要求の一部としてコンテキストＩＤを送信し得る。ＵＥ１１５−ｃは、バックアップされた同じコンテキストＩＤを有する場合、その構成を受け入れ、圧縮のために既存のｅＤＣＳバッファ３１０を使用する。基地局１０５のコンテキストＩＤがＵＥ１１５−ｃのコンテキストＩＤに一致しない場合、ＵＥ１１５−ｃは、基地局１０５の構成を拒絶してよく、したがって、新規のデータ圧縮ルーチンを始めるように基地局１０５をトリガしてよい。
【０１１８】
[0134]上記で説明したように、いくつかの例では、データ圧縮コンテキストは、アップリンクデータ圧縮を容易にするための基地局間ハンドオーバの一部として、ターゲット基地局１０５に転送され得る。図３Ｂは、本開示の様々な態様による、ハンドオーバのためにデータ圧縮コンテキスト情報をターゲット基地局１０５−ｉへ送信するためのワイヤレス通信システム３０１の一例を示す。ワイヤレス通信システム３０１は、図１〜図３Ａのうちの１つまたは複数を参照しながら上記で説明したＵＥ１１５の一例であり得る、ＵＥ１１５−ｄを含み得る。ワイヤレス通信システム３０１はまた、図１〜図３Ａのうちの１つまたは複数を参照しながら上記で説明した基地局１０５の例であり得る、ソース基地局１０５−ｈとターゲット基地局１０５−ｉとを含み得る。
【０１１９】
[0135]図３Ａに関して説明したものと同様に、セル間ハンドオーバの前に、ソース基地局１０５−ｈは、ＵＥ１１５−ｄとソース基地局１０５−ｈとの間の通信を（たとえば、データ圧縮技法を使用することによって）強化するために、データ圧縮手順を使用するようにＵＥ１１５−ｄを構成し得る。ＵＥ１１５−ｄ内では、データパケットがＰＤＣＰバッファ３０５−ａにおいて受信されｅＤＣＳバッファ３１０−ａの中に伝達され、いくつかの例では、ｅＤＣＳバッファ３１０−ａは静的ｅＤＣＳバッファ３１５−ａを含み得る。ＰＤＣＰバッファ３０５−ａのデータパケット（ｐ〜ｐ＋ｎ＋１）がｅＤＣＳバッファ３１０−ａの中に伝達されるとき、パケットは、ソース基地局１０５−ｈによって構成されている圧縮方式に従って圧縮され得る。いくつかの例では、述べたように、たとえば、特定のデータソースに関連するデータパケットの圧縮のために使用され得る静的ｅＤＣＳバッファ３１５−ａが設けられ得る。データパケットは、次いで、ワイヤレス通信リンク１２５−ｈを介したソース基地局１０５−ｈへの送信のために、ｅＤＣＳバッファ３１０−ａおよび静的ｅＤＣＳバッファ３１５−ａからＲＬＣバッファ３２０−ａに移動する。
【０１２０】
[0136]ソース基地局１０５−ｈ内では、データパケットが、ワイヤレス通信リンク１２５−ｈを介して基地局ＲＬＣバッファ３２５−ａの中に受信され得る。ＲＬＣバッファ３２５−ａから、データパケットが、復元のためにｅＤＣＳバッファ３３０−ａおよび／または静的ｅＤＣＳバッファ３３５−ａに提供され、次いで、ＰＤＣＰバッファ３４０−ａの中に配置される。ソース基地局１０５−ｈは、ＰＤＣＰバッファの中のパケットのＰＤＣＰ  ＳＮを分析し得、ＰＣＤＰシーケンスの中の任意のギャップが存在するかどうかを決定し得る。図３Ｂの例では、ＰＤＣＰバッファ３４０−ａの中に受信されたパケットの中の２つのギャップ３４２−ａが、パケットｐにおいて、またパケットｐ＋ｎにおいて存在する。
【０１２１】
[0137]ターゲット基地局１０５−ｉへのハンドオーバが発生した場合、ＵＥ１１５−ｄは、ソース基地局１０５−ｈとの通信を中止し得、通信リンク１２５−ｉを介したターゲット基地局１０５−ｉとの通信を開始し得る。この例では、ターゲット基地局１０５−ｉは、ソース基地局１０５−ｈと同じデータ圧縮機能を有し得、データパケットがワイヤレス通信リンク１２５−ｉから復号され得るとともにＲＬＣバッファ３４５−ａの中に移動され得、ｅＤＣＳバッファ３５０−ａおよび／または静的ｅＤＣＳバッファ３５５−ａの中に移動され得、復元され得、次いで、ＰＤＣＰバッファ３６０−ａに移動され得るという点で、ソース基地局１０５−ｈと類似のアーキテクチャを有し得る。
【０１２２】
[0138]図３Ｂの例では、ソース基地局１０５−ｈは、最初のホールの後の受信ＰＤＣＰパケット（すなわち、パケットｐ＋１〜ｐ＋ｎ−１）をターゲット基地局１０５−ｉに転送し得る。そのような通信は、たとえば、各基地局１０５のＸ２インターフェースを通じて行われてよい。さらに、ソース基地局１０５−ｈは、３６５において示すように、ｅＤＣＳバッファ３３０−ａの内容をターゲット基地局１０５−ｉに転送し得る。そのような通信も、たとえば、Ｘ２インターフェースを通じて行われてよい。ｅＤＣＳバッファ３３０−ａの内容は、ターゲット基地局１０５−ｉのｅＤＣＳバッファ３５０−ａの中に配置され得、ＰＤＣＰバッファ３４０−ａの中のパケット列の中のギャップ３４２−ａによって識別されるパケットを、ターゲット基地局１０５−ｉが復元することを可能にし得る。ターゲット基地局１０５−ｉは、欠落ＰＤＣＰパケットを要求するＵＥ１１５−ｄへステータスＰＤＵを送信し得、ＵＥ１１５−ｄは、パケットを送信するために当初使用されたものと同じ圧縮を使用して、欠落パケットを再送信し得、ＵＥ１１５−ｄは、新たなパケットの圧縮のために同じｅＤＣＳバッファ３１０−ａを使用し続け得る。ソース基地局１０５−ｈは、リセットを用いずにｅＤＣＳコンテキストを使用し続けるべきときをＵＥ１１５−ｄが知るように、ｅＤＣＳ圧縮バッファ３３０−ａがターゲット基地局１０５−ｉにいつ転送されるのかをＵＥ１１５−ｄに示し得る。
【０１２３】
[0139]次に図３Ｃを参照すると、本開示の様々な態様による、ハンドオーバに続いてアップリンク送信を容易にするために、復元のために再送信パケットをソース基地局１０５−ｊに提供するためのワイヤレス通信システム３０２を示す一例が提供される。いくつかの例では、上記で説明したように、ソース基地局１０５−ｊおよびターゲット基地局１０５−ｋは同じデータ圧縮ルーチンをサポートしないことがあり、いくつかの例では、ターゲット基地局１０５−ｋはデータ圧縮をまったくサポートしないことがある。図３Ｃの例では、受信パケット列の中のギャップに起因して再送信されるパケットは、既存のデータ圧縮コンテキストを使用してターゲット基地局１０５−ｋへ再送信され続け得る。
【０１２４】
[0140]図１〜図３Ｂに関して上記で説明したものと同様に、ワイヤレス通信システム３０２は、図１〜図３Ｂのうちの１つまたは複数を参照しながら上記で説明したＵＥ１１５の一例であり得る、ＵＥ１１５−ｅを含み得る。ワイヤレス通信システム３０２はまた、図１〜図３Ｂのうちの１つまたは複数を参照しながら上記で説明した基地局１０５の例であり得る、ソース基地局１０５−ｊとターゲット基地局１０５−ｋとを含み得る。
【０１２５】
[0141]上記で説明したものと同様に、セル間ハンドオーバの前に、ソース基地局１０５−ｊは、ＵＥ１１５−ｅとソース基地局１０５−ｊとの間の通信を（たとえば、データ圧縮技法を使用することによって）強化するために、データ圧縮手順を使用するようにＵＥ１１５−ｅを構成し得る。ＵＥ１１５−ｅ内では、データパケットがＰＤＣＰバッファ３０５−ｂにおいて受信されｅＤＣＳバッファ３１０−ｂの中に伝達され、いくつかの例では、ｅＤＣＳバッファ３１０−ｂは、静的ｅＤＣＳバッファ３１５−ｂを含み得る。ＰＤＣＰバッファ３０５−ｂのデータパケット（ｐ〜ｐ＋ｎ＋１）がｅＤＣＳバッファ３１０−ｂの中に伝達されるとき、パケットは、ソース基地局１０５−ｊによって構成されている圧縮方式に従って圧縮され得る。いくつかの例では、述べたように、たとえば、特定のデータソースに関連するデータパケットの圧縮のために使用され得る静的ｅＤＣＳバッファ３１５−ｂが設けられ得る。データパケットは、次いで、ワイヤレス通信リンク１２５−ｊを介したソース基地局１０５−ｊへの送信のために、ｅＤＣＳバッファ３１０−ｂおよび静的ｅＤＣＳバッファ３１５−ｂからＲＬＣバッファ３２０−ｂに移動する。
【０１２６】
[0142]ソース基地局１０５−ｊ内では、データパケットは、ワイヤレス通信リンク１２５−ｊを介して基地局ＲＬＣバッファ３２５−ｂの中に受信され得る。ＲＬＣバッファ３２５−ｂから、データパケットが、復元のためにｅＤＣＳバッファ３３０−ｂおよび／または静的ｅＤＣＳバッファ３３５−ｂに提供され、次いで、ＰＤＣＰバッファ３４０−ｂの中に配置される。ソース基地局１０５−ｊは、ＰＤＣＰバッファの中のパケットのＰＤＣＰ  ＳＮを分析し得、ＰＣＤＰシーケンスの中の任意のギャップが存在するかどうかを決定し得る。図３Ｃの例では、ＰＤＣＰバッファ３４０−ｂの中に受信されたパケットの中の２つのギャップ３４２−ｂが、パケットｐにおいて、またパケットｐ＋ｎにおいて存在する。
【０１２７】
[0143]ターゲット基地局１０５−ｋへのハンドオーバが発生した場合、ＵＥ１１５−ｅは、ソース基地局１０５−ｊとの通信を中止し得、通信リンク１２５−ｋを介したターゲット基地局１０５−ｋとの通信を開始し得る。この例では、ターゲット基地局１０５−ｋは、ソース基地局１０５−ｊと同じデータ圧縮機能と互換性がないことがある。ターゲット基地局１０５−ｋは、データパケットがワイヤレス通信リンク１２５−ｋから復号され得るとともにＲＬＣバッファ３４５−ｂの中に移動され得、ｅＤＣＳバッファ３５０−ｂおよび／または静的ｅＤＣＳバッファ３５５−ｂの中に移動され得、復元され得、次いで、ＰＤＣＰバッファ３６０−ｂに移動され得るという点で、ソース基地局１０５−ｊと類似のアーキテクチャを有し得る。
【０１２８】
[0144]図３Ｃの例では、ソース基地局１０５−ｊは、欠落ＰＤＣＰパケット（たとえば、ギャップ５４２−ｂ）と、順に受信されている最後のパケットのＰＤＣＰ  ＳＮとを示す制御メッセージ３７０を、ターゲット基地局１０５−ｋへ送信し得る。ターゲット基地局１０５−ｋは、ステータスＰＤＵをＵＥ１１５−ｅへ送信し得、圧縮ＰＤＣＰパケットのための再送信を要求し得る。ＵＥ１１５−ｅは、要求されたパケットをターゲット基地局１０５−ｋへ送信し得る。述べたように、ターゲット基地局１０５−ｋは、ソース基地局１０５−ｊと同じデータ圧縮をサポートしないことがあり、ターゲット基地局１０５−ｋは、たとえば、Ｘ２インターフェースを介した通信３７５において、受信された圧縮再送信パケットをソース基地局１０５−ｊに転送し得る。ソース基地局１０５−ｊは、受信ＰＤＣＰパケットに対して復元を実行し得、ＩＰパケットをコアネットワークの中に直接転送し得る。ターゲット基地局１０５−ｋがいくつかのデータ圧縮機能を有する例では、ソース基地局１０５−ｊにおいて受信された最後のシーケンス番号よりも大きいシーケンス番号を有するパケットのための、ターゲット基地局１０５−ｋとの通信のために、新たなｅＤＣＳコンテキストが使用され得る。いくつかの例では、このことは、ターゲット基地局１０５−ｋを通じて送られたパケットを有するソース基地局１０５−ｊにおいて、すでに圧縮パケット／ホールが再ポピュレートされることと並行して、実行することができる。
【０１２９】
[0145]上記で説明したように、いくつかの例では、データ圧縮コンテキストは、基地局間ハンドオーバに続いてアップリンクを容易にすることの一部としてターゲット基地局１０５に転送されないことがある。代わりに、ハンドオーバに続いて再送信され得るパケットを示し得る制御情報が、ターゲット基地局１０５に転送され得る。図４は、本開示の様々な態様による、ハンドオーバのために制御情報をターゲット基地局１０５−ｍへ送信するためのワイヤレス通信システム４００の一例を示す。ワイヤレス通信システム４００は、図１〜図３Ｃに関して上記で説明したように、ＵＥ１１５−ｆと、ソース基地局１０５−ｌと、ターゲット基地局１０５−ｍとを含み得る。
【０１３０】
[0146]図３Ａに関して説明したものと同様に、セル間ハンドオーバの前に、ソース基地局１０５−ｌは、ＵＥ１１５−ｆとソース基地局１０５−ｌとの間の通信を（たとえば、データ圧縮技法を使用することによって）強化するために、データ圧縮手順を使用するようにＵＥ１１５−ｆを構成し得る。ＵＥ１１５−ｆ内では、データパケットがＰＤＣＰバッファ３０５−ｃにおいて受信されｅＤＣＳバッファ３１０−ｃの中に伝達され、いくつかの例では、ｅＤＣＳバッファ３１０−ｃは、静的ｅＤＣＳバッファ３１５−ｃを含み得る。ＰＤＣＰバッファ３０５−ｃのデータパケット（ｐ〜ｐ＋ｎ＋１）がｅＤＣＳバッファ３１０−ｃの中に伝達されるとき、パケットは、ソース基地局１０５−ｌによって構成されている圧縮方式に従って圧縮され得る。いくつかの例では、述べたように、たとえば、特定のデータソースに関連するデータパケットの圧縮のために使用され得る静的ｅＤＣＳバッファ３１５−ｃが設けられ得る。データパケットは、次いで、ワイヤレス通信リンク１２５−ｌを介したソース基地局１０５−ｌへの送信のために、ｅＤＣＳバッファ３１０−ｃおよび静的ｅＤＣＳバッファ３１５−ｃからＲＬＣバッファ３２０−ｃに移動する。いくつかの事例では、ＵＥ１１５−ｆは、ｅＤＣＳバッファ３１０−ｃを使用するいくつかのパケットを圧縮しないことがあり、そのようなパケットは、非圧縮パケットとして送信され得る。たとえば、圧縮が、送信されるべきデータの量をさほど低減しないことになるとき、そのような非圧縮パケットが送信され得る。
【０１３１】
[0147]ソース基地局１０５−ｌ内では、データパケットは、ワイヤレス通信リンク１２５−ｌを介して基地局ＲＬＣバッファ３２５−ｃの中に受信され得る。ＲＬＣバッファ３２５−ｃから、圧縮データパケットが、復元のためにｅＤＣＳバッファ３３０−ｃおよび／または静的ｅＤＣＳバッファ３３５−ｃに提供され、得られたパケット４４６は、次いで、ＰＤＣＰバッファ３４０−ｃの中に配置される。非圧縮データパケット４４４は、ｅＤＣＳバッファ３３０−ｃおよび／または静的ｅＤＣＳバッファ３３５−ｃにおいて復元されることなく単にＰＤＣＰバッファ３４０−ｃの中に配置されてよい。ソース基地局１０５−ｌは、ＰＤＣＰバッファの中のパケットのＰＤＣＰ  ＳＮを分析し得、ＰＣＤＰシーケンスの中の任意のギャップが存在するかどうかを決定し得る。図４の例では、ＰＤＣＰバッファ３４０−ｃの中に受信されたパケットの中の２つのギャップ３４２−ｃが、パケットｐにおいて、またパケットｐ＋ｎにおいて存在する。
【０１３２】
[0148]ターゲット基地局１０５−ｍへのハンドオーバが発生した場合、ＵＥ１１５−ｆは、ソース基地局１０５−ｌとの通信を中止し得、通信リンク１２５−ｍを介したターゲット基地局１０５−ｍとの通信を開始し得る。この例では、ターゲット基地局１０５−ｍは、ソース基地局１０５−ｌと同じデータ圧縮機能を有し得、データパケットがワイヤレス通信リンク１２５−ｍから復号され得るとともにＲＬＣバッファ３４５−ｃの中に移動され得、ｅＤＣＳバッファ３５０−ｃおよび／または静的ｅＤＣＳバッファ３５５−ｃの中に移動され得、復元され得、次いで、ＰＤＣＰバッファ３６０−ｃに移動され得るという点で、ソース基地局１０５−ｌと類似のアーキテクチャを有し得る。
【０１３３】
[0149]図４の例では、ソース基地局１０５−ｌは、ｅＤＣＳコンテキストを転送しなくてよく、制御メッセージ４０５をターゲット基地局１０５−ｍへ送信し得る。いくつかの例では、ソース基地局１０５−ｌからの制御メッセージ４０５は、ハンドオーバに関係する情報だけを含み、ステータスＰＤＵ、またはＰＤＣＰシーケンスの中の最初のギャップ３４２−ｃの後の受信パケットを含まなくてよい。そのような例では、ＵＥ１１５−ｆは、パケットデータコンバージェンスプロトコル（ＰＤＣＰ）廃棄タイマーを遷移させていないパケットのすべてが、ターゲット基地局１０５−ｍに再送信されると想定し得る。たとえば、パケットｐ−１〜Ｐ＋３のＰＤＣＰ廃棄タイマーが満了していないことがあり、ＵＥ１１５−ｆはこれらのパケットのうちの各１つを再送信してよい。
【０１３４】
[0150]他の例では、ソース基地局１０５−ｌによって送られる制御メッセージ４０５は、ＵＥ１１５−ｆから受信された連続した最新のパケット、すなわち、図４の例ではパケットｐ−１の識別を含み得る。ターゲット基地局１０５−ｍは、次いで、ＵＥ１１５−ｆから受信された連続した最新のパケットの後のすべてのパケットが再送信されるべきであることを示すステータスＰＤＵを、ＵＥ１１５−ｆへ送信し得る。ＵＥ１１５−ｆは、ｅＤＣＳバッファ３１０−ｃの中の圧縮コンテキストをリセットし得、送信の準備ができたさらなる任意の後続のパケットと一緒に、示されたパケットを再送信し得る。ｅＤＣＳバッファ３１０−ｃは、次いで、ターゲット基地局１０５−ｍによって採用される圧縮方式（もしあれば）に従ってポピュレートされ得る。ＵＥ１１５−ｆからの再送信は、ＰＤＣＰ廃棄タイマーが満了しているパケット、または満了していないパケットを含む。
【０１３５】
[0151]さらなる例では、ソース基地局１０５−ｌからの制御情報４０５は、ＰＤＣＰシーケンスの中の表示の任意のギャップを含み得る。いくつかの例では、ＰＤＣＰパケットがＵＥ１１５−ｆにおいて圧縮された場合、ソース基地局１０５−ｌは、パケットをギャップとして報告し得、それらの圧縮パケットをターゲット基地局１０５−ｍに転送しなくてよい。ターゲット基地局１０５−ｍは、次いで、ステータスＰＤＵをＵＥ１１５−ｆへ送信し得、ギャップ３４２−ｃとして示されているＰＤＣＰ  ＰＤＵの再送信をソース基地局１０５−ｌに要求し得、ＰＤＣＰ  ＰＤＵの再送信は、ソース基地局１０５−ｌにおいて受信されなかったＰＤＣＰシーケンス番号と、ソース基地局１０５−ｌにおいて受信された圧縮ＰＤＣＰシーケンス番号（たとえば、パケット４４６）の両方を含むことになる。ＵＥ１１５−ｆは、次いで、リセットされたｅＤＣＳバッファ３１０−ｃ、したがって、リセットされたデータ圧縮コンテキストを使用して、欠落ＰＤＣＰ  ＰＤＵをターゲット基地局１０５−ｍへ送り得る。
【０１３６】
[0152]そのような例では、データ圧縮コンテキストは、ターゲット基地局１０５−ｍの中で事前充填されるとともに最初の欠落パケット（すなわち、ギャップ３４２−ｃ）のシーケンス番号から再構築されたｅＤＣＳバッファ３１０−ｃのコンテキストから再開されてよく、後続のすべてのパケットは、ＵＥ１１５−ｆにおいてｅＤＣＳバッファ３１０−ｃの観点から順に処理される。ギャップとして告知されていないＰＤＣＰシーケンス番号は、ＵＥ１１５−ｆによって送信されなくてよいが、ＵＥ１１５−ｆにおけるｅＤＣＳバッファ３１０−ｃのコンテキストと、ターゲット基地局１０５−ｍのｅＤＣＳバッファ３５０−ｃとを更新するためにやはり使用され得る。ハンドオーバの後にｅＤＣＳバッファ３１０−ｃおよび３５０−ｃを再構築することは、シーケンスの中で起こり、ソース基地局１０５−ｌから転送された依然として上位層に配送されるべき首尾よく受信されたＰＤＣＰパケットを含み、必ずしも再送信されるギャップだけを含むとは限らないことに留意されたい。さらなる例では、再送信されないパケットを挿入するのではなく、ターゲット基地局のｅＤＣＳバッファ３５０−ｃおよびＵＥ１１５−ｆのｅＤＣＳバッファ３１０−ｃの圧縮コンテキストは、送信パケットだけを使用してポピュレートされてよい。したがって、図４の例では、ターゲット基地局１０５−ｍに移行した後、パケット４４４はｅＤＣＳバッファ３１０−ｃおよび３５０−ｃに含まれない。
【０１３７】
[0153]技法はまた、ハンドオーバの後のダウンリンクデータ圧縮を容易にするために採用され得る。図５Ａは、本開示の様々な態様による、ハンドオーバに続いてターゲット基地局１０５−ｏにおけるデータ圧縮を開始するためのワイヤレス通信システム５００の一例を示す。ワイヤレス通信システム５００は、図１〜図４を参照しながら上記で説明したＵＥ１１５の一例であり得る、ＵＥ１１５−ｇを含み得る。ワイヤレス通信システム５００はまた、図１〜図４を参照しながら上記で説明した基地局１０５の例であり得る、ソース基地局１０５−ｎとターゲット基地局１０５−ｏとを含み得る。
【０１３８】
[0154]ワイヤレス通信システム５００は、ソース基地局１０５−ｎからターゲット基地局１０５−ｏへのハンドオーバの一例を示す。たとえば、ＵＥ１１５−ｇは、ソース基地局１０５−ｎのカバレージエリアからターゲット基地局１０５−ｏのカバレージエリアに移動し得る。上記で説明したものと同様に、ハンドオーバはまた、たとえば、ターゲット基地局１０５−ｏがより良好なサービスをＵＥ１１５−ｇに提供することができる場合に、またはネットワーク負荷もしくはセル間干渉の軽減に関係する理由のために開始され得る。ワイヤレス通信システム５００は、ソース基地局１０５−ｎがＵＥ１１５−ｇとのワイヤレス通信リンク１２５−ｎを介して、圧縮データパケットを使用して通信する一例を示す。
【０１３９】
[0155]セル間ハンドオーバの前に、ソース基地局１０５−ｎは、ＵＥ１１５−ｇとソース基地局１０５−ｎとの間の通信を（たとえば、ｅＤＣＳ技法を使用することによって）強化するために、データ圧縮手順を使用するようにＵＥ１１５−ｇを構成し得る。ソース基地局１０５−ｎにおいて、データパケットがＰＤＣＰバッファ５４０において受信されｅＤＣＳバッファ５３０の中に伝達され、いくつかの例では、ｅＤＣＳバッファ５３０は、静的ｅＤＣＳバッファ５３５を含み得る。ＰＤＣＰバッファ５４０のデータパケット（ｐ〜ｐ＋ｎ＋１）がｅＤＣＳバッファ５３０の中に伝達されるとき、パケットは、ソース基地局１０５−ｎによって構成されている圧縮方式に従って圧縮され得る。いくつかの例では、述べたように、静的ｅＤＣＳバッファ５３５は、たとえば、特定のデータソースに関連するデータパケットの圧縮のために使用され得る。たとえば、静的ｅＤＣＳバッファ５３５は、特定のスポーツウェブサイトまたはニュースウェブサイトからのデータパケット用の圧縮情報を提供し得、ＵＥ１１５−ｇのユーザがそのようなウェブサイトにアクセスするとき、データ圧縮ルーチンは、圧縮のために静的ｅＤＣＳバッファ５３５の中の情報を直ちに使用し得る。データパケットは、次いで、ワイヤレス通信リンク１２５−ｎを介したＵＥ１１５−ｇへの送信のために、ｅＤＣＳバッファ５３０、５３５からＲＬＣバッファ５２７に移動する。
【０１４０】
[0156]ＵＥ１１５−ｇ内では、データパケットが、ワイヤレス通信リンク１２５−ｎを介してＵＥ  ＲＬＣバッファ５２０の中に受信され得る。ＵＥ  ＲＬＣバッファ５２０から、データパケットが、復元のためにＵＥ  ｅＤＣＳバッファ５１０および／またはＵＥ静的ｅＤＣＳバッファ５１７に提供され、次いで、ＵＥ  ＰＤＣＰバッファ５０７の中に配置される。ＵＥ１１５−ｇは、ＵＥ  ＰＤＣＰバッファ５０７の中のパケットのＰＤＣＰ  ＳＮを分析し得、ＰＣＤＰシーケンスの中の任意のギャップが存在するかどうかを決定し得る。図５Ａの例では、ＵＥ  ＰＤＣＰバッファ５０７の中に受信されたパケットの中の２つのギャップ５４２が、パケットｐにおいて、またパケットｐ＋ｎにおいて存在する。そのようなギャップ５４２は、たとえば、干渉または劣悪なチャネル状態などの１つまたは複数の様々な要因の結果であり得る。ＵＥ１１５−ｇは、受信パケットに対してＡＣＫを送信し得、通信の通常過程では、ソース基地局１０５−ｎは、パケットに関連するタイマーの満了に続くような確認応答されなかったパケットを再送信し得る。ソース基地局１０５−ｎは、再送信パケットに対して、ｅＤＣＳバッファ５３０と静的ｅＤＣＳバッファ５３５とを使用して同じ圧縮技法を実行し得る。
【０１４１】
[0157]ターゲット基地局１０５−ｏへのハンドオーバが発生した場合、ＵＥ１１５−ｇは、ソース基地局１０５−ｎとの通信を中止し得、ワイヤレス通信リンク１２５−ｏを介したターゲット基地局１０５−ｏとの通信を開始し得る。ターゲット基地局１０５−ｏは、ソース基地局１０５−ｎと同じデータ圧縮機能を有することがあり、ソース基地局１０５−ｎと異なるデータ圧縮機能を有することがあり、またはＵＥ１１５−ｇに対してデータ圧縮をまったくサポートしないことがある。図５Ａの例では、ターゲット基地局１０５−ｏは、データ圧縮をサポートし得、データパケットがＰＤＣＰバッファ５６０において受信され得るとともにｅＤＣＳバッファ５５０の中に伝達され得、いくつかの例では、ｅＤＣＳバッファ５５０が静的ｅＤＣＳバッファ５５５を含み得るという点で、ソース基地局１０５−ｎと類似のアーキテクチャを有し得る。パケットは、ターゲット基地局１０５−ｏによって構成されている圧縮方式に従って圧縮され得、次いで、ワイヤレス通信リンク１２５−ｏを介したＵＥ１１５−ｇへの送信のために、ｅＤＣＳバッファ５５０、５５５からＲＬＣバッファ５４７に移動し得る。
【０１４２】
[0158]上述のように、基地局間ハンドオーバにおいていくつかの異なるシナリオが存在し得る。１つの可能性は、ＵＥ１１５−ｇがＲＲＣ接続済みモードであり、ソース基地局１０５−ｎとの通信においてデータ圧縮技法を使用しており、ハンドオーバが、圧縮ができない、したがって、データ圧縮技法が可能でない基地局１０５−ｏへのものであり得ることである。いくつかの例では、ＵＥ１１５−ｇは、シグナリング無線ベアラ（ＳＲＢ）ＲＲＣ送信を通じてデータ圧縮互換性を示し得る。ターゲット基地局１０５−ｏがそのようなデータ圧縮をサポートしない場合、ターゲット基地局１０５−ｏは、ＵＥ１１５−ｇをデータ圧縮用に構成せず、ターゲット基地局１０５−ｏは、非圧縮データパケットをＵＥ１１５−ｇへ送信し得る。ターゲット基地局１０５−ｏがソース基地局１０５−ｎと同じ圧縮技法をサポートする場合、いくつかの例では、ソース基地局１０５−ｎは、ＵＥ１１５−ｇのデータ圧縮機能についての情報を転送し得、データ圧縮用のコンテキストもターゲット基地局１０５−ｏに転送し得る。ハンドオーバに続いてＵＥ１１５−ｇへ送信されるパケットを圧縮するために、データ圧縮用のコンテキストがターゲット基地局１０５−ｏによって使用され得る。ＵＥ１１５−ｇはまた、そのような状況では、ターゲット基地局１０５−ｏがソース基地局１０５−ｎと同じ圧縮をサポートするというシグナリングを受信し得、ＵＥ１１５−ｇは、ターゲット基地局が同じ圧縮ができるものと想定し得、ソース基地局１０５−ｎとの以前の圧縮構成によりデータを受信し始め得る。
【０１４３】
[0159]いくつかの例では、ソース基地局１０５−ｎは、ＵＥ１１５−ｇのデータ圧縮機能をターゲット基地局１０５−ｏに提供しないことがある。そのような状況では、ターゲット基地局１０５−ｏは、ＵＥ１１５−ｇとの接続をセットアップし得、ＵＥ１１５−ｇのデータ圧縮機能を決定するための新たな機能手順をトリガする。いくつかの例では、ソース基地局１０５−ｎは、ｅＤＣＳバッファ５３０からのデータを含む圧縮コンテキスト情報をターゲット基地局１０５−ｏに転送し得、機能手順を通じてＵＥ１１５−ｇの圧縮機能を決定すると、ターゲット基地局１０５−ｏは、圧縮パケットをＵＥ１１５−ｇへ送信し得る。ターゲット基地局１０５−ｏがソース基地局１０５−ｎと異なる圧縮機能を有する場合、この手順は、ＵＥ１１５−ｇおよびターゲット基地局１０５−ｏが以前の圧縮器状態をリセットするためのトリガとして働き得る。ＵＥ１１５−ｇは、ＵＥ  ＰＤＣＰバッファ５０７の中のいかなるパケットもフラッシュしてよく、ＵＥ  ｅＤＣＳバッファ５１０もフラッシュしてよい。ターゲット基地局１０５−ｏはまた、データ圧縮アルゴリズムを無効化してよく、確認応答されなかったＰＤＣＰパケット、ならびに確認応答されなかった最初のパケットの後に送信される任意のＰＤＣＰパケットを、ＵＥ１１５−ｇへ再送信してよい。
【０１４４】
[0160]またさらなる例では、ターゲット基地局１０５−ｏが、データ圧縮技法をサポートし得るがソース基地局１０５−ｎと同じデータ圧縮技法をサポートしないことがある。そのような例では、ターゲット基地局１０５−ｏは、ＵＥ１１５−ｇのハンドオーバ時に、新たな機能手順をトリガし得る。このことは、ＵＥ１１５−ｇが以前の圧縮器状態をリセットするためのトリガとして働き得、ターゲット基地局１０５−ｏからの送信／再送信は、ターゲット基地局１０５−ｏによって提供される新たなデータ圧縮構成に従って実行され得る。
【０１４５】
[0161]いくつかの例では、ＵＥ１１５−ｇは、無線リンク障害（ＲＬＦ）に遭遇することがある。たとえば、劣悪なチャネル状態、または同期の損失などの物理レイヤ関連の問題に起因して、そのようなことが起こり得る。いくつかの例では、そのようなＲＬＦに続いてデータ圧縮が維持され得る。ＲＬＦに続いて、ＵＥ１１５−ｇは、ＲＲＣ接続を再確立しようと試み得る。ＵＥ１１５−ｇは、同じ基地局、すなわち、ソース基地局１０５−ｎとのＲＲＣ接続を再確立しようと試みてよい。そのような場合、ソース基地局１０５−ｎは、既存のデータ圧縮コンテキストを使用してよく、パケットの受信の確認応答が受信されなかった時点からの、圧縮パケットの送信を再開してよい。いくつかの例では、ＵＥ１１５−ｇは、ターゲット基地局１０５−ｏなどの異なる基地局とのＲＲＣ接続を再確立しようと試みてもよい。そのような場合、ターゲット基地局１０５−ｏは、ターゲット基地局１０５−ｏのデータ圧縮機能を含み得る構成情報を提供し得る。提供されたデータ圧縮機能がＲＬＦの前にＵＥ１１５−ｇが使用していたデータ圧縮に一致する場合、ターゲット基地局１０５−ｏは、ＲＬＦの前からのデータ圧縮コンテキストを使用して圧縮パケットを送信し得る。いくつかの例では、ターゲット基地局１０５−ｏが前のデータ圧縮コンテキスト（たとえば、ｅＤＣＳバッファ５３０）をソース基地局１０５−ｎから取り出すことができるとき、このことが行われ得る。データ圧縮コンテキストの取出しを容易にするために、いくつかの例では、ＵＥ１１５−ｇは、ターゲット基地局１０５−ｏがこの情報を取得すべき場所を決定することができるように、ソース基地局１０５−ｎについての情報を提供し得る。ターゲット基地局１０５−ｏのデータ圧縮機能がＲＬＦの前に使用されていたデータ圧縮に一致しない場合、ＵＥ１１５−ｇは、データ圧縮コンテキストのリセットし得、その既存のバッファをフラッシュし得、新規のデータ圧縮手順を開始し得る。
【０１４６】
[0162]さらなる例では、ＲＬＦに続いてＲＲＣ再確立を伴う場合と同様に、ＵＥ１１５−ｇは、別個のＲＲＣ接続にわたってデータ圧縮ルーチンを継続し得る。そのような例では、データ圧縮は、「ウォーム」状態から始められてよく、データ圧縮ルーチンに関連する圧縮をコールド状態から開始することに比べて、そのようにより効率的な通信を提供し得る。いくつかの例では、アクティブデータの呼出し中、ＵＥ１１５−ｇおよびソース基地局１０５−ｎは、既存のデータ圧縮コンテキストをバックアップするように周期的にピアに要求し得る。いくつかの例では、そのようなバックアップ要求は、拡張されたｅＤＣＳプロトコルデータ単位（ＰＤＵ）ヘッダを介して実行され得、ｅＤＣＳ  ＰＤＵヘッダの巡回冗長検査（ＣＲＣ）が、コンテキストＩＤとして使用され得る。新たなＲＲＣ接続時に、ソース基地局１０５−ｎまたはターゲット基地局１０５−ｏは、データ圧縮構成要求の一部としてコンテキストＩＤを送信し得る。ＵＥ１１５−ｇは、バックアップされた同じコンテキストＩＤを有する場合、その構成を受け入れ、圧縮／復元のために既存のＵＥ  ｅＤＣＳバッファ５１０を使用する。コンテキストＩＤがＵＥ１１５−ｇのコンテキストＩＤに一致しない場合、ＵＥ１１５−ｇは、構成を拒絶してよく、したがって、新規のデータ圧縮ルーチンをトリガしてよい。
【０１４７】
[0163]上記で説明したように、基地局間ハンドオーバは、ダウンリンク中のデータ圧縮を容易にするために、データ圧縮コンテキストをターゲット基地局１０５に転送することを含み得る。図５Ｂは、本開示の様々な態様による、ハンドオーバのためにデータ圧縮コンテキスト情報をターゲット基地局１０５−ｑへ送信するためのワイヤレス通信システム５０１の一例を示す。ワイヤレス通信システム５０１は、図１〜図５Ａを参照しながら上記で説明したＵＥ１１５の一例であり得る、ＵＥ１１５−ｈを含み得る。ワイヤレス通信システム５０１はまた、図１〜図５Ａのうちの１つまたは複数を参照しながら上記で説明した基地局１０５の例であり得る、ソース基地局１０５−ｐとターゲット基地局１０５−ｑとを含み得る。
【０１４８】
[0164]図５Ａに関して説明したものと同様に、セル間ハンドオーバの前に、ソース基地局１０５−ｐは、ＵＥ１１５−ｈとソース基地局１０５−ｐとの間の通信を（たとえば、ｅＤＣＳ技法を使用することによって）強化するために、データ圧縮手順を使用するようにＵＥ１１５−ｈを構成し得る。ソース基地局１０５−ｐ内では、データパケットがＰＤＣＰバッファ５４０−ａにおいて受信されｅＤＣＳ圧縮バッファ５３０−ａの中に伝達され、いくつかの例では、ｅＤＣＳ圧縮バッファ５３０−ａは、静的ｅＤＣＳバッファ５３５−ａを含み得る。ＰＤＣＰバッファ５４０−ａのデータパケット（ｐ〜ｐ＋ｎ＋１）がｅＤＣＳ圧縮バッファ５３０−ａの中に伝達されるとき、パケットは、ソース基地局１０５−ｐによって構成されている圧縮方式に従って圧縮され得る。いくつかの例では、述べたように、たとえば、特定のデータソースに関連するデータパケットの圧縮のために使用され得る静的ｅＤＣＳバッファ５３５−ａが設けられ得る。データパケットは、次いで、ワイヤレス通信リンク１２５−ｐを介したＵＥ１１５−ｈへの送信のために、ｅＤＣＳ圧縮バッファ５３０−ａおよび静的ｅＤＣＳバッファ５３５−ａからＲＬＣバッファ５２７−ａに移動する。
【０１４９】
[0165]ＵＥ１１５−ｈ内では、データパケットが、ワイヤレス通信リンク１２５−ｐを介してＵＥ  ＲＬＣバッファ５２０−ａの中に受信され得る。ＵＥ  ＲＬＣバッファ５２０−ａから、データパケットが、復元のためにＵＥ  ｅＤＣＳバッファ５１０−ａおよび／または静的ＵＥ  ｅＤＣＳバッファ５１７−ａに提供され、次いで、ＵＥ  ＰＤＣＰバッファ５０７−ａの中に配置され得る。ＵＥ１１５−ｈは、ＵＥ  ＰＤＣＰバッファ５０７−ａの中のパケットのＰＤＣＰ  ＳＮを分析し得、受信されたＰＤＣＰ  ＳＮに対してＡＣＫを送信し得る。図５Ｂの例では、ＵＥ１１５−ｈは、パケット５０９（パケットｐ＋１、ｐ＋２、ｐ＋３、ｐ＋ｎ＋１）を受信し得、それに対してＡＣＫを送信し得、確認応答の中の２つのギャップ５４２−ａが、ソース基地局１０５−ｐでは、パケットｐにおいて、またパケットｐ＋ｎにおいて存在する。
【０１５０】
[0166]ターゲット基地局１０５−ｑへのハンドオーバが発生した場合、ＵＥ１１５−ｈは、ソース基地局１０５−ｐとの通信を中止し得、ワイヤレス通信リンク１２５−ｑを介したターゲット基地局１０５−ｑとの通信を開始し得る。この例では、ターゲット基地局１０５−ｑは、ソース基地局１０５−ｐと同じデータ圧縮機能を有し得、データパケットがＰＤＣＰバッファ５６０−ａにおいて受信され得るとともにｅＤＣＳバッファ５５０−ａの中に伝達され得、いくつかの例では、ｅＤＣＳバッファ５５０−ａが静的ｅＤＣＳバッファ５５５−ａを含み得るという点で、ソース基地局１０５−ｐと類似のアーキテクチャを有し得る。パケットは、ターゲット基地局１０５−ｑによって構成されている圧縮方式に従って圧縮され得、次いで、ワイヤレス通信リンク１２５−ｑを介したＵＥ１１５−ｈへの送信のために、ｅＤＣＳバッファ５５０−ａ、５５５−ａからＲＬＣバッファ５４７−ａに移動し得る。
【０１５１】
[0167]図５Ｂの例では、ソース基地局１０５−ｐは、５７５において示すように、最初のギャップにおいて始まるＰＤＣＰパケット（すなわち、パケットｐ〜ｐ＋ｎ−１）をターゲット基地局１０５−ｑに転送し得る。そのような通信は、たとえば、各基地局１０５のＸ２インターフェースを通じて行われてよい。さらに、ソース基地局１０５−ｐは、５６５−ａにおいて示すように、ｅＤＣＳ圧縮バッファ５３０−ａの内容をターゲット基地局１０５−ｑに転送し得る。そのような通信も、たとえば、Ｘ２インターフェースを通じて行われてよい。ｅＤＣＳ圧縮バッファ５３０−ａの内容は、ターゲット基地局１０５−ｑのｅＤＣＳバッファ５５０−ａの中に配置され得、ターゲット基地局１０５−ｑが、ＰＤＣＰバッファ５４０−ａの中のパケット列の中のギャップ５４２−ａによって識別されるパケットを圧縮するとともに、パケットの初期送信において使用されたものと同じ圧縮によるパケットを再送信することを可能にし得る。ＵＥ１１５−ｈは、確認応答されなかったパケットの再送信を要求するステータスＰＤＵをターゲット基地局１０５−ｑへ送信し得、ターゲット基地局１０５−ｑは、パケットを送信するために当初使用されたものと同じ圧縮を使用して、欠落パケットを再送信し得、ＵＥ１１５−ｈは、再送信パケットおよび任意の新たな後続のパケットの復元のために、同じＵＥ  ｅＤＣＳバッファ５１０−ａを使用し続け得る。ソース基地局１０５−ｐは、リセットを用いずにｅＤＣＳコンテキストを使用し続けるべきときをＵＥ１１５−ｈが知るように、ｅＤＣＳ圧縮バッファ５３０−ａがターゲット基地局１０５−ｑにいつ転送されるのかをＵＥ１１５−ｈに示し得る。いくつかの例では、ＵＥ１１５−ｈは、圧縮コンテキストが再送信を通じて正しく扱われることを可能にするために、圧縮を経たパケットに対するＰＤＣＰ廃棄のためのタイマーを延長してよい。そのようなタイマーが満了した場合、圧縮コンテキストは、ターゲット基地局１０５−ｑおよびＵＥ１１５−ｈの中でリセットされてよく、新規の圧縮ルーチンが開始されてよい。
【０１５２】
[0168]次に図５Ｃを参照すると、本開示の様々な態様による、ハンドオーバに続いてダウンリンクデータ圧縮をサポートするために、復元のために再送信パケットをソース基地局１０５−ｒに提供するためのワイヤレス通信システム５０２を示す一例が提供される。いくつかの例では、上記で説明したように、ソース基地局１０５−ｒおよびターゲット基地局１０５−ｓは、同じデータ圧縮ルーチンをサポートしないことがあり、いくつかの例では、ターゲット基地局１０５−ｓは、データ圧縮をまったくサポートしないことがある。いくつかの例では、ターゲット基地局１０５−ｓがソース基地局１０５−ｒと同じデータ圧縮ルーチンをサポートし得るが、バックホールリンクの中に完全な圧縮コンテキストの移転をサポートするのに十分なリソースがないことがある。図５Ｃの例では、圧縮機能の差異、または圧縮コンテキストを移転するためのリソースの不足に起因して、ソース基地局１０５−ｒは、圧縮コンテキストをターゲット基地局１０５−ｓへ送信せず、したがって、圧縮ルーチンにおけるリセットが、ターゲット基地局１０５−ｓとＵＥ１１５−ｉとの間でトリガされる。
【０１５３】
[0169]図５Ａおよび図５Ｂに関して上記で説明したものと同様に、ワイヤレス通信システム５０２は、図１〜図５Ｂを参照しながら上記で説明したＵＥ１１５の一例であり得る、ＵＥ１１５−ｉを含み得る。ワイヤレス通信システム５０２はまた、図１〜図５Ｂを参照しながら上記で説明した基地局１０５の例であり得る、ソース基地局１０５−ｒとターゲット基地局１０５−ｓとを含み得る。
【０１５４】
[0170]上記で説明したものと同様に、セル間ハンドオーバの前に、ソース基地局１０５−ｒは、ＵＥ１１５−ｉとソース基地局１０５−ｒとの間の通信を（たとえば、ｅＤＣＳ技法を使用することによって）強化するために、データ圧縮手順を使用するようにＵＥ１１５−ｉを構成し得る。ソース基地局１０５−ｒ内では、データパケットがＰＤＣＰバッファ５４０−ｂにおいて受信されｅＤＣＳバッファ５３０−ｂの中に伝達され、いくつかの例では、ｅＤＣＳバッファ５３０−ｂは、静的ｅＤＣＳバッファ５３５−ｂを含み得る。ＰＤＣＰバッファ５４０−ｂのデータパケット（ｐ〜ｐ＋ｎ＋１）がｅＤＣＳバッファ５３０−ｂの中に伝達されるとき、パケットは、ソース基地局１０５−ｒによって構成されている圧縮方式に従って圧縮され得る。いくつかの例では、述べたように、たとえば、特定のデータソースに関連するデータパケットの圧縮のために使用され得る静的ｅＤＣＳバッファ５３５−ｂが設けられ得る。データパケットは、次いで、ワイヤレス通信リンク１２５−ｒを介したＵＥ１１５−ｉへの送信のために、ｅＤＣＳバッファ５３０−ｂおよび静的ｅＤＣＳバッファ５３５−ｂからＲＬＣバッファ５２７−ｂに移動する。
【０１５５】
[0171]ＵＥ１１５−ｉ内では、データパケットが、ワイヤレス通信リンク１２５−ｒを介してＵＥ  ＲＬＣバッファ５２０−ｂの中に受信され得る。ＵＥ  ＲＬＣバッファ５２０−ｂから、データパケットが、復元のためにＵＥ  ｅＤＣＳバッファ５１０−ｂおよび／または静的ＵＥ  ｅＤＣＳバッファ５１７−ｂに提供され、次いで、ＵＥ  ＰＤＣＰバッファ５０７−ｂの中に配置される。ＵＥ１１５−ｉは、ＵＥ  ＰＤＣＰバッファ５０７−ｂの中のパケットのＰＤＣＰ  ＳＮを分析し得、受信されたＰＤＣＰ  ＳＮに対してＡＣＫを送信し得る。図５Ｃの例では、ＵＥ１１５−ｉは、パケット５０９−ａ（パケットｐ＋１、ｐ＋２、ｐ＋３、ｐ＋ｎ＋１）を受信し得、それに対してＡＣＫを送信し得、確認応答の中の２つのギャップ５４２−ｂが、ソース基地局１０５−ｒでは、パケットｐにおいて、またパケットｐ＋ｎにおいて存在する。
【０１５６】
[0172]ターゲット基地局１０５−ｓへのハンドオーバが発生した場合、ＵＥ１１５−ｉは、ソース基地局１０５−ｒとの通信を中止し得、ワイヤレス通信リンク１２５−ｓを介したターゲット基地局１０５−ｓとの通信を開始し得る。この例では、ターゲット基地局１０５−ｓは、データパケットがＰＤＣＰバッファ５６０−ｂにおいて受信され得るとともにｅＤＣＳバッファ５５０−ｂの中に伝達され得、いくつかの例では、ｅＤＣＳバッファ５５０−ｂが静的ｅＤＣＳバッファ５５５−ｂを含み得るという点で、ソース基地局１０５−ｒと類似のアーキテクチャを有し得る。パケットは、ターゲット基地局１０５−ｓによって構成されている圧縮方式に従って圧縮され得、次いで、ワイヤレス通信リンク１２５−ｓを介したＵＥ１１５−ｉへの送信のために、ｅＤＣＳバッファ５５０−ｂ、５５５−ｂからＲＬＣバッファ５４７−ｂに移動し得る。
【０１５７】
[0173]図５Ｃの例では、ソース基地局１０５−ｒは、５７５−ａにおいて示すように、最初のギャップにおいて始まるＰＤＣＰパケット（すなわち、パケットｐ〜ｐ＋ｎ−１）をターゲット基地局１０５−ｓに転送し得る。そのような通信は、たとえば、各基地局１０５のＸ２インターフェースを通じて行われてよい。この例では、ターゲット基地局１０５−ｓは、データ圧縮をサポートしないことがあるか、またはソース基地局と異なるデータ圧縮機能を有し得る。そのような場合、ｅＤＣＳバッファ５３０−ｂは、ターゲット基地局１０５−ｓに転送されなくてよい。ＵＥ１１５−ｉは、確認応答されなかったパケットの再送信を要求するとともに欠落パケットとＵＥ１１５−ｉにおいて順に受信されている最後のパケットのＰＤＣＰ  ＳＮとを示し得るステータスＰＤＵを、ターゲット基地局１０５−ｓへ送信し得る。ターゲット基地局１０５−ｓが欠落パケットを非圧縮状態でＵＥ１１５−ｉへ再送信するか、またはターゲット基地局１０５−ｓが新たな圧縮ルーティングを開始するかのいずれかであってよく、新たな圧縮コンテキストが、ターゲット基地局１０５−ｓから送られる再送信パケットと新たなパケットの両方を使用して構築され得る。
【０１５８】
[0174]上述のように、複数のＲＲＣ接続セットアップにわたってデータ圧縮バッファを維持することは、相異なる基地局におけるＲＲＣ接続を含み得る効率的なデータ圧縮性能を維持する助けとなり得る。このことは、ターゲットがＵＥとのＲＲＣ接続を確立するときに、ターゲット基地局がデータ圧縮コンテキスト情報をソース基地局から取り出すための圧縮性能を支援し得る。図６は、本開示の様々な態様による、接続確立手順を通じてデータ圧縮を容易にするためのワイヤレス通信システム６００の一例を示す。システム６００は、図１〜図５Ｃを参照しながら上記で説明したＵＥ１１５の一例であり得る、ＵＥ１１５−ｊを含み得る。システム３００はまた、それぞれが図１〜図５Ｃを参照しながら上記で説明した基地局１０５の例であり得るとともに通信リンク１２５を介してＵＥ１１５−ｊと通信し得る、基地局１０５−ｔと１０５−ｕとを含み得る。
【０１５９】
[0175]ＵＥ１１５−ｊは、パケットデータコンバージェンスプロトコル（ＰＤＣＰ）バッファ６０５と、ｅＤＣＳバッファ６１０と、静的ｅＤＣＳバッファ６１５と、ＲＬＣバッファ６２０とを含み得る。基地局１０５−ｔは、ＰＤＣＰバッファ６２５と、ｅＤＣＳバッファ６３０と、静的ｅＤＣＳバッファ６３５と、ＲＬＣバッファ６４０とを含み得る。同様に、基地局１０５−ｕは、ＰＤＣＰバッファ６４５と、ｅＤＣＳバッファ６５０と、静的ｅＤＣＳバッファ６５５と、ＲＬＣバッファ６６０とを含み得る。ＵＥ１１５−ｊは、基地局１０５−ｔおよび１０５−ｕが構成し得るようなｅＤＣＳのために、そのように構成され得る。ＵＥ１１５−ｊは、通信リンク１２５−ｔを通じて基地局１０５−ｔと通信し得、ＵＥ１１５−ｊは、通信リンク１２５−ｕを通じて基地局１０５−ｕと通信し得る。ＵＥ１１５−ｊは、基地局１０５−ｔからコンテキスト識別子６７０を受信し得、ｅＤＣＳバッファ６３０用のチェックポイントを含む基地局１０５−ｔすなわちｅＤＣＳバッファ６３０のコンテキスト情報を識別し得る。ＵＥ１１５−ｊのｅＤＣＳバッファ６１０は、たとえば、チェックポイントを利用して、ｅＤＣＳバッファ６３０に同期され得る。静的ｅＤＣＳバッファ６１５および６３５は、同様に同期され得る。追加または代替として、静的ｅＤＣＳバッファ６５５は、静的ｅＤＣＳバッファ６１５および６３５に同期され得る。
【０１６０】
[0176]ＵＥ１１５−ｊは、アイドルモードに遷移し得、基地局１０５−ｕへのアイドルモードハンドオーバすなわちセル再選択６７２を実行し得る。ＵＥ１１５−ｊは、次いで、コンテキスト識別子６７４を基地局１０５−ｕへ送信することによって、コンテキスト情報の取出しを開始し得る。基地局１０５−ｕは、次いで、コンテキスト識別子６７４に基づいて、ｅＤＣＳコンテキスト情報を求める要求６７６を基地局１０５−ｔへ送り得る。基地局１０５−ｔは、ｅＤＣＳコンテキスト情報とチェックポイント情報とを含み得る応答６７８を送り得る。基地局１０５−ｕは、ｅＤＣＳの連続性がサポートされるかどうかを含む、そのデータ圧縮機能の表示６８０をそのように送り得る。ＵＥ１１５−ｊおよび基地局１０５−ｕは、次いで、ｅＤＣＳを利用して通信し得る。
【０１６１】
[0177]図７は、本開示の様々な態様による、接続確立手順を通じてデータ圧縮を容易にするためのプロセスフロー７００の一例を示す。プロセスフロー７００は、図１〜図６を参照しながら上記で説明したＵＥ１１５の一例であり得る、ＵＥ１１５−ｋを含み得る。プロセスフロー７００はまた、それぞれが図１〜図６を参照しながら上記で説明した基地局１０５の一例であり得る、ソース基地局１０５−ｖとターゲット基地局１０５−ｗとを含み得る。
【０１６２】
[0178]ＵＥ１１５−ｋは、リンク７０５を介して、データ圧縮方式を利用してソース基地局と通信し得る。ＵＥ１１５−ｋは、データ圧縮方式に関連するコンテキスト識別子７２５をソース基地局１０５−ｖから受信し得る。コンテキスト識別子７２５は、ソース基地局１０５−ｖと、たとえば、データ圧縮方式に関連するコンテキスト情報用の１つまたは複数のチェックポイントとを識別し得る。
【０１６３】
[0179]いくつかの例では、ＵＥ１１５−ｋは、ブロック７１０において、ソース基地局１０５−ｖに接続されながらアイドルモードに遷移し得る。ＵＥ１１５−ｋは、ソース基地局１０５−ｖからターゲット基地局１０５−ｗへのアイドルモードモビリティ手順を実行し得る。場合によっては、ＵＥ１１５−ｋは、中間的な基地局１０５（図示せず）との接続を確立する。ＵＥ１１５−ｋは、そのようにソース基地局１０５−ｖからターゲット基地局１０５−ｗに直接移動しないことがあるが、代わりに、ターゲット基地局１０５−ｗとのＲＲＣ接続７１５を確立する前に、いくつかの基地局１０５へ再選択し得る。したがって、いくつかの事例では、基地局１０５−ｗは、宛先基地局１０５−ｗと呼ばれることがある。
【０１６４】
[0180]ブロック７２０において、イベントまたは環境が、ターゲット基地局１０５−ｗによるデータ圧縮コンテキストの取出しを要求するようにＵＥ１１５−ｋをトリガし得る。いくつかの例では、コンテキスト識別子７２５の送信は、ターゲット基地局１０５−ｗから受信されるページングメッセージ、またはＵＥ１１５−ｋからのＭＯメッセージ（たとえば、ＭＯデータまたはＭＯボイス呼）などの、ＵＥ１１５−ｋにおける現実のトラフィックによってトリガされる。
【０１６５】
[0181]他の例では、コンテキスト識別子７２５の送信は、ＵＥの過去の挙動によってトリガされる。たとえば、ＵＥ１１５−ｋは、ターゲット基地局１０５−ｗが、ＵＥ１１５−ｋが毎日長い持続時間にわたってキャンピングする基地局１０５であると（たとえば、グローバルセル識別に基づいて）決定し得る。ターゲット基地局１０５−ｗは、たとえば、ＵＥ１１５−ｋのユーザのオフィスに最も近い基地局１０５であり得、ＵＥ１１５−ｋは、多くのまたはほとんどの平日に、１日に数時間にわたってターゲット基地局１０５−ｗにキャンプオンし得る。
【０１６６】
[0182]さらに他の例では、ＵＥ１１５−ｋのコンテキスト識別子７２５は、ＵＥ１１５−ｋの加入基準によってトリガされ得る。すなわち、いくつかの例では、ターゲット基地局１０５−ｗのネットワークに対するＵＥ１１５−ｋの加入はｅＤＣＳを提供し、ＵＥ１１５−ｋがターゲット基地局１０５−ｗにキャンプオンするときはいつでも、ＵＥ１１５−ｋはコンテキスト情報の取出しを要求し得る。
【０１６７】
[0183]これらまたは他のトリガリングイベントに続いて、ＵＥ１１５−ｋは、コンテキスト識別子７２５をターゲット基地局１０５−ｗへ送信し得る。いくつかの例では、ＵＥ１１５−ｋは、コンテキスト識別子７２５を含み得るコンテキスト機能のセットを、ターゲット基地局１０５−ｗへ送信する。たとえば、ＵＥ１１５−ｋは、ＵＥ１１５−ｋがサポートするバージョンｅＤＣＳに関係する送信情報を送り得るか、またはＵＥ１１５−ｋは、ｅＤＣＳ可能なセッションを再開するためにインがそれと一緒に利用できるいくつかのチェックポイント識別子を送り得る。
【０１６８】
[0184]ターゲット基地局１０５−ｗは、コンテキスト識別子７２５を受信すると、データ圧縮コンテキスト情報を求める要求７３０をソース基地局１０５−ｖへ送り得る。この要求７３０は、コンテキスト識別子７２５に基づき得る−  たとえば、ターゲット基地局１０５−ｗは、コンテキスト識別子７２５に基づくＵＥ１１５−ｋの要求されたコンテキスト情報の位置として、基地局１０５−ｖを識別し得る。ターゲット基地局１０５−ｗは、要求されたコンテキスト情報の利用可能性または非利用可能性を示す応答７３５をそのように受信し得る。いくつかの例では、コンテキスト情報が利用可能である場合、応答７３５は、１つまたは複数のチェックポイントと、１つまたは複数のチェックポイント識別子とを含むコンテキスト情報を含み得る。
【０１６９】
[0185]次いで、ターゲット基地局１０５−ｗのデータ圧縮機能７４０の表示から、ターゲット基地局１０５−ｗは送り得、ＵＥ１１５−ｋは受信し得、表示は、コンテキスト識別子に少なくとも部分的に基づく。ブロック７４５において、ＵＥ１１５−ｋは、データ圧縮機能の表示に基づいて、データ圧縮方式（たとえば、ソース基地局１０５−ｖとの通信のために利用されるデータ圧縮方式）の連続性がターゲット基地局１０５−ｗにおいてサポートされると決定し得る。ＵＥ１１５−ｋは、次いで、リンク７５０を介して、データ圧縮方式を利用してターゲット基地局１０５−ｗと通信し得る。
【０１７０】
[0186]いくつかの例では、データ圧縮機能７４０の表示は、ターゲット基地局１０５−ｗにおいてソース基地局１０５−ｖから受信されたコンテキストチェックポイント識別子を含む。コンテキストチェックポイント識別子は、ＵＥ１１５−ｋのデータ圧縮バッファの中で維持されている現在のバージョンのデータ圧縮コンテキスト情報に対応し得る。その場合、ＵＥ１１５−ｋは、リンク７５０を介して、現在のバージョンのコンテキスト情報を利用してターゲット基地局１０５−ｗと通信し得る。
【０１７１】
[0187]または、他の例では、コンテキストチェックポイント識別子は、ＵＥ１１５−ｋのデータ圧縮バッファの中で現在維持されているものよりも早いバージョンのデータ圧縮コンテキスト情報に対応し得る。その場合、ＵＥ１１５−ｋは、より早いバージョンのコンテキスト情報にロールバックし得る。たとえば、ＵＥ１１５−ｋは、ＵＥ１１５−ｋがキャッシュしていることがあるもっと早いバージョンのコンテキスト情報に対応するようにデータ圧縮バッファをリセットし得る。または、いくつかの例では、ＵＥ１１５−ｋは、ＵＥ１１５−ｋおよびターゲット基地局１０５−ｗに事前に知られている値（たとえば、初期値）に、そのデータ圧縮バッファをリセットし得る。いずれの場合も、ＵＥ１１５−ｋは、リンク７５０を介して、チェックポイント識別子に対応するコンテキスト情報を利用するためのその能力を通信し得る。チェックポイント識別子に関連するコンテキスト情報にＵＥ１１５−ｋがロールバックできないとき、ＵＥ１１５−ｋは、そのようにそのデータ圧縮バッファをリセットまたは初期化するようにターゲット基地局１０５−ｗに要求し得る。
【０１７２】
[0188]いくつかの例では、データ圧縮機能７４０の表示は、ターゲット基地局１０５−ｗがコンテキスト情報をソース基地局１０５−ｖから取り出すことができなかったことを示し得る。このことは、コンテキスト情報をターゲット基地局１０５−ｗにおいて受信するときのエラーなどが原因で、コンテキスト情報がソース基地局１０５−ｖにおいて利用不可能であったためであり得る。ＵＥ１１５−ｋは、ブロック７４５において、データ圧縮方式の連続性がターゲット基地局１０５−ｗにおいてサポートされないことをそのように決定し得る。ＵＥ１１５−ｋは、したがって、データ圧縮バッファをリセッティングし得、基地局１０５−ｗもデータ圧縮バッファをリセットすることを（たとえば、通信リンク７５０を介して）要求し得る。
【０１７３】
[0189]いくつかの例では、ＵＥ１１５−ｋおよびターゲット基地局１０５−ｗは、ＵＥ固有のデータ圧縮コンテキスト情報がターゲット基地局１０５−ｗとの通信用に利用可能であり得るのか、それとも利用可能であり得ないのかにかかわらず、静的バッファ（たとえば、図３の静的ｅＤＣＳバッファ３１５、３５５）のコンテキスト情報を参照し得る。たとえば、システム内のデータ圧縮可能な基地局１０５およびＵＥ１１５は、頻発アクセスデータ−  たとえば、頻繁に訪れられるウェブサイトなどのためのコンテキスト情報を有する静的バッファを維持し得る。ＵＥ１１５−ｋおよびターゲット基地局１０５−ｗは、各ＲＲＣ接続セットアップにおけるバッファを同期させる必要性なく、静的バッファのコンテキスト情報を参照しながら通信したことがある。
【０１７４】
[0190]図８は、本開示の様々な態様による、ワイヤレス通信における使用のためのデバイス８０５のブロック図８００を示す。デバイス８０５は、図１〜図７のうちの１つまたは複数を参照しながら説明したＵＥ１１５の１つまたは複数の態様の一例であり得る。デバイス８０５は、受信機モジュール８１０、ＵＥデータ圧縮モジュール８１５、および／または送信機モジュール８２０を含み得る。デバイス８０５はまた、プロセッサであり得るか、またはプロセッサを含み得る（図示せず）。これらのモジュールの各々は、互いに通信していることがある。
【０１７５】
[0191]デバイス８０５の構成要素は、適用可能な機能の一部または全部をハードウェアで実行するように適合された１つまたは複数の特定用途向け集積回路（ＡＳＩＣ）を使用して、個別にまたは集合的に実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用プロセッサまたは特定用途向けプロセッサによって実行されるようにフォーマットされた、メモリに組み込まれた命令を用いて実装され得る。
【０１７６】
[0192]受信機モジュール８１０は、図１〜図７を参照しながら説明したようなワイヤレス通信システム１００、２００、３００〜３０２、４００、５００、５０１、６００、または７００の１つまたは複数の通信リンクなどの、ワイヤレス通信システムの１つまたは複数の通信リンクを介して、パケット、ユーザデータ、および／または様々な情報チャネル（たとえば、制御チャネル、データチャネルなど）に関連する制御情報などの情報を受信し得る。受信機モジュール８１０は、圧縮データパケットと、シグナリング情報とを受信するように構成され得る。情報は、ＵＥデータ圧縮モジュール８１５に、またデバイス８０５の他の構成要素に伝えられ得る。いくつかの例では、情報は、送信パケット／受信パケットにおいてデータ圧縮を開始または継続することに関係するデータ圧縮情報を含み得る。他の例では、受信機モジュール８１０は、ターゲット基地局のデータ圧縮機能の表示をターゲット基地局から受信し得、表示は、コンテキスト識別子に少なくとも部分的に基づく。
【０１７７】
[0193]ＵＥデータ圧縮モジュール８１５は、図１〜図７に関して上記で説明したものと同様の方法で、パケットをＰＤＣＰ層から受信し得、基地局によって識別されたデータ圧縮アルゴリズムに従ってパケットを圧縮し得る。ＵＥデータ圧縮モジュール８１５は、場合によっては、図１〜図７に関して上記で説明したものと同様の方法で、ＲＬＣ層からパケットを受信し得、基地局によって識別されたデータ圧縮アルゴリズムに従ってパケットを復元し得る。ＵＥデータ圧縮モジュール８１５はまた、図１〜図７に関して上記で説明したように、ターゲット基地局へのハンドオーバに続いて、ＲＬＦに続いて、または新たなＲＲＣ接続の確立時にデータ圧縮技法が継続され得ると決定し得る。
【０１７８】
[0194]いくつかの例では、ＵＥデータ圧縮モジュール８１５は、データ圧縮方式を利用してソース基地局と通信し得、データ圧縮方式に関連するコンテキスト識別子をソース基地局から受信し得、コンテキスト識別子をターゲット基地局へ送信し得、ターゲット基地局のデータ圧縮機能の表示をターゲット基地局から受信し得、表示は、コンテキスト識別子に少なくとも部分的に基づく。
【０１７９】
[0195]送信機モジュール８２０は、デバイス８０５の他の構成要素から受信された１つまたは複数の信号を送信し得る。送信機モジュール８２０は、上記で説明したものと同様の方法で、たとえば、ワイヤレス通信リンクを介して基地局へ、圧縮データパケットを送信し得る。送信機モジュール８２０はまた、ワイヤレス通信リンクを介して基地局へ、確認応答と、ステータスＰＤＵと、圧縮または復元されたデータパケットとを送信し得る。いくつかの例では、送信機モジュール８２０は、コンテキスト識別子をターゲット基地局へ送信し得る。場合によっては、送信機モジュール８２０は、ソース基地局から受信されたコンテキスト識別子および情報に少なくとも部分的に基づいて、データ圧縮機能の表示をＵＥへ送り得る。いくつかの例では、送信機モジュール８２０は、トランシーバモジュールの中で受信機モジュール８１０と一緒に置かれてよい。
【０１８０】
[0196]図９は、様々な例による、ワイヤレス通信における使用のためのデバイス８０５−ａのブロック図９００を示す。デバイス８０５−ａは、図１〜図７のうちの１つまたは複数を参照しながら説明したＵＥ１１５の１つまたは複数の態様の一例であり得る。デバイス８０５−ａはまた、図８を参照しながら説明したデバイス８０５の一例であり得る。デバイス８０５−ａは、受信機モジュール８１０−ａ、ＵＥデータ圧縮モジュール８１５−ａ、および／または送信機モジュール８２０−ａを含み得、それらはデバイス８０５の対応するモジュールの例であり得る。デバイス８０５−ａはまた、プロセッサを含み得る（図示せず）。これらの構成要素の各々は、互いに通信していることがある。ＵＥデータ圧縮モジュール８１５−ａは、データ圧縮バッファモジュール９０５、データ圧縮決定モジュール９１０、送信確認応答モジュール９１５、ＤＣＳモジュール９２０、ならびにコンテキストＩＤモジュール９２５、ＲＲＣモードモジュール９３０、モビリティモジュール９３５、ＤＣＳ機能モジュール９４０、ＤＣＳバッファモジュール９４５、および静的バッファモジュール９５０を含み得る。受信機モジュール８１０−ａおよび送信機モジュール８２０−ａは、それぞれ、図８の受信機モジュール８１０および送信機モジュール８２０の機能を実行し得る。
【０１８１】
[0197]データ圧縮バッファモジュール９０５は、図１〜図７に関して上記で説明したように、たとえば、ｅＤＣＳバッファと静的ｅＤＣＳバッファとを含み得る。データ圧縮決定モジュール９１０は、データ圧縮管理と、ワイヤレス通信にとってデータ圧縮が使用されるべきかどうか、およびどんなタイプのデータ圧縮が使用されるべきかという決定とを実行し得る。たとえば、データ圧縮決定モジュール９１０は、図１〜図７に関して上記で説明したものと同様の方法で、ソース基地局またはターゲット基地局のデータ圧縮機能に関係する情報を受信し得、受信された情報に基づいてデータ圧縮ルーチンを開始または継続し得る。
【０１８２】
[0198]送信確認応答モジュール９１５は、確認応答機能と、受信パケット列の中の任意のホールの決定とを実行し得る。たとえば、送信確認応答モジュール９１５は、図１〜図７に関して上記で説明したものと同様の方法で、受信パケットのＰＤＣＰ  ＳＮを識別し得、パケットを送信した基地局へ関連するＡＣＫを送信し得、ステータスＰＤＵの中での送信のために、受信パケットに関係するステータス情報を提供し得る。ＤＣＳモジュール９２０は、図１〜図７を参照しながら上記で説明したように、データ圧縮方式を利用してソース基地局と通信し得る。ＤＣＳモジュール９２０はまた、コンテキスト識別子を含み得るコンテキスト機能のセットをターゲット基地局へ送信し得る。
【０１８３】
[0199]コンテキストＩＤモジュール９２５は、図１〜図７を参照しながら上記で説明したように、データ圧縮方式に関連するコンテキスト識別子をソース基地局から受信し得る。いくつかの例では、コンテキスト識別子の送信は、ページングメッセージまたはＭＯメッセージによってトリガされ得る。いくつかの例では、コンテキスト識別子の送信は、ＵＥの過去の挙動によってトリガされ得る。いくつかの例では、コンテキスト識別子の送信は、加入基準によってトリガされ得る。
【０１８４】
[0200]ＲＲＣモードモジュール９３０は、図１〜図７を参照しながら上記で説明したように、モジュール８１５−ａがその一部であるワイヤレスデバイス（たとえば、ＵＥ１１５）に、ソース基地局に接続されながらアイドルモードに遷移させ得る。モビリティモジュール９３５は、図１〜図７を参照しながら上記で説明したように、ソース基地局からターゲット基地局へのアイドルモードモビリティ手順を実行し得、アイドルモードモビリティ手順は、ソース基地局からコンテキスト識別子を受信した後、およびアイドルモードに遷移した後に行われ得る。
【０１８５】
[0201]ＤＣＳ機能モジュール９４０は、図１〜図７を参照しながら上記で説明したように、データ圧縮機能の表示に基づいて、データ圧縮方式の連続性がターゲット基地局においてサポートされると決定し得る。ＤＣＳ機能モジュール９４０はまた、データ圧縮機能の表示に基づいて、データ圧縮方式の連続性がターゲット基地局においてサポートされないと決定し得る。
【０１８６】
[0202]ＤＣＳバッファモジュール９４５は、図１〜図７を参照しながら上記で説明したように、データ圧縮方式ベースの、データ圧縮方式の連続性がサポートされると決定することを利用してターゲット基地局と通信し得る。ＤＣＳバッファモジュール９４５は、追加または代替として、決定することに少なくとも部分的に基づいてデータ圧縮バッファをリセットし得る。
【０１８７】
[0203]いくつかの例では、ターゲット基地局におけるもののデータ圧縮機能の表示は、コンテキストチェックポイント識別子を含む。コンテキストチェックポイント識別子は、データ圧縮バッファの中で維持されている現在のバージョンのデータ圧縮コンテキスト情報に対応し得る。または、コンテキストチェックポイント識別子は、データ圧縮バッファの中で現在維持されているものよりも前のバージョンのデータ圧縮コンテキスト情報に対応し得る。ＤＣＳバッファモジュール９４５は、チェックポイント識別子に基づいてデータ圧縮バッファをリセットし得る。静的バッファモジュール９５０は、図１〜図７を参照しながら上記で説明したように、ＵＥ固有のデータ圧縮コンテキスト情報にかかわらず、静的バッファのコンテキスト情報を参照し得る。
【０１８８】
[0204]図１０は、様々な例による、ワイヤレス通信における使用のためのシステム１０００を示す。システム１０００は、図１〜図７のうちの１つまたは複数のＵＥ１１５の一例であり得る、ＵＥ１１５−ｌを含み得る。ＵＥ１１５−ｌはまた、図８および図９のデバイス８０５の１つまたは複数の態様の一例であり得る。ＵＥ１１５−ｌは、図８および図９を参照しながら説明したデータ圧縮モジュール８１５の一例であり得る、データ圧縮モジュール８１５−ｂを含み得る。ＵＥ１１５−ｌはまた、通信を送信するための構成要素と、通信を受信するための構成要素とを含む、双方向の音声およびデータ通信のための構成要素を含み得る。たとえば、ＵＥ１１５−ｌは、基地局１０５−ｘまたはＵＥ１１５−ｍと双方向に通信し得る。
【０１８９】
[0205]ＵＥ１１５−ｌは、概して、通信を送信するための構成要素と、通信を受信するための構成要素とを含む、双方向の音声およびデータ通信のための構成要素を含み得る。ＵＥ１１５−ｌは、アンテナ１０４０と、トランシーバモジュール１０３５と、プロセッサモジュール１００５と、メモリ１０１５（ソフトウェア（ＳＷ）１０２０を含む）とを含み得、ここで、各々は、直接的または間接的に（たとえば、１つまたは複数のバス１０４５を介して）互いに通信し得る。トランシーバモジュール１０３５は、上記で説明したように、アンテナ１０４０および／または１つもしくは複数のワイヤードもしくはワイヤレスの通信リンクを介して、１つまたは複数のネットワークと双方向に通信するように構成され得る。たとえば、トランシーバモジュール１０３５は、基地局１０５−ｘなどの基地局１０５またはＵＥ１１５−ｍなどのＵＥ１１５と双方向に通信するように構成され得る。トランシーバモジュール１０３５は、パケットを変調するとともに被変調パケットを送信のためにアンテナ１０４０に供給し、アンテナ１０４０から受信されたパケットを復調するように構成されたモデムを含み得る。ＵＥ１１５−ｌは単一のアンテナ１０４０を含み得るが、ＵＥ１１５−ｌは、複数のワイヤレス送信を同時に送信および／または受信することが可能な複数のアンテナ１０４０を有してもよい。トランシーバモジュール１０３５は、複数のコンポーネントキャリアを介して１つまたは複数の基地局１０５と同時に通信することが可能であり得る。
【０１９０】
[0206]ＵＥ１１５−ｌは、図８または図９のデバイス８０５のＵＥデータ圧縮モジュール８１５について上記で説明した機能を実行し得るＵＥデータ圧縮モジュール８１５−ｂを含み得る。たとえば、ＵＥデータ圧縮モジュール８１５−ｂは、図１〜図７に関して上記で説明したものと同様の方法で、ＰＤＣＰ層からパケットを受信し得、基地局によって識別されたデータ圧縮アルゴリズムに従ってパケットを圧縮し得る。ＵＥデータ圧縮モジュール８１５−ｂはまた、図１〜図７に関して上記で説明したように、ターゲット基地局へのハンドオーバに続いて、ＲＬＦに続いて、または新たなＲＲＣ接続の確立時にデータ圧縮技法が継続され得ると決定し得る。
【０１９１】
[0207]場合によっては、ＵＥデータ圧縮モジュール８１５−ｂは、図１〜図７に関して上記で説明したものと同様の方法で、ＲＬＣ層においてパケットを受信し得、基地局によって識別されたデータ圧縮アルゴリズムに従ってパケットを復元し得る。ＵＥデータ圧縮モジュール８１５−ｂはまた、図１〜図７に関して上記で説明したように、ターゲット基地局へのハンドオーバに続いて、ＲＬＦに続いて、または新たなＲＲＣ接続の確立時にデータ圧縮技法が継続され得ると決定することもある。
【０１９２】
[0208]メモリ１０１５は、ランダムアクセスメモリ（ＲＡＭ）と、読取り専用メモリ（ＲＯＭ）とを含み得る。メモリ１０１５は、実行されたとき、プロセッサモジュール１００５に、本明細書で説明する様々な機能（たとえば、データ圧縮、ハンドオーバに続くデータ圧縮の継続された使用の決定など）を実行させるように構成されている命令を含む、コンピュータ可読、コンピュータ実行可能のソフトウェア／ファームウェアコード１０２０を記憶し得る。代替として、コンピュータ可読、コンピュータ実行可能のソフトウェア／ファームウェアコード１０２０は、プロセッサモジュール１００５によって直接実行可能でなくてよいが、（たとえば、コンパイルおよび実行されたとき）コンピュータに本明細書で説明する機能を実行させるように構成され得る。プロセッサモジュール１００５は、インテリジェントハードウェアデバイス、たとえば、中央処理装置（ＣＰＵ）、マイクロコントローラ、特定用途向け集積回路（ＡＳＩＣ）などを含み得る。
【０１９３】
[0209]図１１は、本開示の様々な態様による、ワイヤレス通信における使用のための装置１１０５のブロック図１１００を示す。いくつかの例では、装置１１０５は、図１〜図７のうちの１つまたは複数を参照しながら説明した基地局１０５のうちの１つまたは複数の態様の一例であり得る。いくつかの例では、装置１１０５は、ＬＴＥ／ＬＴＥ−Ａ  ｅＮＢおよび／もしくはＬＴＥ／ＬＴＥ−Ａ基地局一部であり得るか、またはそれを含み得る。装置１１０５はまた、プロセッサであり得る。装置１１０５は、受信機モジュール１１１０、基地局データ圧縮モジュール１１１５、および／または送信機モジュール１１２０を含み得る。これらのモジュールの各々は、互いに通信していることがある。
【０１９４】
[0210]装置１１０５の構成要素は、適用可能な機能の一部または全部をハードウェアで実行するように適合された１つまたは複数のＡＳＩＣを使用して、個別にまたは集合的に実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用プロセッサまたは特定用途向けプロセッサによって実行されるようにフォーマットされた、メモリに組み込まれた命令を用いて実装され得る。
【０１９５】
[0211]いくつかの例では、受信機モジュール１１１０は、圧縮データパケットを１つまたは複数のＵＥから受信するように動作可能なＲＦ受信機などの、少なくとも１つの無線周波数（ＲＦ）受信機を含み得る。受信機モジュール１１１０は、図１〜図７を参照しながら説明するようなワイヤレス通信システム１００、２００、３００〜３０２、４００、５００、５０１、６００、または７００の１つまたは複数の通信リンクなどの、ワイヤレス通信システムの１つまたは複数の通信リンクを介して、様々なタイプのデータおよび／または制御信号（すなわち、送信）を受信するために使用され得る。いくつかの例では、受信機モジュール８１０は、データ圧縮方式に関連するコンテキスト識別子をＵＥから受信し得る。
【０１９６】
[0212]基地局データ圧縮モジュール１１１５は、図１〜図７に関して上記で説明したように、データ圧縮動作および決定を実行し得る。たとえば、基地局データ圧縮モジュール１１１５は、受信機モジュール１１１０または送信機モジュール１１２０と組み合わせて、ＵＥとの接続を確立し得、データ圧縮方式に関連するコンテキスト識別子をＵＥから受信し得、コンテキスト識別子に基づいて、データ圧縮コンテキスト情報を求める要求をソース基地局へ送り得、ソース基地局から応答を受信し得る。応答は、データ圧縮方式にとってのコンテキスト情報の利用可能性、またはコンテキスト情報が利用不可能であることを示し得る。基地局データ圧縮モジュール１１１５は、送信機モジュール１１２０と組み合わせて、ソース基地局から受信されたコンテキスト識別子および情報に基づいて、データ圧縮機能の表示をＵＥへそのように送り得る。
【０１９７】
[0213]いくつかの例では、送信機モジュール１１２０は、図１〜図７に関して上記で説明したものと同様の方法で、データ圧縮に関係する情報を送信するように動作可能な少なくとも１つのＲＦ送信機などの、少なくとも１つのＲＦ送信機を含み得る。送信機モジュール１１２０は、図１〜図７を参照しながら説明するワイヤレス通信システム１００〜５００の１つまたは複数の通信リンクなどの、ワイヤレス通信システムの１つまたは複数の通信リンクを介して、様々なタイプのデータおよび／または制御信号（すなわち、送信）を送信するために使用され得る。いくつかの例では、送信機モジュール１１２０は、ソース基地局から受信されたコンテキスト識別子および情報に少なくとも部分的に基づいて、データ圧縮機能の表示をＵＥへ送り得る。
【０１９８】
[0214]図１２は、本開示の様々な態様による、ワイヤレス通信における使用のための装置１１０５−ａのブロック図１２００を示す。いくつかの例では、装置１１０５−ａは、図１〜図７のうちの１つもしくは複数を参照しながら説明する基地局１０５のうちの１つもしくは複数の態様の一例、および／または図１１を参照しながら説明する装置１１０５の態様の一例であり得る。いくつかの例では、装置１１０５−ａは、ＬＴＥ／ＬＴＥ−Ａ  ｅＮＢおよび／もしくはＬＴＥ／ＬＴＥ−Ａ基地局一部であり得るか、またはそれを含み得る。装置１１０５−ａはまた、プロセッサであり得る。装置１１０５−ａは、受信機モジュール１１１０−ａ、基地局データ圧縮モジュール１１１５−ａ、および／または送信機モジュール１１２０−ａを含み得る。これらのモジュールの各々は、互いに通信していることがある。
【０１９９】
[0215]装置１１０５−ａの構成要素は、適用可能な機能の一部または全部をハードウェアで実行するように適合された１つまたは複数のＡＳＩＣを使用して、個別にまたは集合的に実装され得る。代替的に、機能は、１つまたは複数の他の処理ユニット（または、コア）によって、１つまたは複数の集積回路上で実行され得る。他の例では、当技術分野で知られている任意の方法でプログラムされ得る、他のタイプの集積回路（たとえば、ストラクチャード／プラットフォームＡＳＩＣ、ＦＰＧＡ、および他のセミカスタムＩＣ）が使用され得る。各構成要素の機能はまた、全体的にまたは部分的に、１つまたは複数の汎用プロセッサまたは特定用途向けプロセッサによって実行されるようにフォーマットされた、メモリに組み込まれた命令を用いて実装され得る。
【０２００】
[0216]いくつかの例では、受信機モジュール１１１０−ａは、図１１を参照しながら説明した受信機モジュール１１１０の１つまたは複数の態様の一例であり得る。いくつかの例では、受信機モジュール１１１０−ａは、圧縮データパケットを受信するように動作可能な少なくとも１つのＲＦ受信機などの、少なくとも１つの無線周波数（ＲＦ）受信機を含み得る。受信機モジュール１１１０−ａは、図１〜図７を参照しながら説明したようなワイヤレス通信システム１００、２００、３００〜３０２、４００、５００、５０１、６００、または７００の１つまたは複数の通信リンクなどの、ワイヤレス通信システムの１つまたは複数の通信リンクを介して、様々なタイプのデータおよび／または制御信号（すなわち、送信）を受信するために使用され得る。
【０２０１】
[0217]いくつかの例では、送信機モジュール１１２０−ａは、図１１を参照しながら説明した送信機モジュール１１２０の１つまたは複数の態様の一例であり得る。いくつかの例では、送信機モジュール１１２０−ａは、圧縮データパケットと、データ圧縮ルーチンの使用に関係する制御情報とを送信するように動作可能な少なくとも１つのＲＦ送信機などの、少なくとも１つのＲＦ送信機を含み得る。送信機モジュール１１２０−ａは、図１〜図７を参照しながら説明したようなワイヤレス通信システム１００、２００、３００〜３０２、４００、５００、５０１、６００、または７００の１つまたは複数の通信リンクなどの、ワイヤレス通信システムの１つまたは複数の通信リンクを介して、様々なタイプのデータおよび／または制御信号（すなわち、送信）を送信するために使用され得る。
【０２０２】
[0218]図１２の例では、基地局データ圧縮モジュール１１１５−ａは、ハンドオーバ決定モジュール１２０５と、データ圧縮バッファモジュール１２１５を含むデータ圧縮コンテキストモジュール１２１０とを含む。ハンドオーバ決定モジュール１２０５は、いくつかの例では、ターゲット基地局へのＵＥのハンドオーバに関係する決定を行い得る。そのような決定は、確立された技法に従って行われ得、たとえば、チャネル状態、基地局におけるローディング、他の基地局におけるローディング、基地局の機能などに基づき得る。データ圧縮コンテキストモジュール１２１０は、図１〜図７に関して上記で説明したように、データ圧縮コンテキスト情報を確立および維持し得、たとえば、ｅＤＣＳバッファと静的ｅＤＣＳバッファとを含み得るデータ圧縮バッファモジュール１２１５を含み得る。データ圧縮コンテキストモジュール１２１０は、図１〜図７に関して上記で説明したものと同様の方法で、データ圧縮コンテキスト情報を１つまたは複数の他の基地局に転送するために使用され得る。
【０２０３】
[0219]基地局データ圧縮モジュール１１１５−ａはまた、基地局ＲＲＣモードモジュール１２２０と、ステーション間通信モジュール１２２５と、基地局ＤＣＳモジュール１２３０とを含み得る。基地局ＲＲＣモードモジュール１２２０は、図１〜図７を参照しながら上記で説明したように、ＵＥとの接続を確立し得る。ステーション間通信モジュール１２２５は、図１〜図７を参照しながら上記で説明したように、コンテキスト識別子に少なくとも部分的に基づいて、データ圧縮コンテキスト情報を求める要求をソース基地局へ送り得る。基地局ＤＣＳモジュール１２３０は、図１〜図７を参照しながら上記で説明したように、ソース基地局から応答を受信し得、応答は、データ圧縮方式にとってのコンテキスト情報の利用可能性、またはコンテキスト情報が利用不可能であることを示す。
【０２０４】
[0220]基地局データ圧縮モジュール１１１５−ａはまた、基地局ＤＣＳバッファモジュール１２３５と、基地局ＤＣＳ機能モジュール１２４０と、基地局静的バッファモジュール１２４５とを含み得る。基地局ＤＣＳバッファモジュール１２３５は、図１〜図７を参照しながら上記で説明したように、データ圧縮機能の表示の中にコンテキストチェックポイント識別子を含めるように構成され得る。基地局ＤＣＳ機能モジュール１２４０は、図１〜図７を参照しながら上記で説明したように、コンテキスト機能のセットをＵＥから受信し得、いくつかの例では、コンテキスト機能のセットは、コンテキスト識別子を備える。基地局静的バッファモジュール１２４５は、図１〜図７を参照しながら上記で説明したように、ＵＥ固有のデータ圧縮コンテキスト情報にかかわらず、静的バッファコンテキストのコンテキスト情報を参照し得る。
【０２０５】
[0221]図１３は、本開示の様々な態様による、ワイヤレス通信における使用のための基地局１０５−ｙ（たとえば、ｅＮＢの一部または全部を形成する基地局）のブロック図１３００を示す。いくつかの例では、基地局１０５−ｙは、図１〜図７のうちの１つもしくは複数を参照しながら説明した基地局１０５のうちの１つもしくは複数の態様、および／または図１１もしくは図１２を参照しながら説明したような、基地局として構成されたときの装置１１０５のうちの１つもしくは複数の態様の一例であり得る。基地局１０５−ｙは、図１〜図７、図１１、または図１２のうちの１つまたは複数を参照しながら説明した基地局および／または装置の特徴および機能のうちの少なくともいくつかを実施または容易にするように構成され得る。
【０２０６】
[0222]基地局１０５−ｙは、基地局プロセッサモジュール１３１０、基地局メモリモジュール１３２０、（基地局トランシーバモジュール１３５０によって表される）少なくとも１つの基地局トランシーバモジュール、（基地局アンテナ１３５５によって表される）少なくとも１つの基地局アンテナ、および／または基地局データ圧縮モジュール１１１５−ｂを含み得る。基地局１０５−ａはまた、基地局通信モジュール１３３０および／またはネットワーク通信モジュール１３４０のうちの１つまたは複数を含み得る。これらのモジュールの各々は、１つまたは複数のバス１３３５を介して直接的または間接的に互いに通信していることがある。
【０２０７】
[0223]基地局メモリモジュール１３２０は、ランダムアクセスメモリ（ＲＡＭ）および／または読取り専用メモリ（ＲＯＭ）を含み得る。基地局メモリモジュール１３２０は、実行されたとき、基地局プロセッサモジュール１３１０に、ワイヤレス通信に関して本明細書で説明する様々な機能（たとえば、データ圧縮動作、アイドルモビリティ手順またはＲＲＣ接続セットアップ手順を通じた発展型データ圧縮方式のサポート連続性など）を実行させるように構成されている命令を含む、コンピュータ可読、コンピュータ実行可能のソフトウェア／ファームウェアコード１３２５を記憶し得る。代替として、コンピュータ可読、コンピュータ実行可能のソフトウェア／ファームウェアコード１３２５は、基地局プロセッサモジュール１３１０によって直接実行可能でなくてよいが、（たとえば、コンパイルおよび実行されたとき）基地局１０５−ｙに本明細書で説明する様々な機能を実行させるように構成され得る。
【０２０８】
[0224]基地局プロセッサモジュール１３１０は、インテリジェントハードウェアデバイス、たとえば、中央処理装置（ＣＰＵ）、マイクロコントローラ、ＡＳＩＣなどを含み得る。基地局プロセッサモジュール１３１０は、基地局トランシーバモジュール１３５０、基地局通信モジュール１３３０、および／またはネットワーク通信モジュール１３４０を通じて受信された情報を処理し得る。基地局プロセッサモジュール１３１０はまた、アンテナ１３５５を通じた送信のためにトランシーバモジュール１３５０へ、１つもしくは複数の他の基地局１０５への送信のために基地局通信モジュール１３３０へ、および／または図１を参照しながら説明したコアネットワーク１３０の１つもしくは複数の態様の一例であり得るコアネットワーク１３０−ａへの送信のためにネットワーク通信モジュール１３４０へ送られるべき情報を処理し得る。トランシーバモジュールは、図１１の組み合わせられた受信機モジュール１１１０および送信機モジュール１１２０の一例であり得る。基地局プロセッサモジュール１３１０は、図１〜図７に関して上記で説明したように、単独で、または基地局データ圧縮モジュール１１１５−ｂとともに、データ圧縮技法の様々な態様を扱い得る。
【０２０９】
[0225]基地局トランシーバモジュール１３５０は、パケットを変調するとともに被変調パケットを送信のために基地局アンテナ１３５５に供給し、基地局アンテナ１３５５から受信されたパケットを復調するように構成されたモデムを含み得る。基地局トランシーバモジュール１３５０は、いくつかの例では、１つまたは複数の基地局送信機モジュールおよび１つまたは複数の別個の基地局受信機モジュールとして実装され得る。基地局トランシーバモジュール１３５０は、第１の無線周波数スペクトル帯域および／または第２の無線周波数スペクトル帯域での通信をサポートし得る。基地局トランシーバモジュール１３５０は、ＵＥ１１５−ｎ、または図１〜図１０を参照しながら説明したＵＥ１１５のうちの１つもしくは複数などの、１つまたは複数のＵＥまたは装置と、アンテナ１３５５を介して双方向に通信するように構成され得る。基地局１０５−ｙは、たとえば、複数の基地局アンテナ１３５５（たとえば、アンテナアレイ）を含み得る。基地局１０５−ｙは、ネットワーク通信モジュール１３４０を通じてコアネットワーク１３０−ａと通信し得る。基地局１０５−ｙはまた、基地局通信モジュール１３３０を使用して、基地局１０５−ｚおよび１０５−ａａなどの他の基地局と通信し得る。
【０２１０】
[0226]基地局データ圧縮モジュール１１１５−ｂは、データ圧縮動作に関して図１〜図７を参照しながら説明した特徴および／または機能の一部または全部を実行および／または制御するように構成され得る。基地局データ圧縮モジュール１１１５−ｂ、またはモジュール１１１５−ｂの部分は、プロセッサを含み得、および／あるいは基地局データ圧縮モジュール１１１５−ｂの機能の一部または全部は、基地局プロセッサモジュール１３１０によって、および／または基地局プロセッサモジュール１３１０とともに実行され得る。いくつかの例では、基地局データ圧縮モジュール１１１５−ｂは、図１１および／または図１２を参照しながら説明した基地局データ圧縮モジュール１１１５および／または１１１５−ａの一例であり得る。
【０２１１】
[0227]図１４は、基地局１０５−ａｂとＵＥ１１５−ｏとを含む多入力／多出力（ＭＩＭＯ）通信システム１４００のブロック図である。ＭＩＭＯ通信システム１４００は、図１〜図７に示すワイヤレス通信システム１００、２００、３００〜３０２、４００、５００、５０１、６００、または７００の態様を示し得る。基地局１０５−ａｂは、アンテナ１４３４−ａ〜１４３４−ｘを装備し得、ＵＥ１１５−ｏは、アンテナ１４５２−ａ〜１４５２−ｎを装備し得る。ＭＩＭＯ通信システム１４００において、基地局１０５−ａｂは、複数の通信リンクを介して同時にデータを送ることができる場合がある。各通信リンクは、「レイヤ」と呼ばれることがあり、通信リンクの「ランク」は、通信のために使用されるレイヤの数を示し得る。たとえば、基地局１０５−ａｂが２つの「レイヤ」を送信する２×２ＭＩＭＯ通信システムにおいて、基地局１０５−ａｂとＵＥ１１５−ｏとの間の通信リンクのランクは２である。
【０２１２】
[0228]基地局１０５−ａｂにおいて、送信プロセッサ１４２０は、データソースからデータを受信し得る。送信プロセッサ１４２０は、データを処理し得る。送信プロセッサ１４２０はまた、制御シンボルおよび／または基準シンボルを生成し得る。送信（ＴＸ）ＭＩＭＯプロセッサ１４３０は、適用可能な場合、データシンボル、制御シンボル、および／または基準シンボルに対して空間処理（たとえば、プリコーディング）を実行し得、送信変調器／復調器１４３２−ａ〜１４３２−ｘに出力シンボルストリームを供給し得る。各変調器／復調器１４３２は、出力サンプルストリームを取得するために、それぞれの出力シンボルストリームを（たとえば、ＯＦＤＭなどのために）処理し得る。各変調器／復調器１４３２は、さらに、ＤＬ信号を取得するために、出力サンプルストリームを処理（たとえば、アナログに変換、増幅、フィルタ処理、およびアップコンバート）し得る。一例では、変調器／復調器１４３２−ａ〜１４３２−ｘからのＤＬ信号は、それぞれ、アンテナ１４３４−ａ〜１４３４−ｘを介して送信され得る。
【０２１３】
[0229]ＵＥ１１５−ｏにおいて、ＵＥアンテナ１４５２−ａ〜１４５２−ｎは、基地局１０５−ａｂからＤＬ信号を受信し得、それぞれ、変調器／復調器１４５４−ａ〜１４５４−ｎに受信信号を供給し得る。各変調器／復調器１４５４は、入力サンプルを取得するために、それぞれの受信信号を調整（たとえば、フィルタ処理、増幅、ダウンコンバート、およびデジタル化）し得る。各変調器／復調器１４５４は、さらに、受信シンボルを取得するために、入力サンプルを（たとえば、ＯＦＤＭなどのために）処理し得る。ＭＩＭＯ検出器１４５６は、すべての変調器／復調器１４５４−ａ〜１４５４−ｎから受信シンボルを取得し得、適用可能な場合、受信シンボルに対してＭＩＭＯ検出を実行し得、検出されたシンボルを提供し得る。受信プロセッサ１４５８は、検出されたシンボルを処理（たとえば、復調、デインターリーブ、および復号）してＵＥ１１５−ｏのための復号データをデータ出力部に供給し得、復号された制御情報をプロセッサ１４８０またはメモリ１４８２に供給し得る。
【０２１４】
[0230]プロセッサ１４８０は、場合によっては、ＵＥ  ｅＤＣＳモジュール８１５−ｃのうちの１つまたは複数をインスタンス化するための、記憶されている命令を実行し得る。ＵＥ  ｅＤＣＳモジュール８１５−ｃは、図８〜図１０を参照しながら説明したＵＥデータ圧縮モジュール８１５の態様の一例であり得る。
【０２１５】
[0231]アップリンク（ＵＬ）上では、ＵＥ１１５−ｏにおいて、送信プロセッサ１４６４は、データソースからのデータを受信および処理し得る。送信プロセッサ１４６４はまた、基準信号用の基準シンボルを生成し得る。送信プロセッサ１４６４からのシンボルは、適用可能な場合、送信ＭＩＭＯプロセッサ１４６６によってプリコーディングされ得、変調器／復調器１４５４−ａ〜１４５４−ｎによって（たとえば、ＳＣ−ＦＤＭＡなどのために）さらに処理され得、基地局１０５−ａｂから受信された送信パラメータに従って基地局１０５−ａｂへ送信され得る。基地局１０５−ａｂにおいて、ＵＥ１１５−ｏからのＵＬ信号は、アンテナ１４３４によって受信され得、変調器／復調器１４３２によって処理され得、適用可能な場合、ＭＩＭＯ検出器１４３６によって検出され得、受信プロセッサ１４３８によってさらに処理され得る。受信プロセッサ１４３８は、復号データをデータ出力部ならびにプロセッサ１４４０および／またはメモリ１４４２に供給し得る。プロセッサ１４４０は、場合によっては、基地局データ圧縮（ｅＤＣＳ）モジュール１１１５−ｃのうちの１つまたは複数をインスタンス化するための、記憶されている命令を実行し得る。基地局データ圧縮（ｅＤＣＳ）モジュール１１１５−ｃは、図１１〜図１３を参照しながら説明した基地局データ圧縮モジュール１１１５の態様の一例であり得る。
【０２１６】
[0232]ＵＥ１１５−ｏの構成要素は、適用可能な機能の一部または全部をハードウェアで実行するように適合された１つまたは複数のＡＳＩＣを用いて、個別にまたは集合的に実装され得る。言及されたモジュールの各々は、ＭＩＭＯ通信システム１４００の動作に関係する１つまたは複数の機能を実行するための手段であり得る。同様に、基地局１０５−ｆの構成要素は、適用可能な機能の一部または全部をハードウェアで実行するように適合された１つまたは複数のＡＳＩＣを用いて、個別にまたは集合的に実装され得る。言及された構成要素の各々は、ＭＩＭＯ通信システム１４００の動作に関係する１つまたは複数の機能を実行するための手段であり得る。
【０２１７】
[0233]図１５は、本開示の様々な態様による、ワイヤレス通信のための方法１５００の一例を示すフローチャートである。明快のために、方法１５００は、図１〜図７を参照しながら説明した基地局１０５のうちの１つもしくは複数の態様、および／または図１１〜図１３を参照しながら説明した装置１１０５のうちの１つもしくは複数の態様を参照しながら以下で説明される。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行してもよい。方法１５００はまた、図１６〜図２２の方法１６００〜２２００の態様を組み込み得る。
【０２１８】
[0234]ブロック１５０５において、方法１５００は、ユーザ機器（ＵＥ）からターゲット基地局へのハンドオーバが実行されるべきと決定し得る。ブロック１５０５における動作は、図１１〜図１３を参照しながら説明した基地局データ圧縮モジュール１１１５を使用して、または図１２のハンドオーバ決定モジュール１２０５を使用して実行され得る。
【０２１９】
[0235]ブロック１５１０において、方法１５００は、ＵＥからの受信パケット列の中の少なくとも１つのギャップを識別し得る。ブロック１５１０における動作は、たとえば、図１１を参照しながら説明した基地局データ圧縮モジュール１１１５を使用して実行され得る。
【０２２０】
[0236]ブロック１５１５において、方法１５００は、ターゲット基地局のデータ圧縮機能を決定し得る。ブロック１５１５における動作は、図１１を参照しながら説明した基地局データ圧縮モジュール１１１５を使用して実行され得る。
【０２２１】
[0237]ブロック１５２０において、方法１５００は、ＵＥ用のコンテキスト情報をターゲット基地局に転送し得、ここにおいて、コンテキスト情報は、ターゲット基地局のデータ圧縮機能に少なくとも部分的に基づく。ブロック１５２０における動作は、たとえば、図１１を参照しながら説明した基地局データ圧縮モジュール１１１５、および／または図１３の基地局通信モジュール１３３０を使用して実行され得る。
【０２２２】
[0238]したがって、方法１５００はワイヤレス通信を提供し得る。方法１５００が一実装形態にすぎないこと、および方法１５００の動作は、他の実装形態が可能であるように再構成され得るかまたは別の方法で修正され得ることに留意されたい。
【０２２３】
[0239]図１６は、本開示の様々な態様による、ワイヤレス通信のための方法１６００の一例を示すフローチャートである。明快のために、方法１６００は、図１〜図７を参照しながら説明した基地局１０５のうちの１つもしくは複数の態様、および／または図１１〜図１３を参照しながら説明した装置１１０５のうちの１つもしくは複数の態様を参照しながら以下で説明される。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行してもよい。方法１６００はまた、図１５および図１７〜図２２の方法１５００または１７００〜２２００の態様を組み込み得る。
【０２２４】
[0240]ブロック１６０５において、方法１６００は、ユーザ機器（ＵＥ）からターゲット基地局へのハンドオーバが実行されるべきと決定し得る。ブロック１６０５における動作は、図１１〜図１３を参照しながら説明した基地局データ圧縮モジュール１１１５を使用して、または図１２のハンドオーバ決定モジュール１２０５を使用して実行され得る。
【０２２５】
[0241]ブロック１６１０において、方法１６００は、ＵＥからの受信パケット列の中の少なくとも１つのギャップを識別し得、ここで、ＵＥから受信されたパケット列は、アップリンクデータパケットを備え、ここで、アップリンクデータパケットは、データ圧縮ルーチンに従って圧縮されている情報を備える。ブロック１６１０における動作は、たとえば、図１１を参照しながら説明した基地局データ圧縮モジュール１１１５を使用して実行され得る。
【０２２６】
[0242]ブロック１６１５において、方法１６００は、ターゲット基地局のデータ圧縮機能を決定し得る。ブロック１６１５における動作は、図１１を参照しながら説明した基地局データ圧縮モジュール１１１５を使用して実行され得る。
【０２２７】
[0243]ブロック１６２０において、方法１６００は、データ圧縮バッファをターゲット基地局に転送し、ここにおいて、データ圧縮バッファは、静的データ圧縮部分と非静的データ圧縮部分とを備える。ブロック１６２０における動作は、たとえば、図１１を参照しながら説明した基地局データ圧縮モジュール１１１５、および／または図１３の基地局通信モジュール１３３０を使用して実行され得る。
【０２２８】
[0244]図１７は、本開示の様々な態様による、ワイヤレス通信のための方法１７００の一例を示すフローチャートである。明快のために、方法１７００は、図１〜図７を参照しながら説明した基地局１０５のうちの１つもしくは複数の態様、および／または図１１〜図１３を参照しながら説明した装置１１０５のうちの１つもしくは複数の態様を参照しながら以下で説明される。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行してもよい。方法１７００はまた、図１５、図１６、および図１８〜図２２の方法１５００、１６００、または１８００〜２２００の態様を組み込み得る。
【０２２９】
[0245]ブロック１７０５において、方法１７００は、ユーザ機器（ＵＥ）からターゲット基地局へのハンドオーバが実行されるべきと決定し得る。ブロック１７０５における動作は、図１１〜図１３を参照しながら説明した基地局データ圧縮モジュール１１１５を使用して、または図１２のハンドオーバ決定モジュール１２０５を使用して実行され得る。
【０２３０】
[0246]ブロック１７１０において、方法１７００は、ＵＥからの受信パケット列の中の少なくとも１つのギャップを識別し得、ここで、ＵＥから受信されたパケット列は、ソース基地局から受信されたダウンリンクデータパケット列に対する確認応答情報を備え（したがって、確認応答されなかったダウンリンクデータパケットを識別し）、ダウンリンクデータパケット列は、データ圧縮ルーチンに従って圧縮されている情報を備える。ブロック１７１０における動作は、たとえば、図１１を参照しながら説明した基地局データ圧縮モジュール１１１５を使用して実行され得る。
【０２３１】
[0247]ブロック１７１５において、方法１７００は、ターゲット基地局がソース基地局と同じデータ圧縮ルーチンをサポートするかどうかを決定し得る。場合によっては、方法はまた、ターゲット基地局のデータ圧縮機能を決定することを含み得る。ブロック１７１５における動作は、図１１を参照しながら説明した基地局データ圧縮モジュール１１１５を使用して実行され得る。
【０２３２】
[0248]ブロック１７２０において、方法１７００は、確認応答されなかったダウンリンクデータパケットと、確認応答されなかったダウンリンクデータパケットの後の１つまたは複数のダウンリンクデータパケットとを、データ圧縮ルーチンによるＵＥへの再送信のためにターゲット基地局に転送し得る。ブロック１７２０における動作は、たとえば、図１１を参照しながら説明した基地局データ圧縮モジュール１１１５、および／または図１３の基地局通信モジュール１３３０を使用して実行され得る。
【０２３３】
[0249]図１８は、本開示の様々な態様による、ワイヤレス通信のための方法１８００の一例を示すフローチャートである。明快のために、方法１８００は、図１〜図７を参照しながら説明したＵＥ１１５のうちの１つもしくは複数の態様、および／または図８〜図１０を参照しながら説明したデバイス８０５のうちの１つもしくは複数の態様を参照しながら以下で説明される。いくつかの例では、ＵＥ１１５は、以下で説明する機能を実行するように基地局の機能要素を制御するためのコードの１つまたは複数のセットを実行し得る。追加または代替として、ＵＥ１１５は、専用ハードウェアを使用して、以下で説明する機能のうちの１つまたは複数を実行してもよい。方法１８００はまた、図１５〜図１７および図１９〜図２２の方法１５００〜１７００または１９００〜２２００の態様を組み込み得る。
【０２３４】
[0250]ブロック１８０５において、方法１８００は、パケットをソース基地局へ送信し得る。ブロック１８０５における動作は、図８を参照しながら説明したＵＥデータ圧縮モジュール８１５および送信機モジュール８２０、図１０のトランシーバモジュール１０３５およびアンテナ１０４０を使用して、ならびに／または図１４のアンテナ１４５２および変調器／復調器１４５４を使用して実行され得る。
【０２３５】
[0251]ブロック１８１０において、方法１８００は、後続の通信がターゲット基地局へ送信されるべきであることを示すハンドオーバメッセージをソース基地局から受信し得、ハンドオーバメッセージは、ターゲット基地局のデータ圧縮機能の表示を含む。ブロック１８１０における動作は、図８を参照しながら説明したＵＥデータ圧縮モジュール８１５および受信機モジュール８１０を使用して、図１０のトランシーバモジュール１０３５およびアンテナ１０４０を使用して、ならびに／または図１４のアンテナ１４５２および変調器／復調器１４５４を使用して実行され得る。
【０２３６】
[0252]ブロック１８１５において、方法１８００は、ターゲット基地局から送信を受信し得、ここにおいて、送信は、ターゲット基地局のデータ圧縮機能に少なくとも部分的に基づく。ブロック１８１５における動作は、図８を参照しながら説明したＵＥデータ圧縮モジュール８１５および受信機モジュール８１０を使用して、図１０のトランシーバモジュール１０３５およびアンテナ１０４０を使用して、ならびに／または図１４のアンテナ１４５２および変調器／復調器１４５４を使用して実行され得る。
【０２３７】
[0253]したがって、方法１８００はワイヤレス通信を提供し得る。方法１８００が一実装形態にすぎないこと、および方法１８００の動作は、他の実装形態が可能であるように再構成され得るかまたは別の方法で修正され得ることに留意されたい。
【０２３８】
[0254]図１９は、本開示の様々な態様による、ワイヤレス通信のための方法１９００の一例を示すフローチャートである。明快のために、方法１９００は、図１〜図７を参照しながら説明した基地局１０５のうちの１つもしくは複数の態様、および／または図１１〜図１３を参照しながら説明した装置１１０５のうちの１つもしくは複数の態様を参照しながら以下で説明される。いくつかの例では、基地局は、以下で説明する機能を実行するように基地局の機能要素を制御するためのコードの１つまたは複数のセットを実行し得る。追加または代替として、基地局は、専用ハードウェアを使用して、以下で説明する機能のうちの１つまたは複数を実行してもよい。方法１９００はまた、図１５〜図１８および図１９〜図２２の方法１５００〜１８００または１９００〜２２００の態様を組み込み得る。
【０２３９】
[0255]ブロック１９０５において、方法１９００は、ＵＥがソース基地局からハンドオーバされるべきというハンドオーバ表示を受信し得る。ブロック１９０５における動作は、図１１を参照しながら説明した基地局データ圧縮モジュール１１１５、または図１２のハンドオーバ決定モジュール１２０５を使用して実行され得る。
【０２４０】
[0256]ブロック１９１０において、方法１９００は、データ圧縮機能をソース基地局へ送信し得る。ブロック１９１０における動作は、たとえば、図１１に関連する基地局データ圧縮モジュール１１１５および／もしくは送信機モジュール１１２０、ならびに／または図１３の基地局通信モジュール１３３０を使用して実行されることを使用して実行され得る。
【０２４１】
[0257]ブロック１９１５において、方法１９００は、ＵＥ用のコンテキスト情報をソース基地局から受信し得、ここにおいて、コンテキスト情報は、ＵＥによってソース基地局へ送られたパケット列の中の少なくとも１つのギャップを識別する。ブロック１９１５における動作は、たとえば、図１１を参照しながら説明した基地局データ圧縮モジュール１１１５、および／または図１３の基地局通信モジュール１３３０を使用して実行され得る。
【０２４２】
[0258]ブロック１９２０において、方法１９００は、コンテキスト情報に少なくとも部分的に基づいてＵＥへ送信し得る。ブロック１９２０における動作は、たとえば、図１１に関連する基地局データ圧縮モジュール１１１５および／または送信機モジュール１１２０を使用して実行されることを使用して実行され得る。
【０２４３】
[0259]したがって、方法１９００はワイヤレス通信を提供し得る。方法１９００が一実装形態にすぎないこと、および方法１９００の動作は、他の実装形態が可能であるように再構成され得るかまたは別の方法で修正され得ることに留意されたい。
【０２４４】
[0260]図２０は、本開示の様々な態様による、接続確立手順を通じてデータ圧縮を容易にするための方法２０００を示すフローチャートを示す。方法２０００の動作は、ＵＥ１１５、または図１〜図１０を参照しながら説明したようなその構成要素によって実施され得る。たとえば、方法２０００の動作は、図８〜図１０を参照しながら説明したようなデータ圧縮モジュール８１５によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する態様機能を実行してもよい。方法２０００はまた、図１５〜図１９、図２１、および図２２の方法１５００〜１９００、２１００、または２２００の態様を組み込み得る。
【０２４５】
[0261]ブロック２００５において、ＵＥ１１５は、図１〜図７を参照しながら上記で説明したように、データ圧縮方式を利用してソース基地局と通信し得る。いくつかの例では、ブロック２００５の動作は、図８を参照しながら上記で説明したようなデータ圧縮モジュール８１５によって実行され得る。
【０２４６】
[0262]ブロック２０１０において、ＵＥ１１５は、図１〜図７を参照しながら上記で説明したように、データ圧縮方式に関連するコンテキスト識別子をソース基地局から受信し得る。いくつかの例では、ブロック２０１０の動作は、図９を参照しながら上記で説明したようなコンテキストＩＤモジュール９２５によって実行され得る。
【０２４７】
[0263]ブロック２０１５において、ＵＥ１１５は、図１〜図７を参照しながら上記で説明したように、コンテキスト識別子をターゲット基地局へ送信し得る。いくつかの例では、ブロック２０１５の動作は、図８を参照しながら上記で説明したような送信機モジュール８２０によって実行され得る。
【０２４８】
[0264]ブロック２０２０において、ＵＥ１１５は、図１〜図７を参照しながら上記で説明したように、ターゲット基地局のデータ圧縮機能の表示をターゲット基地局から受信し得、表示は、コンテキスト識別子に少なくとも部分的に基づく。いくつかの例では、ブロック２０２０の動作は、図８を参照しながら上記で説明したような受信機モジュール８１０によって実行され得る。
【０２４９】
[0265]図２１は、本開示の様々な態様による、接続確立手順を通じてデータ圧縮を容易にするための方法２１００を示すフローチャートを示す。方法２１００の動作は、ＵＥ１１５、または図１〜図１０を参照しながら説明したようなその構成要素によって実施され得る。たとえば、方法２１００の動作は、図８〜図１０を参照しながら説明したような発展型データ圧縮モジュール８１５によって実行され得る。いくつかの例では、ＵＥ１１５は、以下で説明する機能を実行するようにＵＥ１１５の機能要素を制御するためのコードのセットを実行し得る。追加または代替として、ＵＥ１１５は、専用ハードウェアを使用して、以下で説明する態様機能を実行してもよい。方法１９００はまた、図１５〜図２０および図２２の方法１５００〜２０００および２２００の態様を組み込み得る。
【０２５０】
[0266]ブロック２１０５において、ＵＥ１１５は、図１〜図７を参照しながら上記で説明したように、データ圧縮方式を利用してソース基地局と通信し得る。いくつかの例では、ブロック２１０５の動作は、図８を参照しながら上記で説明したようなデータ圧縮モジュール８１５によって実行され得る。
【０２５１】
[0267]ブロック２１１０において、ＵＥ１１５は、図１〜図７を参照しながら上記で説明したように、データ圧縮方式に関連するコンテキスト識別子をソース基地局から受信し得る。いくつかの例では、ブロック２１１０の動作は、図９を参照しながら上記で説明したようなコンテキストＩＤモジュール９２５によって実行され得る。
【０２５２】
[0268]ブロック２１１５において、ＵＥ１１５は、図１〜図７を参照しながら上記で説明したように、ソース基地局に接続されながらアイドルモードに遷移し得る。いくつかの例では、ブロック２１１５の動作は、図９を参照しながら上記で説明したようなＲＲＣモードモジュール９３０によって実行され得る。
【０２５３】
[0269]ブロック２１２０において、ＵＥ１１５は、図１〜図７を参照しながら上記で説明したように、コンテキスト識別子をソース基地局から受信した後、ソース基地局からターゲット基地局へのアイドルモードモビリティ手順を実行し得る。いくつかの例では、ブロック２１２０の動作は、図９を参照しながら上記で説明したようなモビリティモジュール９３５によって実行され得る。
【０２５４】
[0270]ブロック２１２５において、ＵＥ１１５は、図１〜図７を参照しながら上記で説明したように、コンテキスト識別子をターゲット基地局へ送信し得る。いくつかの例では、ブロック２１２５の動作は、図８を参照しながら上記で説明したような送信機モジュール８２０によって実行され得る。
【０２５５】
[0271]ブロック２１３０において、ＵＥ１１５は、図１〜図７を参照しながら上記で説明したように、ターゲット基地局のデータ圧縮機能の表示をターゲット基地局から受信し得、表示は、コンテキスト識別子に少なくとも部分的に基づく。いくつかの例では、ブロック２１３０の動作は、図８を参照しながら上記で説明したような受信機モジュール８１０によって実行され得る。
【０２５６】
[0272]図２２は、本開示の様々な態様による、接続確立手順を通じてデータ圧縮を容易にするための方法２２００を示すフローチャートを示す。方法２２００の方法は、基地局１０５、または図１〜図１２を参照しながら説明したようなその構成要素によって実施され得る。たとえば、方法２２００の動作は、図１１〜図１３を参照しながら説明したような基地局データ圧縮モジュール１１１５によって実行され得る。いくつかの例では、基地局１０５は、以下で説明する機能を実行するように基地局１０５の機能要素を制御するためのコードのセットを実行し得る。追加または代替として、基地局１０５は、専用ハードウェアを使用して、以下で説明する態様機能を実行してもよい。方法１９００はまた、図１５〜図２２の方法１５００〜２１００の態様を組み込み得る。
【０２５７】
[0273]ブロック２２０５において、基地局１０５は、図１〜図７を参照しながら上記で説明したように、アイドルモードＵＥとの接続を確立し得る。いくつかの例では、ブロック２２０５の動作は、図１２を参照しながら上記で説明したような基地局ＲＲＣモードモジュール１２２０によって実行され得る。
【０２５８】
[0274]ブロック２２１０において、基地局１０５は、図１〜図７を参照しながら上記で説明したように、データ圧縮方式に関連するコンテキスト識別子をＵＥから受信し得る。いくつかの例では、ブロック２２１０の動作は、図１１を参照しながら上記で説明したような受信機モジュール１１１０によって実行され得る。
【０２５９】
[0275]ブロック２２１５において、基地局１０５は、図１〜図７を参照しながら上記で説明したように、コンテキスト識別子に少なくとも部分的に基づいて、データ圧縮コンテキスト情報を求める要求をソース基地局へ送り得る。いくつかの例では、ブロック２２１５の動作は、図１２を参照しながら上記で説明したようなステーション間通信モジュール１２２５によって実行され得る。
【０２６０】
[0276]ブロック２２２０において、基地局１０５は、図１〜図７を参照しながら上記で説明したように、ソース基地局から応答を受信し得、応答は、データ圧縮方式にとってのコンテキスト情報の利用可能性、またはコンテキスト情報が利用不可能であることを示す。いくつかの例では、ブロック２２２０の動作は、図１２を参照しながら上記で説明したような基地局ＤＣＳモジュール１２３０によって実行され得る。
【０２６１】
[0277]ブロック２２２５において、基地局１０５は、図１〜図７を参照しながら上記で説明したように、コンテキスト識別子、およびソース基地局から受信された応答に少なくとも部分的に基づいて、データ圧縮機能の表示をＵＥへ送り得る。いくつかの例では、ブロック２２２５の動作は、図１１を参照しながら上記で説明したような送信機モジュール１１２０によって実行され得る。
【０２６２】
[0278]いくつかの例では、方法１５００〜２２００のうちの２つ以上からの態様が組み合わせられてよい。方法１５００〜２２００が例示的な実装形態にすぎないこと、および方法１５００〜２２００の動作は、他の実装形態が可能であるように再構成され得るかまたは別の方法で修正され得ることに留意されたい。
【０２６３】
[0279]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば、互換的に使用される。ＣＤＭＡシステムは、ＣＤＭＡ２０００、ユニバーサル地上波無線アクセス（ＵＴＲＡ：Universal Terrestrial Radio Access）などの無線技術を実装し得る。ＣＤＭＡ２０００は、ＩＳ−２０００規格と、ＩＳ−１０５規格と、ＩＳ−８５６規格とをカバーする。ＩＳ−２０００リリース０およびＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイル電気通信システム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明する技法は、無認可および／または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムを説明し、上記の説明の大部分においてＬＴＥ用語が使用されるが、本技法はＬＴＥ／ＬＴＥ−Ａ適用例以外に適用可能である。
【０２６４】
[0280]添付の図面に関して上記に記載した発明を実施するための形態は、例を説明しており、実装され得るまたは特許請求の範囲内に入る唯一の例を表すものではない。「例」および「例示的」という用語は、この説明で使用されるとき、「例、事例、または例示として働く」ことを意味し、「好ましい」または「他の例よりも有利である」ことを意味しない。発明を実施するための形態は、説明する技法の理解を与えるための具体的な詳細を含む。ただし、これらの技法は、これらの具体的な詳細なしに実践され得る。いくつかの事例では、説明する例の概念を不明瞭にすることを回避するために、よく知られている構造および装置がブロック図の形態で示されている。
【０２６５】
[0281]情報および信号は、様々な異なる技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表され得る。
【０２６６】
[0282]本明細書の開示に関して説明する様々な例示的なブロックおよび構成要素は、汎用プロセッサ、デジタル信号プロセッサ（ＤＳＰ）、ＡＳＩＣ、ＦＰＧＡもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、またはステートマシンであり得る。プロセッサはまた、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成として実装され得る。
【０２６７】
[0283]本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶され得るか、あるいはコンピュータ可読媒体を介して送信され得る。他の例および実装形態が、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実施する特徴はまた、異なる物理的位置において機能の部分が実装されるように分散されることを含めて、様々な位置に物理的に配置され得る。特許請求の範囲を含めて、本明細書で使用されるとき、「および／または」という用語は、２つ以上の項目の列挙の中で使用されるとき、列挙された項目のうちのいずれか１つが単独で採用され得ること、または列挙された項目のうちの２つ以上の任意の組合せが採用され得ることを意味する。たとえば、組成が構成要素Ａ、Ｂ、および／またはＣを含むものとして説明される場合、その組成は、Ａのみ、Ｂのみ、Ｃのみ、ＡとＢの組合せ、ＡとＣの組合せ、ＢとＣの組合せ、またはＡとＢとＣの組合せを含むことができる。また、特許請求の範囲を含めて、本明細書で使用されるとき、項目の列挙（たとえば、「のうちの少なくとも１つ」あるいは「のうちの１つまたは複数」などの句で終わる項目の列挙）の中で使用されるような「または」は、たとえば、「Ａ、Ｂ、またはＣのうちの少なくとも１つ」という列挙が、ＡまたはＢまたはＣまたはＡＢまたはＡＣまたはＢＣまたはＡＢＣ（すなわち、ＡおよびＢおよびＣ）を意味するような選言的列挙を示す。
【０２６８】
[0284]コンピュータ可読媒体は、ある場所から別の場所へのコンピュータプログラムの移転を容易にする任意の媒体を含む、コンピュータ記憶媒体と通信媒体の両方を含む。記憶媒体は、汎用コンピュータまたは専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは所望のプログラムコード手段を命令またはデータ構造の形態で搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバ、または他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、レーザーを用いてデータを光学的に再生する。上記のものの組合せもコンピュータ可読媒体の範囲内に含まれる。
【０２６９】
[0285]コンピュータ可読媒体は、ある場所から別の場所へのコンピュータプログラムの移転を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ）、コンパクトディスク（ＣＤ）ＲＯＭまたは他の光ディスクストレージ、磁気ディスクストレージまたは他の磁気ストレージデバイス、あるいは所望のプログラムコード手段を命令またはデータ構造の形態で搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、同軸ケーブル、光ファイバケーブル、ツイストペア、デジタル加入者線（ＤＳＬ）、または赤外線、無線、およびマイクロ波などのワイヤレス技術を使用して、ソフトウェアがウェブサイト、サーバ、または他のリモートソースから送信される場合、同軸ケーブル、光ファイバケーブル、ツイストペア、ＤＳＬ、または赤外線、無線、およびマイクロ波などワイヤレス技術は、媒体の定義に含まれる。本明細書で使用するディスク（disk）およびディスク（disc）は、ＣＤ、レーザーディスク（disc）、光ディスク（disc）、デジタル多用途ディスク（disc）（ＤＶＤ）、フロッピーディスク（disk）およびＢｌｕ−ｒａｙディスク（disc）を含み、ここで、ディスク（disk）は、通常、データを磁気的に再生し、ディスク（disc）は、レーザーを用いてデータを光学的に再生する。上記のものの組合せもコンピュータ可読媒体の範囲内に含まれる。
【０２７０】
[0286]本開示の前述の説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
［Ｃ１］
ソース基地局におけるワイヤレス通信の方法であって、
ターゲット基地局へのユーザ機器（ＵＥ）のハンドオーバが実行されるべきと決定することと、
前記ＵＥから受信されたパケット列の中の少なくとも１つのギャップを識別することと、
前記ターゲット基地局のデータ圧縮機能を決定することと、
前記ＵＥ用のコンテキスト情報を前記ターゲット基地局に転送することとを備え、ここにおいて、前記コンテキスト情報が、前記ターゲット基地局の前記データ圧縮機能に少なくとも部分的に基づく、
方法。
［Ｃ２］
前記ＵＥから受信された前記パケット列が、アップリンクデータパケットを備え、ここにおいて、前記アップリンクデータパケットが、データ圧縮ルーチンに従って圧縮されている情報を備える、Ｃ１に記載の方法。
［Ｃ３］
前記ターゲット基地局の前記データ圧縮機能を決定することが、
前記ターゲット基地局が前記データ圧縮ルーチンをサポートするかどうかを決定することを備え、
ここにおいて、前記コンテキスト情報を転送することが、
前記少なくとも１つのギャップの後に順番に並べられたパケットに関連する圧縮状態情報を、前記ターゲット基地局に転送することを備え、ここにおいて、前記圧縮状態情報が、前記少なくとも１つのギャップの後に順番に並べられた前記パケットの復元を容易にする、
Ｃ２に記載の方法。
［Ｃ４］
前記コンテキスト情報が、前記パケット列の中の前記少なくとも１つのギャップを示すステータス報告と、前記データ圧縮ルーチンに関連する圧縮状態情報とを備える、Ｃ２に記載の方法。
［Ｃ５］
前記コンテキスト情報を転送することが、
データ圧縮バッファを前記ターゲット基地局に転送することを備え、ここにおいて、前記データ圧縮バッファが、静的データ圧縮部分と非静的データ圧縮部分とを備える、
Ｃ２に記載の方法。
［Ｃ６］
前記静的データ圧縮部分が、セル固有のデータ圧縮に関連し、前記非静的データ圧縮部分が、ＵＥ固有のデータ圧縮に関連する、Ｃ５に記載の方法。
［Ｃ７］
前記データ圧縮バッファを前記ターゲット基地局に転送することが、
前記データ圧縮バッファの前記非静的データ圧縮部分を転送することを備える、
Ｃ５に記載の方法。
［Ｃ８］
前記ターゲット基地局の前記データ圧縮機能を決定することが、
前記ターゲット基地局が前記データ圧縮ルーチンをサポートしないと決定することを備え、
ここにおいて、前記コンテキスト情報が、前記パケット列の中の前記少なくとも１つのギャップの前の、連続した最新のアップリンクパケットの識別を備える制御情報を備える、
Ｃ２に記載の方法。
［Ｃ９］
前記パケット列の中の前記少なくとも１つのギャップの表示を転送すること
をさらに備える、Ｃ８に記載の方法。
［Ｃ１０］
前記少なくとも１つのギャップの後に受信された最初のアップリンクパケットが、前記データ圧縮ルーチンによって圧縮されていないと決定することと、
前記最初のアップリンクパケットを前記ターゲット基地局に転送することと
をさらに備える、Ｃ８に記載の方法。
［Ｃ１１］
前記ＵＥから受信された前記パケット列が、前記ソース基地局から受信されたダウンリンクデータパケット列に対する確認応答情報を備え、前記ダウンリンクデータパケット列が、データ圧縮ルーチンに従って圧縮されている情報を備え、
ここにおいて、前記ＵＥから受信された前記パケット列の中の前記少なくとも１つのギャップを識別することが、
確認応答されなかったダウンリンクデータパケットを識別することを備える、
Ｃ１に記載の方法。
［Ｃ１２］
前記ターゲット基地局の前記データ圧縮機能を決定することが、
前記ターゲット基地局が前記データ圧縮ルーチンをサポートするかどうかを決定することと、
確認応答されなかったダウンリンクデータパケットと、前記確認応答されなかったダウンリンクデータパケットの後の１つまたは複数のダウンリンクデータパケットとを、前記データ圧縮ルーチンによる前記ＵＥへの再送信のために前記ターゲット基地局に転送することとを備える、
Ｃ１１に記載の方法。
［Ｃ１３］
後続の通信のために前記ターゲット基地局が使用されるべきであることを示すハンドオーバメッセージを前記ＵＥへ送信することをさらに備え、ここにおいて、前記ハンドオーバメッセージは、前記ターゲット基地局が前記ソース基地局および前記ＵＥによって使用されるデータ圧縮ルーチンをサポートするという表示を備え、ここにおいて、前記表示は、前記ターゲット基地局の前記データ圧縮機能が前記ソース基地局のデータ圧縮機能と互換性があると決定することに少なくとも部分的に基づく、
Ｃ１に記載の方法。
［Ｃ１４］
前記ハンドオーバメッセージが、前記少なくとも１つのギャップに関連するパケットを再送信するための、前記ＵＥへのコマンドを備える、Ｃ１３に記載の方法。
［Ｃ１５］
前記ＵＥのデータ圧縮機能を前記ターゲット基地局へ送信すること
をさらに備える、Ｃ１に記載の方法。
［Ｃ１６］
ターゲット基地局におけるワイヤレス通信の方法であって、
ＵＥがソース基地局からハンドオーバされるべきというハンドオーバ表示を受信することと、
前記ターゲット基地局のデータ圧縮機能を前記ソース基地局へ送信することと、
前記ＵＥ用のコンテキスト情報を前記ソース基地局から受信することと、ここにおいて、前記コンテキスト情報が、前記ＵＥによって前記ソース基地局へ送られたパケット列の中の少なくとも１つのギャップを識別する、
前記コンテキスト情報に少なくとも部分的に基づいて前記ＵＥへ送信することと
を備える方法。
［Ｃ１７］
前記ターゲット基地局の前記データ圧縮機能は、前記ソース基地局のデータ圧縮機能と互換性があり、ここにおいて、前記コンテキスト情報が、前記ＵＥ用のデータ圧縮コンテキスト情報を備える、Ｃ１６に記載の方法。
［Ｃ１８］
前記データ圧縮コンテキスト情報が、前記ＵＥによって前記ソース基地局へ送られた前記パケット列の中の前記少なくとも１つのギャップに関連するパケットを処理するために使用される、Ｃ１７に記載の方法。
［Ｃ１９］
前記ＵＥへ送信することが、
前記ＵＥによって前記ソース基地局へ送られた前記パケット列の中の前記少なくとも１つのギャップを識別するステータスメッセージを送信することを備える、
Ｃ１７に記載の方法。
［Ｃ２０］
前記ＵＥによって前記ソース基地局へ送られた前記パケット列が、アップリンクデータパケット列を備え、ここにおいて、前記アップリンクデータパケット列が、データ圧縮ルーチンに従って圧縮されている情報を備え、ここにおいて、前記コンテキスト情報を受信することが、
前記パケット列の中の前記少なくとも１つのギャップの後に前記ソース基地局に到達した追加パケットを受信することと、
前記ソース基地局からデータ圧縮バッファを受信することとを備え、データを復元する際に使用するための前記データ圧縮バッファが、前記少なくとも１つのギャップに関連するアップリンクパケットに含まれる、
Ｃ１６に記載の方法。
［Ｃ２１］
前記データ圧縮バッファが、静的データ圧縮部分と非静的データ圧縮部分とを備える、Ｃ２０に記載の方法。
［Ｃ２２］
前記ソース基地局から前記データ圧縮バッファを受信することが、前記データ圧縮バッファの前記非静的データ圧縮部分を受信することを備えること
をさらに備える、Ｃ２１に記載の方法。
［Ｃ２３］
前記ＵＥによって前記ソース基地局へ送られた前記パケット列が、前記ソース基地局によって前記ＵＥへ送られたダウンリンクデータパケット列に対する確認応答情報を備え、前記ダウンリンクデータパケット列が、データ圧縮ルーチンに従って圧縮されている情報を備え、ここにおいて、前記方法が、
前記ソース基地局によって前記ＵＥへ送られた前記ダウンリンクデータパケット列の中の前記少なくとも１つのギャップに関連するダウンリンクデータパケットと、前記ソース基地局によって前記ＵＥへ送られた前記ダウンリンクデータパケット列の中の前記少なくとも１つのギャップの後の１つまたは複数のデータパケットとを受信することをさらに備える、
Ｃ１６に記載の方法。
［Ｃ２４］
前記ＵＥへ送信することが、
ダウンリンクデータパケットを、前記データ圧縮ルーチンに従って前記ＵＥへ再送信することを備える、
Ｃ２３に記載の方法。
［Ｃ２５］
前記ターゲット基地局の前記データ圧縮機能が、前記ソース基地局のデータ圧縮機能と異なる、Ｃ１６に記載の方法。
［Ｃ２６］
前記ＵＥへ送信することが、
前記ＵＥによって前記ソース基地局へ送られた前記パケット列の中の前記少なくとも１つのギャップを識別するステータスメッセージを送信することを備える、
Ｃ２５に記載の方法。
［Ｃ２７］
前記コンテキスト情報が、前記ＵＥによって前記ソース基地局へ送られた前記パケット列の中の連続した最新のパケットの表示を備える、Ｃ２５に記載の方法。
［Ｃ２８］
前記ＵＥへ送信することが、
ステータスメッセージを前記ＵＥへ送信することを備え、前記ステータスメッセージが、前記連続した最新のパケットの後の、再送信されるべき１つまたは複数のパケットの識別を備える、
Ｃ２７に記載の方法。
［Ｃ２９］
前記ＵＥによって確認応答されなかったダウンリンクデータパケットと、前記パケット列の１つまたは複数のダウンリンクデータパケットとを、前記ソース基地局から受信することをさらに備え、
ここにおいて、前記ＵＥへ送信することが、
前記１つまたは複数のダウンリンクデータパケットを前記ＵＥへ送信することを備える、
Ｃ２５に記載の方法。
［Ｃ３０］
ユーザ機器（ＵＥ）におけるワイヤレス通信の方法であって、
パケットをソース基地局へ送信することと、
後続の通信がターゲット基地局へ送信されるべきであることを示すハンドオーバメッセージを前記ソース基地局から受信することと、前記ハンドオーバメッセージが、前記ターゲット基地局のデータ圧縮機能の表示を含む、
前記ターゲット基地局から送信を受信することと、ここにおいて、前記送信が、前記ターゲット基地局の前記データ圧縮機能に少なくとも部分的に基づく、
を備える方法。
［Ｃ３１］
前記パケットを前記ソース基地局へ送信することが、
パケット列を前記ソース基地局へ送信することを備え、前記パケット列が、データ圧縮ルーチンに従って圧縮されているデータを備える、
Ｃ３０に記載の方法。
［Ｃ３２］
前記ターゲット基地局から前記送信を受信することが、
前記ソース基地局において受信された前記パケット列の中の少なくとも１つのギャップを識別するステータス報告を受信することを備える、
Ｃ３１に記載の方法。
［Ｃ３３］
前記ステータス報告によって識別された少なくとも１つのパケットを再送信することをさらに備え、前記少なくとも１つのパケットが、前記ターゲット基地局の前記データ圧縮機能に従って圧縮されているデータを備える、
Ｃ３２に記載の方法。
［Ｃ３４］
前記ステータス報告によって識別された前記少なくとも１つのパケットを再送信することが、
前記少なくとも１つのパケットの中の非圧縮データを再送信することを備え、ここにおいて、前記ハンドオーバメッセージは、前記ターゲット基地局が前記データ圧縮ルーチンをサポートしないという表示を備える、
Ｃ３３に記載の方法。
［Ｃ３５］
前記ステータス報告が、順序付けられたデータパケット列の中の連続した最新のパケットを識別する、Ｃ３２に記載の方法。
［Ｃ３６］
前記ステータス報告によって識別された前記連続した最新のパケットの後のパケットを、前記ターゲット基地局へ再送信すること
をさらに備える、Ｃ３５に記載の方法。
［Ｃ３７］
前記パケットを前記ソース基地局へ送信することが、
前記ソース基地局から受信されたダウンリンクデータパケット列の中のパケットごとに確認応答を送信することを備え、前記ダウンリンクデータパケット列が、データ圧縮ルーチンに従って圧縮されているデータを備える、
Ｃ３０に記載の方法。
［Ｃ３８］
ステータス報告を前記ターゲット基地局へ送信することをさらに備え、前記ステータス報告が、前記ダウンリンクデータパケット列の中の少なくとも１つのギャップを示す、  Ｃ３７に記載の方法。
［Ｃ３９］
前記ターゲット基地局から前記送信を受信することが、
前記ステータス報告によって識別された１つまたは複数の再送信パケットを受信することを備え、前記１つまたは複数の再送信パケットが、前記ターゲット基地局によって前記データ圧縮ルーチンに従って圧縮されているデータを備える、
Ｃ３８に記載の方法。
［Ｃ４０］
ワイヤレス通信のための装置であって、
ターゲット基地局へのユーザ機器（ＵＥ）のハンドオーバが実行されるべきと決定するための手段と、
前記ＵＥから受信されたパケット列の中の少なくとも１つのギャップを識別するための手段と、
前記ターゲット基地局のデータ圧縮機能を決定するための手段と、
前記ＵＥ用のコンテキスト情報を前記ターゲット基地局に転送するための手段とを備え、ここにおいて、前記コンテキスト情報が、前記ターゲット基地局の前記データ圧縮機能に少なくとも部分的に基づく、
装置。
［Ｃ４１］
前記ＵＥから受信された前記パケット列が、アップリンクデータパケットを備え、ここにおいて、前記アップリンクデータパケットが、データ圧縮ルーチンに従って圧縮されている情報を備える、Ｃ４０に記載の装置。
［Ｃ４２］
前記ターゲット基地局の前記データ圧縮機能を決定するための前記手段が、
前記ターゲット基地局が前記データ圧縮ルーチンをサポートするかどうかを決定するための手段を備え、
ここにおいて、前記コンテキスト情報を転送するための前記手段が、
前記少なくとも１つのギャップの後に順番に並べられたパケットに関連する圧縮状態情報を、前記ターゲット基地局に転送するための手段を備え、ここにおいて、前記圧縮状態情報が、前記少なくとも１つのギャップの後に順番に並べられた前記パケットの復元を容易にする、
Ｃ４１に記載の装置。
［Ｃ４３］
前記コンテキスト情報が、前記パケット列の中の前記少なくとも１つのギャップを示すステータス報告と、前記データ圧縮ルーチンに関連する圧縮状態情報とを備える、Ｃ４１に記載の装置。
［Ｃ４４］
前記ターゲット基地局の前記データ圧縮機能を決定するための前記手段が、
前記ターゲット基地局が前記データ圧縮ルーチンをサポートしないと決定するための手段を備え、
ここにおいて、前記コンテキスト情報が、前記パケット列の中の前記少なくとも１つのギャップの前の、連続した最新のアップリンクパケットの識別を備える制御情報を備える、
Ｃ４１に記載の装置。
［Ｃ４５］
前記ＵＥから受信された前記パケット列が、前記ソース基地局から受信されたダウンリンクデータパケット列に対する確認応答情報を備え、前記ダウンリンクデータパケット列が、データ圧縮ルーチンに従って圧縮されている情報を備え、
ここにおいて、前記ＵＥから受信された前記パケット列の中の前記少なくとも１つのギャップを識別するための前記手段が、
確認応答されなかったダウンリンクデータパケットを識別するための手段を備える、  Ｃ４０に記載の装置。
［Ｃ４６］
前記ターゲット基地局の前記データ圧縮機能を決定するための前記手段が、
前記ターゲット基地局が前記データ圧縮ルーチンをサポートするかどうかを決定するための手段を備え、
確認応答されなかったダウンリンクデータパケットと、前記確認応答されなかったダウンリンクデータパケットの後の１つまたは複数のダウンリンクデータパケットとを、前記データ圧縮ルーチンによる前記ＵＥへの再送信のために前記ターゲット基地局に転送するための手段をさらに備える、
Ｃ４５に記載の装置。
［Ｃ４７］
後続の通信のために前記ターゲット基地局が使用されるべきであることを示すハンドオーバメッセージを前記ＵＥへ送信するための手段をさらに備え、ここにおいて、前記ハンドオーバメッセージは、前記ターゲット基地局が前記ソース基地局および前記ＵＥによって使用されるデータ圧縮ルーチンをサポートするという表示を備え、ここにおいて、前記表示は、前記ターゲット基地局の前記データ圧縮機能が前記ソース基地局のデータ圧縮機能と互換性があると決定することに少なくとも部分的に基づく、
Ｃ４０に記載の装置。
［Ｃ４８］
前記ＵＥのデータ圧縮機能を前記ターゲット基地局へ送信するための手段
をさらに備える、Ｃ４０に記載の装置。
［Ｃ４９］
ワイヤレス通信のための装置であって、
ＵＥがソース基地局からハンドオーバされるべきというハンドオーバ表示を受信するための手段と、
前記ターゲット基地局のデータ圧縮機能を前記ソース基地局へ送信するための手段と、  前記ＵＥ用のコンテキスト情報を前記ソース基地局から受信するための手段と、ここにおいて、前記コンテキスト情報が、前記ＵＥによって前記ソース基地局へ送られたパケット列の中の少なくとも１つのギャップを識別する、
前記コンテキスト情報に少なくとも部分的に基づいて前記ＵＥへ送信するための手段と  を備える装置。
［Ｃ５０］
前記ターゲット基地局の前記データ圧縮機能は、前記ソース基地局のデータ圧縮機能と互換性があり、ここにおいて、前記コンテキスト情報が、前記ＵＥ用のデータ圧縮コンテキスト情報を備える、Ｃ４９に記載の装置。
［Ｃ５１］
前記データ圧縮コンテキスト情報が、前記ＵＥによって前記ソース基地局へ送られた前記パケット列の中の前記少なくとも１つのギャップに関連するパケットを処理するために使用される、Ｃ５０に記載の装置。
［Ｃ５２］
前記ＵＥによって前記ソース基地局へ送られた前記パケット列が、アップリンクデータパケット列を備え、ここにおいて、前記アップリンクデータパケット列が、データ圧縮ルーチンに従って圧縮されている情報を備え、ここにおいて、前記コンテキスト情報を受信するための前記手段が、
前記パケット列の中の前記少なくとも１つのギャップの後に前記ソース基地局に到達した追加パケットを受信するための手段と、
前記ソース基地局からデータ圧縮バッファを受信するための手段とを備え、データを復元する際に使用するための前記データ圧縮バッファが、前記少なくとも１つのギャップに関連するアップリンクパケットに含まれる、
Ｃ４９に記載の装置。
［Ｃ５３］
前記ＵＥによって前記ソース基地局へ送られた前記パケット列が、前記ソース基地局によって前記ＵＥへ送られたダウンリンクデータパケット列に対する確認応答情報を備え、前記ダウンリンクデータパケット列が、データ圧縮ルーチンに従って圧縮されている情報を備え、ここにおいて、前記装置が、
前記ソース基地局によって前記ＵＥへ送られた前記ダウンリンクデータパケット列の中の前記少なくとも１つのギャップに関連するダウンリンクデータパケットと、前記ソース基地局によって前記ＵＥへ送られた前記ダウンリンクデータパケット列の中の前記少なくとも１つのギャップの後の１つまたは複数のデータパケットとを受信するための手段をさらに備える、
Ｃ４９に記載の装置。
［Ｃ５４］
前記ターゲット基地局の前記データ圧縮機能が、前記ソース基地局のデータ圧縮機能と異なる、Ｃ４９に記載の装置。
［Ｃ５５］
前記ＵＥへ送信するための前記手段が、
前記ＵＥによって前記ソース基地局へ送られた前記パケット列の中の前記少なくとも１つのギャップを識別するステータスメッセージを送信するための手段を備える、
Ｃ５４に記載の装置。
［Ｃ５６］
前記コンテキスト情報が、前記ＵＥによって前記ソース基地局へ送られた前記パケット列の中の連続した最新のパケットの表示を備える、Ｃ５４に記載の装置。
［Ｃ５７］
ワイヤレス通信のための装置であって、
パケットをソース基地局へ送信するための手段と、
後続の通信がターゲット基地局へ送信されるべきであることを示すハンドオーバメッセージを前記ソース基地局から受信するための手段と、前記ハンドオーバメッセージが、前記ターゲット基地局のデータ圧縮機能の表示を含む、
前記ターゲット基地局から送信を受信するための手段と、ここにおいて、前記送信が、前記ターゲット基地局の前記データ圧縮機能に少なくとも部分的に基づく、
を備える装置。
［Ｃ５８］
前記パケットを前記ソース基地局へ送信するための前記手段が、
パケット列を前記ソース基地局へ送信するための手段を備え、前記パケット列が、データ圧縮ルーチンに従って圧縮されているデータを備える、
Ｃ５７に記載の装置。
［Ｃ５９］
前記パケットを前記ソース基地局へ送信するための前記手段が、
前記ソース基地局から受信されたダウンリンクデータパケット列の中のパケットごとに確認応答を送信するための手段を備え、前記ダウンリンクデータパケット列が、データ圧縮ルーチンに従って圧縮されているデータを備える、
Ｃ５７に記載の装置。
［Ｃ６０］
ソース基地局におけるワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
ターゲット基地局へのユーザ機器（ＵＥ）のハンドオーバが実行されるべきと決定することと、
前記ＵＥから受信されたパケット列の中の少なくとも１つのギャップを識別することと、
前記ターゲット基地局のデータ圧縮機能を決定することと、
前記ＵＥ用のコンテキスト情報を前記ターゲット基地局に転送することとをさせるように動作可能であり、ここにおいて、前記コンテキスト情報が、前記ターゲット基地局の前記データ圧縮機能に少なくとも部分的に基づく、
装置。
［Ｃ６１］
前記ＵＥから受信された前記パケット列が、アップリンクデータパケットを備え、ここにおいて、前記アップリンクデータパケットが、データ圧縮ルーチンに従って圧縮されている情報を備える、Ｃ６０に記載の装置。
［Ｃ６２］
前記命令が、前記装置に、
前記ターゲット基地局が前記データ圧縮ルーチンをサポートするかどうかを決定することと、
前記少なくとも１つのギャップの後に順番に並べられたパケットに関連する圧縮状態情報を、前記ターゲット基地局に転送することとをさせるように前記プロセッサによって実行可能であり、ここにおいて、前記圧縮状態情報が、前記少なくとも１つのギャップの後に順番に並べられた前記パケットの復元を容易にする、
Ｃ６１に記載の装置。
［Ｃ６３］
前記コンテキスト情報が、前記パケット列の中の前記少なくとも１つのギャップを示すステータス報告と、前記データ圧縮ルーチンに関連する圧縮状態情報とを備える、Ｃ６１に記載の装置。
［Ｃ６４］
前記命令が、前記装置に、
前記ターゲット基地局が前記データ圧縮ルーチンをサポートしないと決定させるように前記プロセッサ実行可能であり、
ここにおいて、前記コンテキスト情報が、前記パケット列の中の前記少なくとも１つのギャップの前の、連続した最新のアップリンクパケットの識別を備える制御情報を備える、
Ｃ６１に記載の装置。
［Ｃ６５］
前記ＵＥから受信された前記パケット列が、前記ソース基地局から受信されたダウンリンクデータパケット列に対する確認応答情報を備え、前記パケット列が、データ圧縮ルーチンに従って圧縮されている情報を備え、ここにおいて、前記命令が、前記装置に、
確認応答されなかったダウンリンクデータパケットを識別させるように前記プロセッサによって実行可能である、
Ｃ６０に記載の装置。
［Ｃ６６］
前記命令が、前記装置に、
前記ターゲット基地局が前記データ圧縮ルーチンをサポートするかどうかを決定することと、
確認応答されなかったダウンリンクデータパケットと、前記確認応答されなかったダウンリンクデータパケットの後の１つまたは複数のダウンリンクデータパケットとを、前記データ圧縮ルーチンによる前記ＵＥへの再送信のために前記ターゲット基地局に転送することとをさせるように前記プロセッサによって実行可能である、
Ｃ６５に記載の装置。
［Ｃ６７］
前記命令が、前記装置に、
後続の通信のために前記ターゲット基地局が使用されるべきであることを示すハンドオーバメッセージを前記ＵＥへ送信をさせるように前記プロセッサによって実行可能であり、ここにおいて、前記ハンドオーバメッセージは、前記ターゲット基地局が前記ソース基地局および前記ＵＥによって使用されるデータ圧縮ルーチンをサポートするという表示を備え、ここにおいて、前記表示は、前記ターゲット基地局の前記データ圧縮機能が前記ソース基地局のデータ圧縮機能と互換性があると決定することに少なくとも部分的に基づく、
Ｃ６０に記載の装置。
［Ｃ６８］
前記命令が、前記装置に、
前記ＵＥのデータ圧縮機能を前記ターゲット基地局へ送信させるように前記プロセッサによって実行可能である、
Ｃ６０に記載の装置。
［Ｃ６９］
ターゲット基地局におけるワイヤレス通信のための装置であって、
プロセッサと、
前記プロセッサと電子通信しているメモリと、
前記メモリに記憶された命令とを備え、前記命令は、前記プロセッサによって実行されたとき、前記装置に、
ＵＥがソース基地局からハンドオーバされるべきというハンドオーバ表示を受信することと、
データ圧縮機能を前記ソース基地局へ送信することと、
前記ＵＥ用のコンテキスト情報を前記ソース基地局から受信することと、ここにおいて、前記コンテキスト情報が、前記ＵＥによって前記ソース基地局へ送られたパケット列の中の少なくとも１つのギャップを識別する、
前記コンテキスト情報に少なくとも部分的に基づいて前記ＵＥへ送信することと
をさせるように動作可能である、装置。
［Ｃ７０］
前記ターゲット基地局の前記データ圧縮機能は、前記ソース基地局のデータ圧縮機能と互換性があり、ここにおいて、前記コンテキスト情報が、前記ＵＥ用のデータ圧縮コンテキスト情報を備える、Ｃ６９に記載の装置。
［Ｃ７１］
前記データ圧縮コンテキスト情報が、前記ＵＥによって前記ソース基地局へ送られた前記パケット列の中の前記少なくとも１つのギャップに関連するパケットを処理するために使用される、Ｃ７０に記載の装置。
［Ｃ７２］
前記ＵＥによって前記ソース基地局へ送られた前記パケット列が、アップリンクデータパケット列を備え、ここにおいて、前記アップリンクデータパケット列が、データ圧縮ルーチンに従って圧縮されている情報を備え、ここにおいて、前記命令が、前記装置に、  前記パケット列の中の前記少なくとも１つのギャップの後に前記ソース基地局に到達した追加パケットを受信することと、
前記ソース基地局からデータ圧縮バッファを受信することとをさせるように前記プロセッサによって実行可能であり、データを復元する際に使用するための前記データ圧縮バッファが、前記少なくとも１つのギャップに関連するアップリンクパケットに含まれる、  Ｃ６９に記載の装置。
［Ｃ７３］
前記ＵＥによって前記ソース基地局へ送られた前記パケット列が、前記ソース基地局によって前記ＵＥへ送られたダウンリンクデータパケット列に対する確認応答情報を備え、前記ダウンリンクデータパケット列が、データ圧縮ルーチンに従って圧縮されている情報を備え、ここにおいて、前記命令が、前記装置に、
前記ソース基地局によって前記ＵＥへ送られた前記ダウンリンクデータパケット列の中の前記少なくとも１つのギャップに関連するダウンリンクデータパケットと、前記ソース基地局によって前記ＵＥへ送られた前記ダウンリンクデータパケット列の中の前記少なくとも１つのギャップの後の１つまたは複数のデータパケットとを受信させるように前記プロセッサによって実行可能である、
Ｃ６９に記載の装置。
［Ｃ７４］
前記ターゲット基地局の前記データ圧縮機能が、前記ソース基地局のデータ圧縮機能と異なる、Ｃ６９に記載の装置。
［Ｃ７５］
前記命令が、前記装置に、
前記ＵＥによって前記ソース基地局へ送られた前記パケット列の中の前記少なくとも１つのギャップを識別するステータスメッセージを送信させるように前記プロセッサによって実行可能である、
Ｃ７４に記載の装置。
［Ｃ７６］
前記コンテキスト情報が、前記ＵＥによって前記ソース基地局へ送られた前記パケット列の中の連続した最新のパケットの表示を備える、Ｃ７４に記載の装置。
［Ｃ７７］
ユーザ機器（ＵＥ）におけるワイヤレス通信のための装置であって、
プロセッサと、
前記プロセッサと電子通信しているメモリと、
前記メモリに記憶された命令とを備え、前記命令は、プロセッサによって実行されたとき、前記装置に、
パケットをソース基地局へ送信することと、
後続の通信がターゲット基地局へ送信されるべきであることを示すハンドオーバメッセージを前記ソース基地局から受信することと、前記ハンドオーバメッセージが、前記ターゲット基地局のデータ圧縮機能の表示を含む、
前記ターゲット基地局から送信を受信することと、ここにおいて、前記送信が、前記ターゲット基地局の前記データ圧縮機能に少なくとも部分的に基づく、
をさせるように動作可能である、装置。
［Ｃ７８］
前記命令が、前記装置に、
パケット列を前記ソース基地局へ送信させるように前記プロセッサによって実行可能であり、前記パケットが、データ圧縮ルーチンに従って圧縮されているデータを備える、  Ｃ７７に記載の装置。
［Ｃ７９］
前記命令が、前記装置に、
前記ソース基地局から受信されたダウンリンクデータパケット列の中のパケットごとに確認応答を送信させるように前記プロセッサによって実行可能であり、前記ダウンリンクデータパケット列が、データ圧縮ルーチンに従って圧縮されているデータを備える、
Ｃ７７に記載の装置。
［Ｃ８０］
ソース基地局におけるワイヤレス通信のためのコードを記憶する非一時的コンピュータ可読媒体であって、前記コードが、
ターゲット基地局へのユーザ機器（ＵＥ）のハンドオーバが実行されるべきと決定することと、
前記ＵＥから受信されたパケット列の中の少なくとも１つのギャップを識別することと、
前記ターゲット基地局のデータ圧縮機能を決定することと、
前記ＵＥ用のコンテキスト情報を前記ターゲット基地局に転送することとを行うように実行可能な命令を備え、ここにおいて、前記コンテキスト情報が、前記ターゲット基地局の前記データ圧縮機能に少なくとも部分的に基づく、
非一時的コンピュータ可読媒体。
［Ｃ８１］
ターゲット基地局におけるワイヤレス通信のためのコードを記憶する非一時的コンピュータ可読媒体であって、前記コードが、
ＵＥがソース基地局からハンドオーバされるべきというハンドオーバ表示を受信することと、
前記ターゲット基地局のデータ圧縮機能を前記ソース基地局へ送信することと、
前記ＵＥ用のコンテキスト情報を前記ソース基地局から受信することと、ここにおいて、前記コンテキスト情報が、前記ＵＥによって前記ソース基地局へ送られたパケット列の中の少なくとも１つのギャップを識別する、
前記コンテキスト情報に少なくとも部分的に基づいて前記ＵＥへ送信することと
を行うように実行可能な命令を備える、非一時的コンピュータ可読媒体。
［Ｃ８２］
ユーザ機器（ＵＥ）におけるワイヤレス通信のためのコードを記憶する非一時的コンピュータ可読媒体であって、前記コードが、
パケットをソース基地局へ送信することと、
後続の通信がターゲット基地局へ送信されるべきであることを示すハンドオーバメッセージを前記ソース基地局から受信することと、前記ハンドオーバメッセージが、前記ターゲット基地局のデータ圧縮機能の表示を含む、
前記ターゲット基地局から送信を受信することと、ここにおいて、前記送信が、前記ターゲット基地局の前記データ圧縮機能に少なくとも部分的に基づく、
を行うように実行可能な命令を備える、非一時的コンピュータ可読媒体。
【図１】
0006615883.tif 000002
【図２Ａ】
0006615883.tif 000003
【図２Ｂ】
0006615883.tif 000004
【図３Ａ】
0006615883.tif 000005
【図３Ｂ】
0006615883.tif 000006
【図３Ｃ】
0006615883.tif 000007
【図４】
0006615883.tif 000008
【図５Ａ】
0006615883.tif 000009
【図５Ｂ】
0006615883.tif 000010
【図５Ｃ】
0006615883.tif 000011
【図６】
0006615883.tif 000012
【図７】
0006615883.tif 000013
【図８】
0006615883.tif 000014
【図９】
0006615883.tif 000015
【図１０】
0006615883.tif 000016
【図１１】
0006615883.tif 000017
【図１２】
0006615883.tif 000018
【図１３】
0006615883.tif 000019
【図１４】
0006615883.tif 000020
【図１５】
0006615883.tif 000021
【図１６】
0006615883.tif 000022
【図１７】
0006615883.tif 000023
【図１８】
0006615883.tif 000024
【図１９】
0006615883.tif 000025
【図２０】
0006615883.tif 000026
【図２１】
0006615883.tif 000027
【図２２】
0006615883.tif 000028